(57)【要約】時間とともに変化する移動局の状態に応じて移動局の位置情報管理を円滑に行うことを目的とする。移動局においてパケット送受信がないままスリープ状態判断タイマがタイムアウトしたことで通知される当該移動局からのスリープ状態への遷移通知に基づき、当該移動局がスリープ状態に遷移したと判断され、リンクレイヤでの制御処理が実行される（Ｓ１２）（移動局がセルを移行する場合もリンクレイヤでの制御処理）。その後、移動局においてパケット送受信がないままアイドル状態判断タイマがタイムアウトしたことで通知される当該移動局からのアイドル状態への遷移通知に基づき、当該移動局がアイドル状態に遷移したと判断され、ネットワークレイヤでの制御処理が実行される（Ｓ１４）（移動局が位置登録エリアを変更する場合もネットワークレイヤでの制御処理）。このように、移動局にてパケット送受信が行われない期間に応じた移動局の状態に基づく制御処理が実行される。
2003105519.tif 000002
【特許請求の範囲】
【請求項１】
複数の移動局と、網に接続された複数の無線基地局と共に移動通信システムを構成し、前記網に接続され、前記無線基地局が形成するセルの集合により形成される呼び出しエリア及び前記移動局の位置情報を管理するサーバであって、
前記移動局の状態として、スリープ状態又はアイドル状態を含む複数の状態の中から、前記セル内で当該移動局と無線基地局との間でパケット送受信が行われない期間に応じた状態を判断する判断手段と、
前記判断で得られた状態に応じて、当該移動局の呼出周期と当該移動局による間欠受信の受信タイミングの両方又は一方を当該移動局に対し設定する設定手段と、
を備えたサーバ。
【請求項２】
各々の呼び出しエリアに在圏している前記状態に移行した移動局の数と、前記各々の呼び出しエリア内で呼び出しチャネルの各々の受信タイミングでの着信トラヒックの両方又は一方を測定し、当該測定値を保持する測定保持手段を更に備え、
前記設定手段は、
前記判断手段により移動局の状態がスリープ状態であると判断された場合に、前記保持された測定値に応じて、当該移動局の呼出周期と当該移動局による間欠受信の受信タイミングの両方又は一方を当該移動局に対し設定する、
ことを特徴とする請求の範囲第１項に記載のサーバ。
【請求項３】
移動局が位置登録している位置登録エリアを変更したことを検出するエリア変更検出手段と、
前記エリア変更検出手段により前記移動局が前記位置登録エリアを変更したことを検出した場合、前記移動局の呼出信号を受信するタイミング毎に分けられた複数の着信群の中から、所定の情報に基づいて一の着信群を選択し、選択された着信群を当該移動局に割り当てる着信群割当制御手段と、
を更に備えた請求の範囲第１項又は第２項に記載のサーバ。
【請求項４】
複数の移動局と、網に接続された複数の無線基地局と、前記網に接続され、前記無線基地局が形成するセルの集合により形成される呼び出しエリア及び前記移動局の位置情報を管理するサーバとを含んで構成される移動通信システムであって、
前記サーバが、
前記移動局の状態として、スリープ状態又はアイドル状態を含む複数の状態の中から、前記セル内で当該移動局と無線基地局との間でパケット送受信が行われない期間に応じた状態を判断する判断手段と、
前記判断で得られた状態に応じて、当該移動局の呼出周期と当該移動局による間欠受信の受信タイミングの両方又は一方を当該移動局に対し設定する設定手段とを備えた、
ことを特徴とする移動通信システム。
【請求項５】
複数の移動局と、網に接続された複数の無線基地局と共に移動通信システムを構成し、前記網に接続され、前記無線基地局が形成するセルの集合により形成される呼び出しエリア及び前記移動局の位置情報を管理するサーバ、における位置情報管理方法であって、
前記移動局の状態として、スリープ状態又はアイドル状態を含む複数の状態の中から、前記セル内で当該移動局と無線基地局との間でパケット送受信が行われない期間に応じた状態を判断し、
前記判断で得られた状態に応じて、当該移動局の呼出周期と当該移動局による間欠受信の受信タイミングの両方又は一方を当該移動局に対し設定する、
ことを特徴とする位置情報管理方法。
【請求項６】
複数の移動局と、網に接続された複数の無線基地局とともに移動通信システムを構成し、前記網に接続され、前記無線基地局が形成するセルの集合により形成される呼び出しエリア及び前記移動局の位置情報を管理するサーバであるとともに、
当該移動通信システムでは、前記移動局が、前記無線基地局が形成するセル内で当該無線基地局とパケットの送受信を行い、パケットの送受信が予め定められた期間行われない場合、前記無線基地局からの信号を周期的に受信するスリープモードへ移行し、前記無線基地局が、前記移動局を指定してパケット到着を通知すること又は前記スリープモードに移行している移動局宛ての着パケットを送信することが可能な呼び出しチャネルを備え、当該呼び出しチャネルを所定の周期で間欠送信することが可能とされている移動通信システムを構成するサーバであって、
前記スリープモードには、前記パケットの送受信が行われない期間に応じた複数のスリープ状態が存在し、各スリープ状態に対応する呼び出し周期が複数用意され、前記移動通信システムでは各呼び出し周期に対応づけられた呼び出しエリア及び前記移動局が間欠受信を行う受信タイミングが設定可能とされており、
前記各々の呼び出しエリアに在圏している前記スリープモードに移行している移動局の数と、前記各々の呼び出しエリア内で前記呼び出しチャネルの各々の受信タイミングでの着信トラヒックの両方又は一方を測定し、該測定値を保持する測定保持手段と、
前記移動局が新規に前記スリープモードに移行する場合、又は前記スリープモードに既に移行している移動局が前記スリープ状態を変更する場合、又は前記スリープモードに既に移行している移動局が新しい呼び出しエリアに移動した場合、又は前記サーバが決定した任意の場合に、前記保持された測定値に応じて、前記移動局に対し、呼び出し周期と受信タイミングの両方又は一方の変更を指示する変更指示手段と、
を備えたサーバ。
【請求項７】
前記移動通信システムでは、各呼び出しエリア毎にサーバが設けられ、当該複数のサーバ間に所定の規則に基づく階層関係が設けられ、
各階層毎のサーバが備えた前記変更指示手段は、対応する呼び出しエリアに在圏している前記スリープモードに移行している移動局の数と、前記呼び出しエリア内で前記呼び出しチャネルの各々の受信タイミングでの着信トラヒックの両方又は一方に応じて、前記移動局に対し、呼び出し周期と受信タイミングの両方又は一方の変更を指示する、
ことを特徴とする請求の範囲第６項に記載のサーバ。
【請求項８】
前記移動局のサービスクラスを認識し該サービスクラス情報を保持する認識保持手段をさらに備え、
前記変更指示手段は、さらに前記認識されたサービスクラスに応じて、前記移動局に対し、呼び出し周期と受信タイミングの両方又は一方の変更を指示する、
ことを特徴とする請求の範囲第６項又は第７項に記載のサーバ。
【請求項９】
複数の移動局とともに移動通信システムを構成する無線基地局であるとともに、
当該移動通信システムでは、前記移動局が、前記無線基地局が形成するセル内で当該無線基地局とパケットの送受信を行い、パケットの送受信が予め定められた期間行われない場合、前記無線基地局からの信号を周期的に受信するスリープモードへ移行し、前記無線基地局が、前記移動局を指定してパケット到着を通知すること又は前記スリープモードに移行している移動局宛ての着パケットを送信することが可能な呼び出しチャネルを備え、当該呼び出しチャネルを所定の周期で間欠送信することが可能とされている移動通信システムを構成する無線基地局であって、
前記スリープモードには、前記パケットの送受信が行われない期間に応じた複数のスリープ状態が存在し、前記移動通信システムでは各スリープ状態に対応する呼び出し周期及び前記移動局が間欠受信を行う受信タイミングが設定可能とされており、
前記セル内に存在するスリープモードに移行している移動局の数と前記呼び出しチャネルの呼び出しトラヒックの両方又は一方を測定し、該測定値を保持する測定保持手段と、
前記移動局が新規に前記スリープモードに移行する場合、又は前記スリープモードに既に移行している移動局が新たに前記セル内に移動してきた場合、又は前記スリープモードに既に移行している移動局が前記スリープ状態を変更する場合、又は前記無線基地局が決定した任意の場合に、前記保持された測定値に応じて、前記移動局に対し、呼び出し周期と受信タイミングの両方又は一方の変更を指示する変更指示手段と、
を備えた無線基地局。
【請求項１０】
前記移動局のサービスクラスを認識し該サービスクラス情報を保持する認識保持手段をさらに備え、
前記変更指示手段は、さらに前記認識されたサービスクラスに応じて、前記移動局に対し、呼び出し周期と受信タイミングの両方又は一方の変更を指示する、
ことを特徴とする請求の範囲第９項に記載の無線基地局。
【請求項１１】
無線基地局とともに移動通信システムを構成し、前記無線基地局が形成するセル内で当該無線基地局とパケットの送受信を行うことが可能とされ、パケットの送受信が予め定められた期間行われない場合、前記無線基地局からの信号を周期的に受信するスリープモードへ移行する移動局であるとともに、
前記移動通信システムでは、前記無線基地局が、前記移動局を指定してパケット到着を通知すること又は前記スリープモードに移行している移動局宛ての着パケットを送信することが可能な呼び出しチャネルを備え、当該呼び出しチャネルを所定の周期で間欠送信することが可能とされている移動通信システムを構成する移動局であって、
前記スリープモードには、前記パケットの送受信が行われない期間に応じた複数のスリープ状態が存在し、前記移動通信システムでは各スリープ状態に対応する呼び出し周期及び前記移動局が間欠受信を行う受信タイミングが設定可能とされており、
当該移動局が新規に前記スリープモードに移行する場合、又は前記スリープモードに既に移行している移動局が新たに前記セル内に移動してきた場合、又は前記スリープモードに既に移行している移動局が前記スリープ状態を変更する場合、又は前記無線基地局が決定した任意の場合に、前記無線基地局から、前記セル内に存在するスリープモードに移行している移動局の数と前記呼び出しチャネルの呼び出しトラヒックの両方又は一方の測定値に応じた、呼び出し周期と受信タイミングの両方又は一方の変更指示を受信する変更指示受信手段と、
当該変更指示に基づく呼び出し周期及び受信タイミングにて間欠受信を行う間欠受信制御手段と、
を備えた移動局。
【請求項１２】
網に接続された複数の無線基地局と、前記網に接続され、前記無線基地局が形成するセルの集合により形成される呼び出しエリア及び在圏する移動局の位置情報を管理するサーバとともに移動通信システムを構成し、前記無線基地局が形成するセル内で当該無線基地局とパケットの送受信を行うことが可能とされ、パケットの送受信が予め定められた期間行われない場合、前記無線基地局からの信号を周期的に受信するスリープモードへ移行する移動局であるとともに、
前記移動通信システムでは、前記無線基地局が、前記移動局を指定してパケット到着を通知すること又は前記スリープモードに移行している移動局宛ての着パケットを送信することが可能な呼び出しチャネルを備え、当該呼び出しチャネルを所定の周期で間欠送信することが可能とされている移動通信システムを構成する移動局であって、
前記スリープモードには、前記パケットの送受信が行われない期間に応じた複数のスリープ状態が存在し、各スリープ状態に対応する呼び出し周期が複数用意され、前記移動通信システムでは各呼び出し周期に対応づけられた呼び出しエリア及び前記移動局が間欠受信を行う受信タイミングが設定可能とされており、
当該移動局が新規に前記スリープモードに移行する場合、又は前記スリープモードに既に移行している移動局が新たに前記セル内に移動してきた場合、又は前記スリープモードに既に移行している移動局が前記スリープ状態を変更する場合、又は前記無線基地局が決定した任意の場合に、前記サーバから、前記各々の呼び出しエリアに在圏している前記スリープモードに移行している移動局の数と、前記各々の呼び出しエリア内で前記呼び出しチャネルの各々の受信タイミングでの着信トラヒックの両方又は一方の測定値に応じた、呼び出し周期と受信タイミングの両方又は一方の変更指示を受信する変更指示受信手段と、
当該変更指示に基づく呼び出し周期及び受信タイミングにて間欠受信を行う間欠受信制御手段と、
を備えた移動局。
【請求項１３】
無線基地局と、前記無線基地局が形成するセル内で当該無線基地局とパケットの送受信を行うことが可能な複数の移動局とを含んで構成され、
前記移動局が、パケットの送受信が予め定められた期間行われない場合、前記無線基地局からの信号を周期的に受信するスリープモードへ移行し、
前記無線基地局が、前記移動局を指定してパケット到着を通知すること又は前記スリープモードに移行している移動局宛ての着パケットを送信することが可能な呼び出しチャネルを備え、当該呼び出しチャネルを所定の周期で間欠送信することが可能とされている移動通信システムであって、
前記スリープモードには、前記パケットの送受信が行われない期間に応じた複数のスリープ状態が存在し、前記移動通信システムでは各スリープ状態に対応する呼び出し周期及び前記移動局が間欠受信を行う受信タイミングが設定可能とされており、
前記無線基地局は、
前記セル内に存在するスリープモードに移行している移動局の数と前記呼び出しチャネルの呼び出しトラヒックの両方又は一方を測定し、該測定値を保持する測定保持手段と、
所定の場合に、前記保持された測定値に応じて、前記移動局に対し、呼び出し周期と受信タイミングの両方又は一方の変更を指示する変更指示手段とを備え、
前記移動局は、
当該変更指示に基づく呼び出し周期及び受信タイミングにて間欠受信を行う間欠受信制御手段を備えた、
ことを特徴とする移動通信システム。
【請求項１４】
複数の移動局と、網に接続された複数の無線基地局と、前記網に接続され、前記無線基地局が形成するセルの集合により形成される呼び出しエリア及び前記移動局の位置情報を管理するサーバとを含んで構成され、
前記移動局が、パケットの送受信が予め定められた期間行われない場合、前記無線基地局からの信号を周期的に受信するスリープモードへ移行し、
前記無線基地局が、前記移動局を指定してパケット到着を通知すること又は前記スリープモードに移行している移動局宛ての着パケットを送信することが可能な呼び出しチャネルを備え、当該呼び出しチャネルを所定の周期で間欠送信することが可能とされている移動通信システムであって、
前記スリープモードには、前記パケットの送受信が行われない期間に応じた複数のスリープ状態が存在し、各スリープ状態に対応する呼び出し周期が複数用意され、前記移動通信システムでは各呼び出し周期に対応づけられた呼び出しエリア及び前記移動局が間欠受信を行う受信タイミングが設定可能とされており、
前記サーバは、
前記各々の呼び出しエリアに在圏している前記スリープモードに移行している移動局の数と、前記各々の呼び出しエリア内で前記呼び出しチャネルの各々の受信タイミングでの着信トラヒックの両方又は一方を測定し、該測定値を保持する測定保持手段と、
所定の場合に、前記保持された測定値に応じて、前記移動局に対し、呼び出し周期と受信タイミングの両方又は一方の変更を指示する変更指示手段とを備え、
前記移動局は、
当該変更指示に基づく呼び出し周期及び受信タイミングにて間欠受信を行う間欠受信制御手段を備えた、
ことを特徴とする移動通信システム。
【請求項１５】
無線基地局と、前記無線基地局が形成するセル内で当該無線基地局とパケットの送受信を行うことが可能な複数の移動局とを含んで構成され、
前記移動局が、パケットの送受信が予め定められた期間行われない場合、前記無線基地局からの信号を周期的に受信するスリープモードへ移行し、
前記無線基地局が、前記移動局を指定してパケット到着を通知すること又は前記スリープモードに移行している移動局宛ての着パケットを送信することが可能な呼び出しチャネルを備え、当該呼び出しチャネルを所定の周期で間欠送信することが可能とされている移動通信システムにおける呼び出し方法であって、
前記スリープモードには、前記パケットの送受信が行われない期間に応じた複数のスリープ状態が存在し、前記移動通信システムでは各スリープ状態に対応する呼び出し周期及び前記移動局が間欠受信を行う受信タイミングが設定可能とされており、
前記無線基地局は、所定の場合に、前記セル内に存在するスリープモードに移行している移動局の数と前記呼び出しチャネルの呼び出しトラヒックの両方又は一方に応じて、前記移動局に対し、呼び出し周期と受信タイミングの両方又は一方の変更を指示し、
前記移動局は、当該変更指示に基づく呼び出し周期及び受信タイミングにて間欠受信を行う、
ことを特徴とする移動通信システムの呼び出し方法。
【請求項１６】
複数の移動局と、網に接続された複数の無線基地局と、前記網に接続され、前記無線基地局が形成するセルの集合により形成される呼び出しエリア及び前記移動局の位置情報を管理するサーバとを含んで構成され、
前記移動局が、パケットの送受信が予め定められた期間行われない場合、前記無線基地局からの信号を周期的に受信するスリープモードへ移行し、
前記無線基地局が、前記移動局を指定してパケット到着を通知すること又は前記スリープモードに移行している移動局宛ての着パケットを送信することが可能な呼び出しチャネルを備え、当該呼び出しチャネルを所定の周期で間欠送信することが可能とされている移動通信システムにおける呼び出し方法であって、
前記スリープモードには、前記パケットの送受信が行われない期間に応じた複数のスリープ状態が存在し、各スリープ状態に対応する呼び出し周期が複数用意され、前記移動通信システムでは各呼び出し周期に対応づけられた呼び出しエリア及び前記移動局が間欠受信を行う受信タイミングが設定可能とされており、
前記サーバは、所定の場合に、前記各々の呼び出しエリアに在圏している前記スリープモードに移行している移動局の数と、前記各々の呼び出しエリア内で前記呼び出しチャネルの各々の受信タイミングでの着信トラヒックの両方又は一方に応じて、前記移動局に対し、呼び出し周期と受信タイミングの両方又は一方の変更を指示し、
前記移動局は、当該変更指示に基づく呼び出し周期及び受信タイミングにて間欠受信を行う、
ことを特徴とする移動通信システムの呼び出し方法。
【請求項１７】
移動局の呼出信号を受信するタイミング毎に分けられた複数の着信群の中から、所定の情報に基づいて一の着信群を検出する着信群検出手段と、
前記移動局が位置登録している位置登録エリアを変更したことを検出するエリア変更検出手段とを備え、
該エリア変更検出手段により、前記移動局が前記位置登録エリアを変更した場合、前記着信群検出手段は、前記検出した着信群を該移動局に割り当てることを特徴とするサーバ。
【請求項１８】
前記エリア変更検出手段は、前記移動局の位置登録エリア変更を検出した際、該移動局に割り当てられている変更前着信群を取得する着信群取得手段を有し、
前記着信群検出手段は、前記着信群取得手段が取得した変更前着信群と、前記検出した着信群が同一か異なるかを判断し、異なる場合にのみ該検出した着信群を該移動局に割り当てることを特徴とする請求の範囲第１７項に記載のサーバ。
【請求項１９】
前記位置登録エリアの各着信群のタイミングにおける着信トラフィック量を測定するトラフィック量測定手段を備え、
前記着信群検出手段は、前記トラフィック量測定手段による測定結果に基づいて、前記一の着信群を検出することを特徴とする請求の範囲第１７項又は第１８項に記載のサーバ。
【請求項２０】
前記位置登録エリアの各着信群に属する前記移動局の数を測定する移動局数測定手段を備え、
前記着信群検出手段は、前記移動局数測定手段による測定結果に基づいて、前記一の着信群を検出することを特徴とする請求の範囲第１７項又は第１８項に記載のサーバ。
【請求項２１】
前記位置登録エリアの各着信群のタイミングで送信するデータ量を測定するデータ量測定手段を備え、
前記着信群検出手段は、前記データ量測定手段による測定結果に基づいて、前記一の着信群を検出することを特徴とする請求の範囲第１７項又は第１８項に記載のサーバ。
【請求項２２】
前記着信群検出手段は、前記移動局が要求するサービス品質を取得する品質取得手段を備え、
該品質取得手段が取得したサービス品質に基づいて、前記一の着信群を検出することを特徴とする請求の範囲第１７項〜第２１項のいずれか１項に記載のサーバ。
【請求項２３】
位置登録している位置登録エリアと異なる位置登録エリアに移動した場合、それを検出し、位置登録エリア変更要求を行う要求手段と、
無線基地局から情報信号を受信した場合、通知された情報に従い、着信群の設定を変更する設定変更手段とを備え、
前記要求手段により位置登録エリア変更要求を行った際、前記無線基地局から通知された情報の中に着信群情報が含まれている場合、前記設定変更手段は、前記着信群の設定を変更することを特徴とする移動局。
【請求項２４】
前記設定変更手段は、前記着信群情報が含まれていなかった場合、位置登録エリアを変更する前に属していた着信群を継続して使用することを特徴とする請求の範囲第２３項に記載の移動局。
【請求項２５】
移動局の呼出信号を受信するタイミング毎に分けられた複数の着信群の中から、所定の情報に基づいて一の着信群を検出する着信群検出手段と、
前記移動局が位置登録している位置登録エリアを変更したことを検出するエリア変更検出手段とを備え、
該エリア変更検出手段により、前記移動局が前記位置登録エリアを変更したことを検出した場合、前記着信群検出手段は、前記検出した着信群を該移動局に割り当てることを特徴とする移動通信システム。
【請求項２６】
移動局の呼出信号を受信するタイミング毎に分けられた複数の着信群の中から、所定の情報に基づいて一の着信群を検出するステップと、
前記移動局が位置登録している位置登録エリアを変更したことを検出するステップと、
前記移動局が前記位置登録エリアを変更したことを検出した場合、前記検出した着信群を該移動局に割り当てるステップと
を有することを特徴とする移動通信方法。
【発明の詳細な説明】
技術分野
本発明は、サーバ、移動通信システム、位置情報管理方法、無線基地局、移動局、移動通信システムにおける呼び出し方法及び移動通信方法に関する。
背景技術
Ｗｅｂブラウジングのようなパケット通信モデルを想定した場合、当該パケット通信モデルには、移動局がパケットを連続的にダウンロードする期間と、ダウンロード後に移動局がページを閲覧する期間（ページ閲覧期間）の２つの期間がある。この特徴に着目し、ページ閲覧期間において無線基地局から送出される制御信号を移動局にて間欠的に受信させることによりバッテリーセービングを行う技術が、「ＩＮ２００１−１９８マルチメディア無線パケット通信における適応バッテリーセービング制御方式（電子情報通信学会および情報ネットワーク研究会、２００２年３月発行）」において提案されている。この技術では、ページ閲覧期間中に移動局がバッテリーセービングを行う状態を「バッテリーセービングモード」として新規に定義している。
一方、パケット通信の通信形態に応じて、当該パケットが許容できる遅延時間が規定されている。このため、規定された許容遅延時間に応じて、移動局がバッテリーセービングモードへ移行するタイミング及び移動局が制御信号を間欠受信する周期が設定される。
しかし、上述した従来技術では、大別してバッテリーセービングモードとアイドルモードの２つの待ち受け状態が存在する。これらを従来の移動通信システムが実装する場合、従来の移動通信システムには、大別して通信状態と待ち受け状態の２つの状態しかなく、待ち受け状態も１種類しか無いため、位置情報管理サーバは、通信状態と待ち受け状態のうち何れか一方の状態での移動局の位置情報管理（移動管理）しか出来なかった。
また、位置情報管理サーバが同一レイヤにおいて複数の異なる待ち受け状態の移動局の位置情報管理を行うための構成を実装出来たとしても、位置情報管理サーバは、当該複数の待ち受け状態に対応して位置登録エリアを２重に管理する必要が生じ、位置情報管理サーバの負担が過大になってしまう。
本発明は、上記課題を解決するために成されたものであり、時間とともに変化する移動局の複数の状態において移動局の位置情報管理を円滑に行うことができるサーバ、移動通信システム、位置情報管理方法、無線基地局、移動局、移動通信システムにおける呼び出し方法及び移動通信方法を提供することを目的とする。
発明の開示
上記目的を達成するために、本発明に係るサーバは、複数の移動局と、網に接続された複数の無線基地局と共に移動通信システムを構成し、前記網に接続され、前記無線基地局が形成するセルの集合により形成される呼び出しエリア及び前記移動局の位置情報を管理するサーバであって、前記移動局の状態として、スリープ状態又はアイドル状態を含む複数の状態の中から、前記セル内で当該移動局と無線基地局との間でパケット送受信が行われない期間に応じた状態を判断する判断手段と、前記判断で得られた状態に応じて、当該移動局の呼出周期と当該移動局による間欠受信の受信タイミングの両方又は一方を当該移動局に対し設定する設定手段とを備えたことを特徴とする。
また、本発明に係る移動通信システムは、複数の移動局と、網に接続された複数の無線基地局と、前記網に接続され、前記無線基地局が形成するセルの集合により形成される呼び出しエリア及び前記移動局の位置情報を管理するサーバとを含んで構成される移動通信システムであって、前記サーバが、前記移動局の状態として、スリープ状態又はアイドル状態を含む複数の状態の中から、前記セル内で当該移動局と無線基地局との間でパケット送受信が行われない期間に応じた状態を判断する判断手段と、前記判断で得られた状態に応じて、当該移動局の呼出周期と当該移動局による間欠受信の受信タイミングの両方又は一方を当該移動局に対し設定する設定手段とを備えたことを特徴とする。
更に、本発明に係る位置情報管理方法は、複数の移動局と、網に接続された複数の無線基地局と共に移動通信システムを構成し、前記網に接続され、前記無線基地局が形成するセルの集合により形成される呼び出しエリア及び前記移動局の位置情報を管理するサーバ、における位置情報管理方法であって、前記移動局の状態として、スリープ状態又はアイドル状態を含む複数の状態の中から、前記セル内で当該移動局と無線基地局との間でパケット送受信が行われない期間に応じた状態を判断し、前記判断で得られた状態に応じて、当該移動局の呼出周期と当該移動局による間欠受信の受信タイミングの両方又は一方を当該移動局に対し設定することを特徴とする。
これらの発明によれば、サーバは、移動局の状態として、スリープ状態又はアイドル状態を含む複数の状態の中から、前記セル内で当該移動局と無線基地局との間でパケット送受信が行われない期間に応じた状態を判断し、前記判断で得られた状態に応じて、当該移動局の呼出周期と当該移動局による間欠受信の受信タイミングの両方又は一方を当該移動局に対し設定するため、時間とともに変化する移動局の複数の状態に応じて、移動局の位置情報管理を円滑に行うことができる。
なお、上記のサーバは、各々の呼び出しエリアに在圏している前記状態に移行した移動局の数と、前記各々の呼び出しエリア内で呼び出しチャネルの各々の受信タイミングでの着信トラヒックの両方又は一方を測定し、当該測定値を保持する測定保持手段を更に備え、設定手段は、判断手段により移動局の状態がスリープ状態であると判断された場合に、前記保持された測定値に応じて、当該移動局の呼出周期と当該移動局による間欠受信の受信タイミングの両方又は一方を当該移動局に対し設定する構成とすることが望ましい。
更に、上記のサーバは、移動局が位置登録している位置登録エリアを変更したことを検出するエリア変更検出手段と、前記エリア変更検出手段により前記移動局が前記位置登録エリアを変更したことを検出した場合、前記移動局の呼出信号を受信するタイミング毎に分けられた複数の着信群の中から、所定の情報に基づいて一の着信群を選択し、選択された着信群を当該移動局に割り当てる着信群割当制御手段とを更に備えた構成とすることが望ましい。
例えば、本発明に係るサーバは、図３０に示すように構成することが望ましい。即ち、サーバ９０は、上記の判断手段９１と設定手段９２とを含んで構成され、判断手段９１が、移動局の状態として、スリープ状態又はアイドル状態を含む複数の状態の中から、セル内で当該移動局と無線基地局との間でパケット送受信が行われない期間に応じた状態を判断し、設定手段９２が、当該判断で得られた状態に応じて、当該移動局の呼出周期と当該移動局による間欠受信の受信タイミングの両方又は一方を当該移動局に対し設定する。
このとき、サーバ９０は、更に、各々の呼び出しエリアに在圏している状態に移行した移動局の数と、各々の呼び出しエリア内で呼び出しチャネルの各々の受信タイミングでの着信トラヒックの両方又は一方を測定し、当該測定値を保持する測定保持手段９３を更に備え、設定手段９２が、移動局の状態がスリープ状態であると判断された場合に、測定保持手段９１により保持された測定値に応じて、当該移動局の呼出周期と当該移動局による間欠受信の受信タイミングの両方又は一方を当該移動局に対し設定する構成とすることが望ましい。
また、サーバ９０は、エリア変更検出手段９４と着信群割当制御手段９５とを更に備え、エリア変更検出手段９４によって移動局が位置登録している位置登録エリアを変更したことが検出されると、着信群割当制御手段９５が、移動局の呼出信号を受信するタイミング毎に分けられた複数の着信群の中から、所定の情報に基づいて一の着信群を選択し、選択された着信群を当該移動局に割り当てる構成とすることが望ましい。
なお、上記のようなサーバ９０と同様の構成を基地局８０に備えても良い（但し、基地局８０のエリアはただ一つなので、基地局８０はエリア変更検出手段９４に相当する構成を含まない）。この場合、例えば、リンクレイヤでの制御を基地局８０が、ネットワークレイヤでの制御をサーバ９０が、それぞれ分担して実行することができる。
ところで、移動局の状態がスリープ状態であると判断された場合の制御に関し、以下のような発明が挙げられる。
上記目的を達成するために、本発明に係る移動通信システムの呼び出し方法は、無線基地局と、前記無線基地局が形成するセル内で当該無線基地局とパケットの送受信を行うことが可能な複数の移動局とを含んで構成され、前記移動局が、パケットの送受信が予め定められた期間行われない場合、前記無線基地局からの信号を周期的に受信するスリープモードへ移行し、前記無線基地局が、前記移動局を指定してパケット到着を通知すること又は前記スリープモードに移行している移動局宛ての着パケットを送信することが可能な呼び出しチャネルを備え、当該呼び出しチャネルを所定の周期で間欠送信することが可能とされている移動通信システムにおける呼び出し方法であって、前記スリープモードには、前記パケットの送受信が行われない期間に応じた複数のスリープ状態が存在し、各スリープ状態に対応する呼び出し周期及び前記移動局が間欠受信を行う受信タイミングが設定可能とされており、前記無線基地局は、所定の場合に、前記セル内に存在するスリープモードに移行している移動局の数と前記呼び出しチャネルの呼び出しトラヒックの両方又は一方に応じて、前記移動局に対し、呼び出し周期と受信タイミングの両方又は一方の変更を指示し、前記移動局は、当該変更指示に基づく呼び出し周期及び受信タイミングにて間欠受信を行うことを特徴とする。
上記の移動通信システムの呼び出し方法に係る発明は、以下のように移動通信システムに係る発明としても記述することができる。即ち、本発明に係る移動通信システムは、無線基地局と、前記無線基地局が形成するセル内で当該無線基地局とパケットの送受信を行うことが可能な複数の移動局とを含んで構成され、前記移動局が、パケットの送受信が予め定められた期間行われない場合、前記無線基地局からの信号を周期的に受信するスリープモードへ移行し、前記無線基地局が、前記移動局を指定してパケット到着を通知すること又は前記スリープモードに移行している移動局宛ての着パケットを送信することが可能な呼び出しチャネルを備え、当該呼び出しチャネルを所定の周期で間欠送信することが可能とされている移動通信システムであって、前記スリープモードには、前記パケットの送受信が行われない期間に応じた複数のスリープ状態が存在し、各スリープ状態に対応する呼び出し周期及び前記移動局が間欠受信を行う受信タイミングが設定可能とされており、前記無線基地局は、前記セル内に存在するスリープモードに移行している移動局の数と前記呼び出しチャネルの呼び出しトラヒックの両方又は一方を測定し、該測定値を保持する測定保持手段と、所定の場合に、前記保持された測定値に応じて、前記移動局に対し、呼び出し周期と受信タイミングの両方又は一方の変更を指示する変更指示手段とを備え、前記移動局は、当該変更指示に基づく呼び出し周期及び受信タイミングにて間欠受信を行う間欠受信制御手段を備えたことを特徴とする。
なお、上記所定の場合は、前記移動局が新規に前記スリープモードに移行する場合、又は前記スリープモードに既に移行している移動局が新たに前記セル内に移動してきた場合、又は前記スリープモードに既に移行している移動局が前記スリープ状態を変更する場合、又は前記無線基地局が決定した任意の場合であることを特徴とする。
本発明に係る無線基地局は、複数の移動局とともに移動通信システムを構成する無線基地局であるとともに、当該移動通信システムでは、前記移動局が、前記無線基地局が形成するセル内で当該無線基地局とパケットの送受信を行い、パケットの送受信が予め定められた期間行われない場合、前記無線基地局からの信号を周期的に受信するスリープモードへ移行し、前記無線基地局が、前記移動局を指定してパケット到着を通知すること又は前記スリープモードに移行している移動局宛ての着パケットを送信することが可能な呼び出しチャネルを備え、当該呼び出しチャネルを所定の周期で間欠送信することが可能とされている移動通信システムを構成する無線基地局であって、前記スリープモードには、前記パケットの送受信が行われない期間に応じた複数のスリープ状態が存在し、各スリープ状態に対応する呼び出し周期及び前記移動局が間欠受信を行う受信タイミングが設定可能とされており、前記セル内に存在するスリープモードに移行している移動局の数と前記呼び出しチャネルの呼び出しトラヒックの両方又は一方を測定し、該測定値を保持する測定保持手段と、前記移動局が新規に前記スリープモードに移行する場合、又は前記スリープモードに既に移行している移動局が新たに前記セル内に移動してきた場合、又は前記スリープモードに既に移行している移動局が前記スリープ状態を変更する場合、又は前記無線基地局が決定した任意の場合に、前記保持された測定値に応じて、前記移動局に対し、呼び出し周期と受信タイミングの両方又は一方の変更を指示する変更指示手段と、を備えたことを特徴とする。
従来は、待ち受け状態の移動局が非常に多い環境では、呼び出しチャネルにて送信すべき呼び出しトラヒックが増えてしまい、呼び出しチャネルが圧迫され、呼損が発生するおそれがあった。また、移動局が間欠受信すべき受信タイミングは、呼び出しトラヒックとは何ら関係なく予め定められているので、トラヒックが特定の受信タイミングに集中するおそれがあった。また、従来のＰＨＳに関する技術では、移動局が待ち受けを行う群番号は電話番号により予め規定されていたため、特定のセル内において、特定の群のみトラヒックが混んでくることが想定され、このような場合、呼び出し呼が呼損となるという問題があった。また、移動局が間欠受信を行う周期は、トラヒックによらず全ての群において一律であるため、効果的なバッテリーセービングが行えないおそれがあった。また、Ｂｌｕｅｔｏｏｔｈに関する技術では、マスターは、Ｐａｒｋ  Ｍｏｄｅで潜在的に接続されたスレーブに対し、同期保持のため１周期あたりＮＢ個のパケットを連続して送信するため、チャネル効率の低下が問題となるおそれがあった。即ち、基本周期は、最低でも、ＮＢ×△Ｂ（△Ｂは各パケットの送信時間間隔）以上の時間間隔を空けて設定しなければならず、極めて短い基本周期を設定するのが困難であった。また、Ｐａｒｋ  Ｍｏｄｅにおいては、長時間マスターと接続状態に無いスレーブは、マスターから送信される、Ｂｅａｃｏｎ  ｃｈａｎｎｅｌからの制御パケットを間引き受信することが可能であり、効果的なバッテリーセービングを行うことが可能であった。しかし、セルラシステムのように待ち受け状態が長い移動局が非常に多く存在するシステムでは、多数の移動局についての基本周期が長い周期に集中してしまう問題が生じるおそれがあった。
しかし、本発明によれば、無線基地局が、所定の場合に、セル内に存在するスリープモードに移行している移動局の数と呼び出しチャネルの呼び出しトラヒックの両方又は一方に応じて、移動局に対し呼び出し周期と受信タイミングの両方又は一方の変更を指示し、当該移動局が当該変更指示に基づく呼び出し周期及び受信タイミングにて間欠受信を行うため、特定の受信タイミングに着信トラヒックが集中するという問題を回避でき、それと同時に各々の受信タイミングでの着信トラヒックを平滑化できるという効果がある。また、チャネルを有効利用することが可能となる。
また、受信タイミングの変更と同時に、呼び出し周期の変更を行うことも可能であるため従来と比べ効果的にバッテリーセービングを行うことが可能となる。
更に、従来は、移動局が通信を行わない期間が長くなるにつれて、長い呼び出し周期に多くの移動局が集中する問題があったが、呼び出し周期に応じたトラヒックも考慮するため特定の呼び出し周期に移動局が集中するという問題を回避することが可能となり、複数の呼び出し周期同士でもトラヒックを平滑化することが可能となる。
上記目的を達成するために、本発明に係る移動通信システムの呼び出し方法は、複数の移動局と、網に接続された複数の無線基地局と、前記網に接続され、前記無線基地局が形成するセルの集合により形成される呼び出しエリア及び前記移動局の位置情報を管理するサーバとを含んで構成され、前記移動局が、パケットの送受信が予め定められた期間行われない場合、前記無線基地局からの信号を周期的に受信するスリープモードへ移行し、前記無線基地局が、前記移動局を指定してパケット到着を通知すること又は前記スリープモードに移行している移動局宛ての着パケットを送信することが可能な呼び出しチャネルを備え、当該呼び出しチャネルを所定の周期で間欠送信することが可能とされている移動通信システムにおける呼び出し方法であって、前記スリープモードには、前記パケットの送受信が行われない期間に応じた複数のスリープ状態が存在し、各スリープ状態に対応する呼び出し周期が複数用意され、各呼び出し周期に対応づけられた呼び出しエリア及び前記移動局が間欠受信を行う受信タイミングが設定可能とされており、前記サーバは、所定の場合に、前記各々の呼び出しエリアに在圏している前記スリープモードに移行している移動局の数と、前記各々の呼び出しエリア内で前記呼び出しチャネルの各々の受信タイミングでの着信トラヒックの両方又は一方に応じて、前記移動局に対し、呼び出し周期と受信タイミングの両方又は一方の変更を指示し、前記移動局は、当該変更指示に基づく呼び出し周期及び受信タイミングにて間欠受信を行うことを特徴とする。
上記の移動通信システムの呼び出し方法に係る発明は、以下のように移動通信システムに係る発明としても記述することができる。即ち、本発明に係る移動通信システムは、複数の移動局と、網に接続された複数の無線基地局と、前記網に接続され、前記無線基地局が形成するセルの集合により形成される呼び出しエリア及び前記移動局の位置情報を管理するサーバとを含んで構成され、前記移動局が、パケットの送受信が予め定められた期間行われない場合、前記無線基地局からの信号を周期的に受信するスリープモードへ移行し、前記無線基地局が、前記移動局を指定してパケット到着を通知すること又は前記スリープモードに移行している移動局宛ての着パケットを送信することが可能な呼び出しチャネルを備え、当該呼び出しチャネルを所定の周期で間欠送信することが可能とされている移動通信システムであって、前記スリープモードには、前記パケットの送受信が行われない期間に応じた複数のスリープ状態が存在し、各スリープ状態に対応する呼び出し周期が複数用意され、各呼び出し周期に対応づけられた呼び出しエリア及び前記移動局が間欠受信を行う受信タイミングが設定可能とされており、前記サーバは、前記各々の呼び出しエリアに在圏している前記スリープモードに移行している移動局の数と、前記各々の呼び出しエリア内で前記呼び出しチャネルの各々の受信タイミングでの着信トラヒックの両方又は一方を測定し、該測定値を保持する測定保持手段と、所定の場合に、前記保持された測定値に応じて、前記移動局に対し、呼び出し周期と受信タイミングの両方又は一方の変更を指示する変更指示手段とを備え、前記移動局は、当該変更指示に基づく呼び出し周期及び受信タイミングにて間欠受信を行う間欠受信制御手段を備えたことを特徴とする。
なお、上記所定の場合は、前記移動局が新規に前記スリープモードに移行する場合、又は前記スリープモードに既に移行している移動局が前記スリープ状態を変更する場合、又は前記スリープモードに既に移行している移動局が新しい呼び出しエリアに移動した場合、又は前記サーバが決定した任意の場合であることを特徴とする。
本発明に係るサーバは、複数の移動局と、網に接続された複数の無線基地局とともに移動通信システムを構成し、前記網に接続され、前記無線基地局が形成するセルの集合により形成される呼び出しエリア及び前記移動局の位置情報を管理するサーバであるとともに、当該移動通信システムでは、前記移動局が、前記無線基地局が形成するセル内で当該無線基地局とパケットの送受信を行い、パケットの送受信が予め定められた期間行われない場合、前記無線基地局からの信号を周期的に受信するスリープモードへ移行し、前記無線基地局が、前記移動局を指定してパケット到着を通知すること又は前記スリープモードに移行している移動局宛ての着パケットを送信することが可能な呼び出しチャネルを備え、当該呼び出しチャネルを所定の周期で間欠送信することが可能とされている移動通信システムを構成するサーバであって、前記スリープモードには、前記パケットの送受信が行われない期間に応じた複数のスリープ状態が存在し、各スリープ状態に対応する呼び出し周期が複数用意され、各呼び出し周期に対応づけられた呼び出しエリア及び前記移動局が間欠受信を行う受信タイミングが設定可能とされており、前記各々の呼び出しエリアに在圏している前記スリープモードに移行している移動局の数と、前記各々の呼び出しエリア内で前記呼び出しチャネルの各々の受信タイミングでの着信トラヒックの両方又は一方を測定し、該測定値を保持する測定保持手段と、前記移動局が新規に前記スリープモードに移行する場合、又は前記スリープモードに既に移行している移動局が前記スリープ状態を変更する場合、又は前記スリープモードに既に移行している移動局が新しい呼び出しエリアに移動した場合、又は前記サーバが決定した任意の場合に、前記保持された測定値に応じて、前記移動局に対し、呼び出し周期と受信タイミングの両方又は一方の変更を指示する変更指示手段と、を備えたことを特徴とする。
上記では、サーバが、所定の場合に、各々の呼び出しエリアに在圏しているスリープモードの移動局の数と、各々の呼び出しエリア内で呼び出しチャネルの各々の受信タイミングでの着信トラヒックの両方又は一方に応じて、移動局に対し、呼び出し周期と受信タイミングの両方又は一方の変更を指示し、当該移動局が当該変更指示に基づく呼び出し周期及び受信タイミングにて間欠受信を行うため、呼び出しエリア内で特定の受信タイミングに着信トラヒックが集中する問題を回避でき、それと同時に各々の受信タイミングでの着信トラヒックを平滑化できるという効果がある。
また、受信タイミングの変更と同時に、呼び出し周期の変更を行うことも可能であるため従来と比べ効果的にバッテリーセービングを行うことが可能となる。
更に、従来は、移動局が通信を行わない期間が長くなるにつれて、長い呼び出し周期に多くの移動局が集中する問題があったが、呼び出し周期に応じたトラヒックも考慮するため特定の呼び出し周期に移動局が集中するという問題を回避することが可能となり、複数の呼び出し周期同士でもトラヒックを平滑化することが可能となる。
上記の移動通信システムでは、各呼び出しエリア毎にサーバを設け、当該複数のサーバ間に所定の規則に基づく階層関係を持たせることができ、かかる構成の移動通信システムに対し、本発明を適用することができる。
即ち、本発明に係る移動通信システムの呼び出し方法では、前記移動通信システムにて、各呼び出しエリア毎にサーバが設けられ、当該複数のサーバ間に所定の規則に基づく階層関係が設けられ、各階層毎のサーバは、対応する呼び出しエリアに在圏している前記スリープモードに移行している移動局の数と、前記呼び出しエリア内で前記呼び出しチャネルの各々の受信タイミングでの着信トラヒックの両方又は一方に応じて、前記移動局に対し、呼び出し周期と受信タイミングの両方又は一方の変更を指示することを特徴とする。
また、移動通信システムでは、各呼び出しエリア毎にサーバが設けられ、当該複数のサーバ間に所定の規則に基づく階層関係が設けられ、各階層毎のサーバが備えた前記変更指示手段は、対応する呼び出しエリアに在圏している前記スリープモードに移行している移動局の数と、前記呼び出しエリア内で前記呼び出しチャネルの各々の受信タイミングでの着信トラヒックの両方又は一方に応じて、前記移動局に対し、呼び出し周期と受信タイミングの両方又は一方の変更を指示することを特徴とする。
上記発明によれば、１つのサーバに集中していた処理を各階層のサーバで分散するため、処理負荷を分散し１つのサーバにかかる処理負荷を削減することができる。また、故障時に全てのシステムが停止するという問題を回避できる。
上記の移動通信システムでは、各移動局にサービスクラスを設定することができ、かかる移動通信システムに対し、本発明を適用してサービスクラスも考慮した制御を行うことができる。
即ち、本発明に係る移動通信システムの呼び出し方法では、前記無線基地局又は前記サーバが、前記移動局のサービスクラスを認識し、さらに当該サービスクラスに応じて、前記移動局に対し、呼び出し周期と受信タイミングの両方又は一方の変更を指示することを特徴とする。
また、本発明に係る移動通信システムでは、前記無線基地局又は前記サーバが、前記移動局のサービスクラスを認識し該サービスクラス情報を保持する認識保持手段をさらに備え、前記無線基地局又は前記サーバが備えた前記変更指示手段が、さらに前記認識されたサービスクラスに応じて、前記移動局に対し、呼び出し周期と受信タイミングの両方又は一方の変更を指示することを特徴とする。
また、上記無線基地局は、前記移動局のサービスクラスを認識し該サービスクラス情報を保持する認識保持手段をさらに備え、前記変更指示手段は、さらに前記認識されたサービスクラスに応じて、前記移動局に対し、呼び出し周期と受信タイミングの両方又は一方の変更を指示する構成とすることが望ましい。
更に、上記のサーバは、前記移動局のサービスクラスを認識し該サービスクラス情報を保持する認識保持手段をさらに備え、前記変更指示手段は、さらに前記認識されたサービスクラスに応じて、前記移動局に対し、呼び出し周期と受信タイミングの両方又は一方の変更を指示する構成とすることが望ましい。
上記の発明によれば、移動局のサービスクラスに応じて、呼び出し周期と受信タイミングの両方又は一方を設定することが可能であるため、移動局により当該サービスクラスに応じた適切な間欠受信が実現できる。
例えば、サービスクラスとしては、リアルタイムクラスと非リアルタイムクラスを移動局に設定することができ、非リアルタイムクラスの移動局に対しては、呼び出し周期を長くして効果的なバッテリーセービングを行うことが可能となる。また、リアルタイムクラスの移動局に対しては、呼び出し周期を短く設定して、呼び出し遅延を極力抑えることが可能となる。
本発明に係る移動局は、無線基地局とともに移動通信システムを構成し、前記無線基地局が形成するセル内で当該無線基地局とパケットの送受信を行うことが可能とされ、パケットの送受信が予め定められた期間行われない場合、前記無線基地局からの信号を周期的に受信するスリープモードへ移行する移動局であるとともに、前記移動通信システムでは、前記無線基地局が、前記移動局を指定してパケット到着を通知すること又は前記スリープモードに移行している移動局宛ての着パケットを送信することが可能な呼び出しチャネルを備え、当該呼び出しチャネルを所定の周期で間欠送信することが可能とされている移動通信システムを構成する移動局であって、前記スリープモードには、前記パケットの送受信が行われない期間に応じた複数のスリープ状態が存在し、各スリープ状態に対応する呼び出し周期及び前記移動局が間欠受信を行う受信タイミングが設定可能とされており、当該移動局が新規に前記スリープモードに移行する場合、又は前記スリープモードに既に移行している移動局が新たに前記セル内に移動してきた場合、又は前記スリープモードに既に移行している移動局が前記スリープ状態を変更する場合、又は前記無線基地局が決定した任意の場合に、前記無線基地局から、前記セル内に存在するスリープモードに移行している移動局の数と前記呼び出しチャネルの呼び出しトラヒックの両方又は一方の測定値に応じた、呼び出し周期と受信タイミングの両方又は一方の変更指示を受信する変更指示受信手段と、当該変更指示に基づく呼び出し周期及び受信タイミングにて間欠受信を行う間欠受信制御手段とを備えたことを特徴とする。
また、本発明に係る移動局は、網に接続された複数の無線基地局と、前記網に接続され、前記無線基地局が形成するセルの集合により形成される呼び出しエリア及び在圏する移動局の位置情報を管理するサーバとともに移動通信システムを構成し、前記無線基地局が形成するセル内で当該無線基地局とパケットの送受信を行うことが可能とされ、パケットの送受信が予め定められた期間行われない場合、前記無線基地局からの信号を周期的に受信するスリープモードへ移行する移動局であるとともに、前記移動通信システムでは、前記無線基地局が、前記移動局を指定してパケット到着を通知すること又は前記スリープモードに移行している移動局宛ての着パケットを送信することが可能な呼び出しチャネルを備え、当該呼び出しチャネルを所定の周期で間欠送信することが可能とされている移動通信システムを構成する移動局であって、前記スリープモードには、前記パケットの送受信が行われない期間に応じた複数のスリープ状態が存在し、各スリープ状態に対応する呼び出し周期が複数用意され、各呼び出し周期に対応づけられた呼び出しエリア及び前記移動局が間欠受信を行う受信タイミングが設定可能とされており、当該移動局が新規に前記スリープモードに移行する場合、又は前記スリープモードに既に移行している移動局が新たに前記セル内に移動してきた場合、又は前記スリープモードに既に移行している移動局が前記スリープ状態を変更する場合、又は前記無線基地局が決定した任意の場合に、前記サーバから、前記各々の呼び出しエリアに在圏している前記スリープモードに移行している移動局の数と、前記各々の呼び出しエリア内で前記呼び出しチャネルの各々の受信タイミングでの着信トラヒックの両方又は一方の測定値に応じた、呼び出し周期と受信タイミングの両方又は一方の変更指示を受信する変更指示受信手段と、当該変更指示に基づく呼び出し周期及び受信タイミングにて間欠受信を行う間欠受信制御手段とを備えたことを特徴とする。
次に、移動局の状態がアイドル状態であると判断された場合の制御に関し、以下のような発明が挙げられる。
本発明に係るサーバは、移動局の呼出信号を受信するタイミング毎に分けられた複数のグループ（以下「着信群」という）の中から、所定の情報に基づいて一の着信群を検出する着信群検出手段と、移動局が位置登録している位置登録エリアを変更したことを検出するエリア変更検出手段とを備え、エリア変更検出手段により、移動局が位置登録エリアを変更したことを検出した場合、着信群検出手段は、検出した着信群（以下「指定着信群」という）を移動局に割り当てることを特徴とする。
このような本発明にかかるサーバによれば、着信群検出手段が、移動局の呼出信号を受信するタイミング毎に分けられた複数の着信群の中から、所定の情報に基づいて一の着信群を検出する。又、エリア変更検出手段が、移動局が位置登録している位置登録エリアを変更したことを検出する。そして、エリア変更検出手段により、移動局が位置登録エリアを変更したことを検出した場合、着信群検出手段が、検出した指定着信群を移動局に割り当てる。
また、本発明に係る移動通信システムは、移動局の呼出信号を受信するタイミング毎に分けられた複数の着信群の中から、所定の情報に基づいて一の着信群を検出する着信群検出手段と、移動局が位置登録している位置登録エリアを変更したことを検出するエリア変更検出手段とを備え、エリア変更検出手段により、移動局が位置登録エリアを変更したことを検出した場合、着信群検出手段は、検出した着信群（指定着信群）を移動局に割り当てることを特徴とする。
このような本発明にかかる移動通信システムによれば、着信群検出手段が、移動局の呼出信号を受信するタイミング毎に分けられた複数の着信群の中から、所定の情報に基づいて一の着信群を検出する。又、エリア変更検出手段が、移動局が位置登録している位置登録エリアを変更したことを検出する。そして、エリア変更検出手段により、移動局が位置登録エリアを変更したことを検出した場合、着信群検出手段が、検出した指定着信群を移動局に割り当てる。
従来のＰＨＳに関する技術では、受信タイミングが定められた着信群の着信群番号が、各移動局の電話番号に対応して予め規定されているため、位置登録エリアにおいて、各着信群に属する移動局の数が不均衡となれば、各着信群の着信トラフィック負荷に不均衡が生じるという問題点があった。そのため、無線基地局のバッファがオーバーフローし、呼び出し信号が移動局に送信されず、無線基地局に到着した着信呼が呼損となるおそれがあった。又、その呼損を防ぐために、呼び出し信号の送信に用いる制御チャネルの容量を、ある程度余裕を持たせて設計しなければならないという問題もあった。更に、従来技術１の方法では、移動局が要求するサービス品質を考慮していないため、ＱｏＳ（Ｑｕａｌｉｔｙ  Ｏｆ  Ｓｅｒｖｉｃｅ）制御を行うことが困難であった。
また、各着信群に割り当てられる呼び出し信号を受信する受信タイミングをフレーム毎に変化させる従来技術がある。この技術では、変化させた受信タイミングを、図２７Ａに示す制御チャネルを用いて、無線基地局が移動局に通知する（特開平５−１１４８８３号公報参照）。制御チャネルは、１単位が、１つの報知タイムスロット１０１と、６つのタイムスロット１０２〜１０７の合計７タイムスロットのフレームから構成される。制御チャネルの負荷を軽減するために、どの着信群に属する移動局であっても、報知タイムスロット１０１を受信する。無線基地局は、この報知タイムスロット１０１において、報知タイムスロットに続くタイムスロット１０２〜１０７における各着信群の呼び出し信号の受信タイミング、即ち、タイムスロットの位置を通知する。報知タイムスロット１０１は、着信群番号を報知するためのスロット１０８〜１１３から構成されている。例えば、移動局は、図２７Ｂに示す制御チャネルを受信した場合、各着信群番号が示されたスロット１２１〜１２６を含む報知タイムスロット１１４から、各着信群の呼び出し信号の受信タイミングを把握することができる。そして、各移動局は、報知タイムスロット１１４以降のタイムスロット１１５〜１２０において、報知タイムスロット１１４から把握した受信タイミングで、呼び出し信号を受信する。例えば、タイムスロット１１５においては、スロット１２１に着信群番号が示されていた着信群番号「２」の着信群に属する移動局が、呼び出し信号を受信する。このように、この方法では、全ての移動局について、フレーム毎に移動局が属する着信群に対応する受信タイミングが変化する。
このように、フレーム毎に全ての移動局について、各移動局が属する着信群に対応する受信タイミングが変化する技術では、無線基地局は、フレーム毎に、全ての移動局に対して報知タイムスロットを送信しなければならず、移動局は、フレーム毎に報知タイムスロットを受信しなければならなかった。よって、チャネルの利用効率が非常に悪くなるという問題点や、無線基地局及び移動局の着信制御の負荷が大きくなるという問題点、移動局が受信すべきタイムスロットが増え、バッテリーセービングが行えないという問題点があった。更に、フレーム毎に、移動局が属する着信群に対応する受信タイミングが変化するため、移動局は、必ずしも間欠受信を行えるとは限らず、効果的なバッテリーセービングが行えないという問題点があった。特に、着信呼が無線基地局に到着した順番で、各着信群の受信タイミングが割り当てられ、呼び出し信号が送信される場合には、同一のフレーム内で、同一の着信群の移動局への呼び出し信号を、２回以上送信してしまうことがあった。そのため、更に、チャネルの利用効率を悪化させてしまうという問題点があった。
しかし、上記サーバに係る発明及び移動通信システムに係る発明によれば、着信群検出手段は、エリア変更検出手段が、移動局が位置登録している位置登録エリアを変更したことを検出した場合にだけ、指定着信群を割り当てればよい。そのため、サーバ又は移動通信システムでは、チャネルを有効利用することができ、着信群検出手段の着信制御の負荷を軽減することができる。
更に、上記サーバに係る発明及び移動通信システムに係る発明において、エリア変更検出手段は、移動局の位置登録エリア変更を検出した際、移動局に割り当てられている着信群（以下「変更前着信群」という）を取得する着信群取得手段を有し、着信群検出手段は、着信群取得手段が取得した変更前着信群と、検出した指定着信群が同一か異なるかを判断し、異なる場合にのみ検出した指定着信群を移動局に割り当てることが好ましい。
これによれば、変更前着信群と指定着信群が異なり、着信群に変更がある場合にだけ、着信群検出手段が、検出した指定着信群を移動局に割り当て、変更前着信群と指定着信群が同一であり、着信群に変更がない場合には、検出した指定着信群の移動局への割り当てを省略することができる。よって、移動通信システムは、より一層、チャネルを有効利用することができる。又、移動局の作用として、余計な情報を取得する必要がないため、常に冗長な情報信号を受信せずに済むという作用がある。その結果、移動局は、受信時間の効率化によるバッテリーセービングを拡大することができる。
又、本発明に係るサーバ又は本発明に係る移動通信システムは、位置登録エリアの各着信群のタイミングにおける着信トラフィック量を測定するトラフィック量測定手段や、位置登録エリアの各着信群に属する移動局の数を測定する移動局数測定手段を備え、着信群検出手段は、トラフィック量測定手段や移動局数測定手段による測定結果に基づいて、一の着信群を検出することが好ましい。ここで、着信トラフィック量とは、着信呼の数をいう。これによって、位置登録エリアの各着信群のタイミングにおける着信トラフィック量や、位置登録エリアの各着信群に属する移動局数に基づいて、指定着信群の割り当てを行うことができる。そのため、サーバ又は移動通信システムは、特定の着信群のタイミングに、着信トラフィック負荷が集中することを防止でき、各着信群の着信トラフィック負荷の平滑化を図ることができる。又、同一のフレーム内で、同一の着信群の移動局への呼び出し信号を２回以上送信してしまうことを回避できる。よって、更に、チャネルを有効利用することができる。
又、例えば、データ通信等において、着信群の着信トラフィック量が少ない場合や、着信群に属する移動局数が少ない場合であっても、一つの着信呼に含まれるデータ量や、一つの移動局が受信するデータ量が多く、その着信群に着信トラフィック負荷が集中する場合がある。そのため、本発明に係るサーバ又は本発明に係る移動通信システムは、位置登録エリアの各着信群のタイミングで送信するデータ量を測定するデータ量測定手段を備え、着信群検出手段は、そのデータ量測定手段による測定結果に基づいて、一の着信群を検出することが好ましい。これによれば、位置登録エリアの各着信群のタイミングで送信する実際のデータ量に基づいて、指定着信群の割り当てを行うことができるため、特定の着信群のタイミングに、着信トラフィック負荷が集中することを、トラフィック量測定手段や移動局数測定手段による測定結果に基づいて一の着信群を検出する場合よりも防止でき、各着信群の着信トラフィック負荷の平滑化を、より図ることができる。
又、上記サーバに係る発明及び移動通信システムに係る発明において、着信群検出手段は、移動局が要求するサービス品質を取得する品質取得手段を備え、品質取得手段が取得したサービス品質に基づいて、一の着信群を検出することが好ましい。これによれば、サーバ又は移動通信システムは、移動局が要求するサービス品質を考慮して指定着信群の検出ができ、ＱｏＳ制御を行うことが容易となる。
又、本発明に係る移動局は、位置登録している位置登録エリアと異なる位置登録エリアに移動した場合、それを検出し、位置登録エリア変更要求を行う要求手段と、無線基地局から情報信号を受信した場合、通知された情報に従い、着信群の設定を変更する設定変更手段とを備え、要求手段により位置登録エリア変更要求を行った際、無線基地局から通知された情報の中に着信群情報が含まれている場合、設定変更手段は、着信群の設定を変更することを特徴とする。
このような本発明に係る移動局によれば、要求手段が、位置登録している位置登録エリアと異なる位置登録エリアに移動し、それを検出し、位置登録エリア変更要求を行う。又、設定変更手段が、無線基地局から情報信号を受信した場合、通知された情報に従い、着信群の設定を変更する。そして、要求手段により位置登録エリア変更要求を行った際、無線基地局から通知された情報の中に着信群情報が含まれている場合、設定変更手段が、着信群の設定を変更する。
よって、移動局は、余計な情報を取得する必要がないため、冗長な情報信号を受信せずに済む。その結果、移動局は、受信時間の効率化によるバッテリーセービングを拡大することができる。
又、設定変更手段は、着信群情報が含まれていなかった場合、位置登録エリアを変更する前に属していた着信群を継続して使用することが好ましい。これによれば、移動局は、着信群に変更がない場合には、着信群の設定の変更を行わなくてよいため、着信制御の負荷を更に軽減できる。
発明を実施するための最良の形態
以下では、本発明に係る実施形態として、（第１部）移動局がスリープ状態であると判断された場合のリンクレイヤでの制御に係る構成と処理、（第２部）移動局がアイドル状態であると判断された場合のネットワークレイヤでの制御に係る構成と処理を順に説明し、その後、（第３部）移動局の状態に応じた制御処理を説明する。
［（第１部）移動局がスリープ状態であると判断された場合のリンクレイヤでの制御に係る構成と処理］
以下、図面を参照しながら、本発明に係る呼出方法及び移動通信システムの実施形態を説明する。
［移動通信システムの構成］
図１には、第１部の実施形態に係る移動通信システムの概略構成を示す。図１に示す移動局１は、無線基地局２が形成するセル３に在圏し、セルの集合が形成する呼び出しエリア６に対応する位置登録エリアに位置登録を行う。移動局１の位置に関する情報および状態（スリープモード、切断状態等）に関する情報は、網４に接続された位置情報管理サーバ５によって管理されている。なお、以下の第１部では、呼び出しエリア６と、呼び出しエリア６に対応する位置登録エリアとが同一の例で説明する。そのため、説明を簡易にするため、以下では「呼び出しエリア６に対応する位置登録エリアに位置登録する」を、「呼び出しエリア６に位置登録する」と表記する。しかし、本発明にとって、これらは同一である必要はなく、位置情報管理サーバ５がこれらの対応関係を把握し両者を管理していれば構わない。
図２０には、本実施形態の移動通信システムの構成に関する機能ブロック図を示す。なお、図２０では図を簡略化するため、移動局１、無線基地局２をそれぞれ１つずつ記載したが、実際には、同様の構成の移動局１、無線基地局２が複数存在するものとする。
この図２０に示すように、移動局１は、無線基地局２や他の移動局１との間で無線によるパケット通信等を行う無線通信部１Ｂと、通信状態において一定期間パケットの送受信が行われない場合に無線基地局２から送信された信号を周期的に間欠受信するスリープモードに移行したり当該周期の変更等を行う間欠受信制御部１Ｃと、上記各部の動作を監視・制御する制御部１Ａとを含んで構成されている。
無線基地局２は、網４を介して位置情報管理サーバ５と通信する網通信部２Ｂと、自局配下のセル内に存在するスリープモードに移行している移動局の数と呼び出しチャネルの呼び出しトラヒックの両方又は一方を測定し該測定値を保持する測定保持部２Ｃと、移動局が新規にスリープモードに移行する場合又はスリープモードに既に移行している移動局が新たにセル内に移動してきた場合又はスリープモードに既に移行している移動局がスリープ状態を変更する場合又は無線基地局が決定した任意の場合に、保持された測定値に応じて、移動局に対し、呼び出し周期と受信タイミングの両方又は一方の変更を指示する変更指示部２Ｄと、移動局のサービスクラスを認識し該サービスクラス情報を保持する認識保持部２Ｅと、移動局１や他の無線基地局２との間で無線によるパケット通信等を行う無線通信部２Ｆと、タイマーを内蔵し上記各部の動作を監視・制御する制御部２Ａとを含んで構成されている。
位置情報管理サーバ５は、網４を介して無線基地局２と通信する網通信部５Ｂと、各々の呼び出しエリアに在圏しているスリープモードに移行している移動局の数と各々の呼び出しエリア内で呼び出しチャネルの各々の受信タイミングでの着信トラヒックの両方又は一方を測定し該測定値を保持する測定保持部５Ｃと、移動局が新規にスリープモードに移行する場合又はスリープモードに既に移行している移動局が新しい呼び出しエリアに移動してきた場合又はスリープモードに既に移行している移動局がスリープ状態を変更する場合又は位置情報管理サーバが決定した任意の場合に、保持された測定値に応じて、移動局に対し、呼び出し周期と受信タイミングの両方又は一方の変更を指示する変更指示部５Ｄと、移動局のサービスクラスを認識し該サービスクラス情報を保持する認識保持部５Ｅと、上記各部の動作を監視・制御する制御部５Ａとを含んで構成されている。
［受信タイミング、呼び出し周期及び呼び出しエリアについて］
次に、図２Ａ〜図２Ｅ、図３Ａ〜図３Ｃを用いて本実施形態における受信タイミング、呼び出し周期及び呼び出しエリアについて説明する。
図１の無線基地局２は、スリープモード中の移動局に対し、図２Ａ〜図２Ｅの呼び出し周期Ａ〜Ｅの何れかの呼び出し周期にて呼び出し信号を間欠送信しているものとし、呼び出し周期Ａに対応する周期をＴとすると、呼び出し周期Ｂの周期は２Ｔ、呼び出し周期Ｃの周期は３Ｔ、呼び出し周期Ｄの周期は４Ｔ、呼び出し周期Ｅの周期は５Ｔで、それぞれ表される。
また、各呼び出し周期には、各移動局が受信すべき受信タイミングが規定されており、例えば、呼び出し周期Ａでは受信タイミングとしてＡ１、Ａ２、Ａ３の３つがある。同様に、呼び出し周期Ｂでは受信タイミングとしてＢ１、Ｂ２、Ｂ３の３つがあり、呼び出し周期Ｃでは受信タイミングとしてＣ１、Ｃ２、Ｃ３の３つがある。また、呼び出し周期Ｄでは受信タイミングとしてＤ１、Ｄ２、Ｄ３の３つがあり、呼び出し周期Ｅでは受信タイミングとしてＥ１、Ｅ２、Ｅ３の３つがある。
更に、図３Ａ〜図３Ｃに示すように、呼び出し周期は呼び出しエリアと対応付けられている。つまり、呼び出しエリアＡは、呼び出し周期Ａに対応している。同様に、呼び出しエリアＢは、呼び出し周期Ｂに対応しており、呼び出しエリアＣは、呼び出し周期Ｃに対応している。
［本実施形態における処理動作］
以下、本実施形態における処理動作を説明する。以下では、まず、本発明の要部を成す第１の呼び出し方法と第２の呼び出し方法とを順に説明し、その後、図７〜図１３に基づき無線基地局、位置情報管理サーバ及び移動局の各々における詳細な処理動作を順に説明する。
［第１の呼び出し方法］
最初に、図４Ａ〜図４Ｄを用いて本発明に係る第１の呼び出し方法について説明する。
第１の呼び出し方法においては、セルのみを考えている。ここで、呼び出し周期には、図４Ｂ〜図４Ｄに示す３種類（呼び出し周期Ａ〜Ｃ）があり、移動局が受信すべき受信タイミングは、各呼び出し周期について３種類あるものとする。即ち、呼び出し周期Ａでは受信タイミングＡ１、Ａ２、Ａ３が対応し、呼び出し周期Ｂでは受信タイミングＢ１、Ｂ２、Ｂ３が対応し、呼び出し周期Ｃでは受信タイミングＣ１、Ｃ２、Ｃ３が対応しているものとする。
以下、▲１▼移動局が新たにスリープモードに移行する場合、▲２▼スリープモードに移行している移動局がセルを変更する場合、▲３▼移動局がスリープ状態を変更する場合、▲４▼無線基地局が任意の時点で受信タイミングを変更する場合の４つの場合の動作方法を順に説明する。
▲１▼移動局が新たにスリープモードに移行する場合
今、移動局１が、セル３Ａ内で，無線基地局２とパケットのやり取りを行っているものとする。移動局１は、パケットのやり取り終了後、スリープモード移行を判断するためのタイマを起動させる。このタイマが満了すると、移動局１は、無線基地局２に対し、スリープモードに移行する旨を通知する。
スリープモードに移行しようとしている移動局１は、まず呼び出し周期Ａで待ち受けを行うため、通知を受けた無線基地局２は、自局配下のセル３Ａ内で、呼び出し周期Ａで間欠受信を行っている移動局の数及び各受信タイミングＡ１〜Ａ３にかかっているトラヒックを、自局（無線基地局２）が持つテーブルに予め設定された所定の閾値とそれぞれ比較することで、トラヒック量を評価する。例えば、ここでのトラヒック量の評価としては、セル３Ａ内で呼び出し周期Ａの各受信タイミングＡ１〜Ａ３で間欠受信を行っている実際の移動局の数と、対応する受信タイミングに属している移動局数の平均とを比較するとともに、各受信タイミングＡ１〜Ａ３でのトラヒックと所定のトラヒック閾値とを比較することで行う。なお、評価方法はこれらに限定されるものではなく、上記以外の方法にて行ってもよい。
今、該セル３Ａ内で、受信タイミングＡ１でのトラヒックが多く、受信タイミングＡ２でのトラヒックが少ないものとすると、無線基地局２は、移動局１に対し、受信タイミングＡ２で待ち受けを行うように指示する。受信タイミングＡ２で間欠受信を行うよう指示を受けた移動局１は、呼び出し周期Ａで且つ受信タイミングＡ２にて間欠受信を行う。
また、受信タイミングＡ１〜Ａ３全ての受信タイミングにおいてトラヒックが混んでいる場合には、無線基地局２は、移動局１をスリープモードに移行させないか、又は呼び出し周期Ｂにおいてトラヒックが空いている受信タイミングＢ１〜Ｂ３の何れかを割り当てる。例えば、呼び出し周期Ｂの受信タイミングＢ２で間欠受信を行うよう指示された移動局１は、該タイミングにおいて間欠受信を行う。
▲２▼スリープモードに移行している移動局がセルを変更する場合
今、移動局１が、既にスリープモードに移行しており、最初、セル３Ｂに在圏し、その後、セル３Ａに移動してきたものとする。ここで、セル３Ｂでは、呼び出し周期Ｂで受信タイミングＢ１で間欠受信を行っていたものとする。移動局１は、やりとりする無線基地局のＩＤが変化したことを認識し、移動先のセル３Ａの無線基地局２に対し、自局はスリープモードであり、呼び出し周期Ｂで受信タイミングＢ１にて間欠受信を行っている旨を通知する。
通知を受けた無線基地局２は、該呼び出し周期Ｂにおける受信タイミングＢ１〜Ｂ３の着信トラヒックを評価する。例えば、自局配下のセル３Ａ内で、呼び出し周期Ｂで間欠受信を行っている移動局の数及び各受信タイミングＢ１〜Ｂ３にかかっているトラヒックを、自局（無線基地局２）が持つテーブルに予め設定された所定の閾値とそれぞれ比較することで、トラヒック量を評価する。ここでのトラヒック量の評価としては、セル３Ａ内で呼び出し周期Ｂの各受信タイミングＢ１〜Ｂ３で間欠受信を行っている実際の移動局の数と、対応する受信タイミングに属している移動局数の平均とを比較するとともに、各受信タイミングＢ１〜Ｂ３でのトラヒックと所定のトラヒック閾値とを比較することで行う。なお、評価方法はこれらに限定されるものではなく、上記以外の方法にて行ってもよい。
今、受信タイミングＢ１のトラヒックが空いている場合には、移動局１に対し、受信タイミングＢ１で間欠受信を行うよう通知する。移動局１は、そのまま呼び出し周期Ｂで受信タイミングＢ１で間欠受信を行う。一方、受信タイミングＢ１が混んでいる場合には、受信タイミングＢ２、Ｂ３のトラヒックを評価し、受信タイミングＢ３が空いていれば、受信タイミングＢ３で間欠受信を行うように移動局１に通知する。指示を受けた移動局１は、呼び出し周期Ｂで受信タイミングＢ３にて間欠受信を行う。
また、受信タイミングＢ１〜Ｂ３全てのタイミングが混んでいる場合には、呼び出し周期Ａ及び呼び出し周期Ｃに対応するトラヒックを上記同様の方法で評価し、呼び出し周期Ａにおける受信タイミングＡ２が空いているとすれば、該受信タイミングＡ２にて間欠受信を行うよう指示する。指示を受けた移動局１は、呼び出し周期Ａに変更し、受信タイミングＡ２にて間欠受信を行う。
▲３▼移動局がスリープ状態を変更する場合
今、移動局１が、既にスリープモードに移行しており、呼び出し周期Ａで受信タイミングＡ２にて間欠受信をしているものとする。この移動局１が、スリープモードに移行した後、スリープモード変更のためのタイマを起動させ、そのタイマが満了し、スリープ状態を変更しようとしている。つまり、呼び出し周期Ａから呼び出し周期Ｂへ変更しようとしているものとする。
移動局１は、無線基地局２に対し、上記タイマが満了し、呼び出し周期Ｂへ移行する旨を通知する。通知を受けた無線基地局２は、該呼び出し周期Ｂにおける受信タイミングＢ１〜Ｂ３の着信トラヒックを評価する。例えば、自局配下のセル３Ａ内で、呼び出し周期Ｂで間欠受信を行っている移動局の数及び各受信タイミングＢ１〜Ｂ３にかかっているトラヒックを、自局（無線基地局２）が持つテーブルに予め設定された所定の閾値とそれぞれ比較することで、トラヒック量を評価する。ここでのトラヒック量の評価としては、セル３Ａ内で呼び出し周期Ｂの各受信タイミングＢ１〜Ｂ３で間欠受信を行っている実際の移動局の数と、対応する受信タイミングに属している移動局数の平均とを比較するとともに、各受信タイミングＢ１〜Ｂ３でのトラヒックと所定のトラヒック閾値とを比較することで行う。なお、評価方法はこれらに限定されるものではなく、上記以外の方法にて行ってもよい。
その結果、受信タイミングＢ３が空いているとすると、無線基地局２は、移動局１に対し、受信タイミングＢ３にて間欠受信を行うよう指示する。指示を受けた移動局１は、呼び出し周期Ｂへ変更し、受信タイミングＢ３にて間欠受信を行う。また、上記でトラヒックを評価した結果、呼び出し周期Ｂに空きが無い（受信タイミングＢ１〜Ｂ３全てで空きが無い）場合には、移動局１を移行させないか、又は、呼び出し周期Ｃの受信タイミングＣ１〜Ｃ３でのトラヒックを評価し、何れかの受信タイミングで空きがあれば、そちらへ移行させる。
今、呼び出し周期Ｂ、Ｃにも空きが無い場合には、呼び出し周期Ａのまま移行させない旨を指示する。指示を受けた移動局１は、そのままの状態を維持する。
▲４▼無線基地局が任意の時点で受信タイミングを変更する場合
今、呼び出し周期Ｂで受信タイミングＢ２に対する着信トラヒックが急激に増加したものとする。この状態で無線基地局２は、呼び出しチャネルの圧迫を回避するため、呼び出し周期Ｂの受信タイミングＢ２で間欠受信を行っている移動局１に対し、空いている受信タイミングＢ３を通知し、指示を受けた移動局１は、受信タイミングＢ３にて間欠受信を行う。
［第２の呼び出し方法］
次に、図５Ａ〜図５Ｄを用いて本発明に係る第２の呼び出し方法について説明する。
第２の呼び出し方法においては、セルを複数まとめた呼び出しエリア構成をとっているものとする。ここで、呼び出し周期には、図５Ｂ〜図５Ｄに示す３種類（呼び出し周期Ａ〜Ｃ）があり、移動局が受信すべき受信タイミングは、各呼び出し周期について３種類あるものとする。即ち、呼び出し周期Ａでは受信タイミングＡ１、Ａ２、Ａ３が対応し、呼び出し周期Ｂでは受信タイミングＢ１、Ｂ２、Ｂ３が対応し、呼び出し周期Ｃでは受信タイミングＣ１、Ｃ２、Ｃ３が対応しているものとする。
以下、▲１▼スリープモードに移行している移動局が呼び出しエリアを変更する場合、▲２▼移動局が新たにスリープモードに移行する場合、▲３▼移動局がスリープ状態を変更する場合、▲４▼位置情報管理サーバが任意の時点で受信タイミングを変更する場合の４つの場合の動作方法を順に説明する。
▲１▼スリープモードに移行している移動局が呼び出しエリアを変更する場合
移動局１は、既にスリープモードに移行しており、呼び出しエリアＡに対応するエリアに位置登録を行っているものとし、呼び出し周期Ａの受信タイミングＡ１で受信を行っているものとする。移動局１は、移動し、呼び出しエリアＩＤがそれまでの呼び出しエリアＩＤと異なっていることを認識すると、位置登録を行う。移動局１は、位置情報管理サーバ５に対し、自局（移動局１）がスリープモードにあり、直前の呼び出しエリアＡにおいて受信タイミングＡ１で受信を行っていたことを通知する。
通知を受けた位置情報管理サーバ５は、移動先の呼び出しエリアＢ内のトラヒックを評価する。例えば、呼び出しエリアＢ内で、呼び出し周期Ｂで間欠受信を行っている移動局の数及び各受信タイミングＢ１〜Ｂ３にかかっているトラヒックを、自局（位置情報管理サーバ５）が持つテーブルに予め設定された所定の閾値とそれぞれ比較することで、トラヒック量を評価する。ここでのトラヒック量の評価としては、呼び出しエリアＢ内で呼び出し周期Ｂの各受信タイミングＢ１〜Ｂ３で間欠受信を行っている実際の移動局の数と、対応する受信タイミングに属している移動局数の平均とを比較するとともに、各受信タイミングＢ１〜Ｂ３でのトラヒックと所定のトラヒック閾値とを比較することで行う。なお、評価方法はこれらに限定されるものではなく、上記以外の方法にて行ってもよい。
評価した結果、移動先の呼び出しエリアＢにおいても、受信タイミングＢ１が空いている場合には、移動局１に対し、受信タイミングＢ１にて間欠受信を行うよう指示する。指示を受けた移動局１は、そのまま受信タイミングＢ１にて間欠受信を行う。
一方、例えば受信タイミングＢ１が混んでおり、受信タイミングＢ３が空いている場合には、移動局１に対し、受信タイミングを受信タイミングＢ３に変更するよう変更指示を行う。この変更指示を受けた移動局１は、受信タイミングＢ３にて間欠受信を行う。
また、受信タイミングＢ１〜Ｂ３全てにおいてトラヒックが混んでいる場合には、位置情報管理サーバ５は、呼び出しエリアを呼び出しエリアＢ以外に変更するよう変更指示を行う。変更指示を受けた移動局１は、該呼び出しエリアに位置登録を行う。
▲２▼移動局が新たにスリープモードに移行する場合
今、移動局１が、無線基地局２とパケットのやり取りを行っているものとする。移動局１は、パケットのやり取り終了後、スリープモード移行を判断するためのタイマを起動させる。その後、予め定められた期間、パケットの送受がなくタイマが満了すると、移動局１は、スリープモードへ移行するものとする。
移動局１は、スリープモードへ移行する旨を位置情報管理サーバ５に通知する。この通知を受けた位置情報管理サーバ５は、該移動局１が、間欠受信を行う呼び出し周期Ａに対応する呼び出しエリアＡ内のトラヒックを評価する。例えば、呼び出しエリアＡ内で、呼び出し周期Ａで間欠受信を行っている移動局の数及び各受信タイミングＡ１〜Ａ３にかかっているトラヒックを、自局（位置情報管理サーバ５）が持つテーブルに予め設定された所定の閾値とそれぞれ比較することで、トラヒック量を評価する。ここでのトラヒック量の評価としては、呼び出しエリアＡ内で呼び出し周期Ａの各受信タイミングＡ１〜Ａ３で間欠受信を行っている実際の移動局の数と、対応する受信タイミングに属している移動局数の平均とを比較するとともに、各受信タイミングＡ１〜Ａ３でのトラヒックと所定のトラヒック閾値とを比較することで行う。なお、評価方法はこれらに限定されるものではなく、上記以外の方法にて行ってもよい。
ここで、呼び出しエリアＡ内で受信タイミングＡ１でのトラヒックが空いているとすると、位置情報管理サーバ５は、移動局１に対し、受信タイミングＡ１で間欠受信を行うよう指示する。指示を受けた移動局１は、呼び出し周期Ａの受信タイミングＡ１で間欠受信を行い、呼び出しエリアＡに対応する該呼び出しエリアに位置登録を行う。
▲３▼移動局がスリープ状態を変更する場合
移動局１は、既にスリープモードに移行しているものとし、呼び出し周期Ａの受信タイミングＡ１で間欠受信を行っているものとする。また、移動局１は、呼び出し周期Ａで間欠受信を始めると同時に、スリープモード変更のためのタイマを起動させ、そのタイマが満了したものとする。
移動局１は、上記タイマが満了し、呼び出し周期Ａから呼び出し周期Ｂへ移行する旨を位置情報管理サーバ５に通知する。通知を受けた位置情報管理サーバ５は、呼び出し周期Ｂに対応する呼び出しエリア内の着信トラヒックを評価する。例えば、呼び出しエリアＢ内で、呼び出し周期Ｂで間欠受信を行っている移動局の数及び各受信タイミングＢ１〜Ｂ３にかかっているトラヒックを、自局（位置情報管理サーバ５）が持つテーブルに予め設定された所定の閾値とそれぞれ比較することで、トラヒック量を評価する。ここでのトラヒック量の評価としては、呼び出しエリアＢ内で呼び出し周期Ｂの各受信タイミングＢ１〜Ｂ３で間欠受信を行っている実際の移動局の数と、対応する受信タイミングに属している移動局数の平均とを比較するとともに、各受信タイミングＢ１〜Ｂ３でのトラヒックと所定のトラヒック閾値とを比較することで行う。なお、評価方法はこれらに限定されるものではなく、上記以外の方法にて行ってもよい。
その結果、該呼び出しエリアＢにおいて受信タイミングＢ１が空いている場合には、移動局１に対し、呼び出し周期Ｂの受信タイミングＢ１で間欠受信を行うよう指示する。移動局１は、指示された受信タイミングＢ１にて間欠受信を行う。
また、呼び出し周期Ｂの受信タイミングＢ１〜Ｂ３の全てについてトラヒックが混んでいる場合には、位置情報管理サーバ５は、そのままの呼び出し周期Ａで間欠受信を行うか又は呼び出し周期Ｃで間欠受信を行うよう指示する。この指示を受けた移動局１は、該受信タイミングにて間欠受信を行う。
▲４▼位置情報管理サーバが任意の時点で受信タイミングを変更する場合
今、呼び出しエリアＢにおいて、移動局１が呼び出し周期Ｂの受信タイミングＢ２で間欠受信を行っているときに、当該受信タイミングＢ２での着信トラヒックが急激に増加したものとする。位置情報管理サーバ５は、呼び出しチャネルの圧迫を回避するため、移動局１に対し、空いている受信タイミングＢ３を通知し、この指示を受けた移動局１は、受信タイミングＢ３にて間欠受信を行う。
なお、上記第２の呼び出し方法の変形例として、図６の態様がある。即ち、図６に示す位置情報管理サーバ５Ｚ、５Ｙ、５Ｘは、呼び出しエリアＣに対応する位置情報管理サーバ５Ｚを頂点として、呼び出しエリアの大きさが小さくなる方向に階層化されている。各々の階層において、スリープモードに移行している移動局数及びスリープモードに移行している移動局が間欠受信を行っているタイミングを認識する機能を有している。スリープモードにおいて、各階層毎に、前述した第２の呼び出し方法の処理が実行される。
このように階層構造とした上で第２の呼び出し方法の処理を実行することで、１つの位置情報管理サーバに集中していた処理を各階層で分散することができ、１つの位置情報管理サーバに過度の負荷がかかるのを回避することができる。また、負荷分散の構成とすれば、故障時に全てのシステムがダウンしてしまうといった事態を回避できる。
（１）無線基地局の第１の処理動作
図７に沿って、無線基地局２の第１の処理動作を説明する。無線基地局２は、移動局１から、新たにスリープモードへ移行する又はスリープ状態を変更する又は新たにセルに移動した旨の通知があるか否かを判断する（７０１）。ここで、移動局１からの通知が無い場合には、例えば一定時間おきに、自セル内で移動局１が間欠受信している呼び出し周期の受信タイミングでの現状のトラヒックを評価する。例えば、移動局１が当該時点で呼び出し周期Ａの受信タイミングＡ１で間欠受信しているとすると、無線基地局２は、自局配下のセル３Ａ内で呼び出し周期Ａの受信タイミングＡ１でのトラヒックを評価する（７１０）。例えば、ここでのトラヒック量の評価としては、セル３Ａ内で呼び出し周期Ａの受信タイミングＡ１で間欠受信を行っている実際の移動局の数と、受信タイミングＡ１〜Ａ３で間欠受信を行っている移動局数の平均値とを比較するとともに、受信タイミングＡ１でのトラヒックと所定のトラヒック閾値とを比較することで行う。なお、評価方法はこれらに限定されるものではなく、上記以外の方法にて行ってもよい。
上記７１０にて無線基地局２は、例えば図１４Ａ、図１４Ｂのテーブルを利用して、移動局数の平均値や着信トラヒック量を求め、トラヒックの評価を行ってもよい。図１４Ａ、図１４Ｂには無線基地局２が持つテーブルの構成例を示す。無線基地局２は、自局配下のセルに在圏しスリープモードに移行している移動局を認識するためのテーブル１４Ａを有し、このテーブル１４Ａでは、移動局の識別番号（ＭＴ１、ＭＴ２等）と、移動局が間欠受信を行っている呼び出し周期とが対応づけられて記憶されている。また、無線基地局２は、個々の呼び出し周期について自局配下のセル内で各々の受信タイミングに対応する移動局の数及び該受信タイミングにおける着信トラヒック量を管理する上で用いるテーブル１４Ｂを有し、このテーブル１４Ｂでは、各呼び出し周期毎に、当該呼び出し周期で間欠受信を行う移動局の識別番号とその受信タイミングとが対応づけられて記憶されている。
７１０でトラヒックが空いている場合は、無線基地局２は何も行わない。一方、トラヒックが混んでいる場合は、該呼び出し周期Ａの他の受信タイミングＡ２、Ａ３及び他の呼び出し周期Ｂ、Ｃにおけるトラヒックを測定する（７１１）。そして、その測定結果より、トラヒックに余裕がある受信タイミング又は呼び出し周期が存在するか否かを判断する（７１２）。ここでの各受信タイミングについての余裕有無の判断では、上記７１０でのトラヒック評価方法と同様の方法を採用することができる。
７１２でトラヒックに余裕がある受信タイミング又は呼び出し周期が存在する場合には、該受信タイミング又は呼び出し周期又はこれら両者を移動局１に通知する（７１３）。一方、トラヒックに余裕がある受信タイミング又は呼び出し周期が存在しない場合には、現状維持を移動局１に対し通知する（７０６）。
ところで、７０１で移動局１から通知があった場合には、当該通知が、移動局１が新規にスリープモードへ移行する旨の通知であるか否かを判断する（７０２）。当該通知が新規にスリープモードへ移行する旨の通知であれば、呼び出し周期Ａのある１つの受信タイミング（例えば受信タイミングＡ１）でのトラヒックを測定し（７０３）、該呼び出し周期Ａの受信タイミングＡ１にてトラヒックに余裕があるか否かを判断する（７０４）。ここでの余裕有無の判断では、上記７１０でのトラヒック評価方法と同様の方法を採用することができる。
７０４の判断にて受信タイミングＡ１でのトラヒックに余裕がある場合には、当該空いている受信タイミングＡ１を移動局１に通知する（７０５）。一方、７０４の判断にて受信タイミングＡ１でのトラヒックに余裕が無い場合には、該呼び出し周期Ａの他の受信タイミングＡ２、Ａ３及び他の呼び出し周期Ｂ、Ｃにおけるトラヒックを測定する（７１１）。そして、その測定結果より、トラヒックに余裕がある受信タイミング又は呼び出し周期が存在するか否かを判断する（７１２）。ここでの各受信タイミングについての余裕有無の判断では、上記７１０でのトラヒック評価方法と同様の方法を採用することができる。
７１２でトラヒックに余裕がある受信タイミング又は呼び出し周期が存在する場合には、該受信タイミング又は呼び出し周期又はこれら両者を移動局１に通知する（７１３）。一方、トラヒックに余裕がある受信タイミング又は呼び出し周期が存在しない場合には、現状維持を移動局１に対し通知する（７０６）。
また、７０２で移動局１からの通知が、移動局１が新規にスリープモードへ移行する旨の通知でなければ、当該通知が、移動局１がスリープ状態を変更する旨の通知であるか否かを判断する（７０７）。当該通知が、移動局１がスリープ状態を変更する旨の通知であれば、該移動局１が指定した呼び出し周期における各受信タイミングでの着信トラヒックを測定する（７０８）。ここでは、例えば、該移動局１が呼び出し周期Ａから呼び出し周期Ｂへ変更しようとしており、変更先として呼び出し周期Ｂを指定したものとする。よって、７０８では、指定された呼び出し周期Ｂの受信タイミングＢ１〜Ｂ３の各々での着信トラヒックを測定する。
そして、７０４にて該呼び出し周期Ｂの各受信タイミングにてトラヒックに余裕があるか否かを判断する（７０４）。ここでの余裕有無の判断では、上記７１０でのトラヒック評価方法と同様の方法を採用することができる。７０４の判断にて何れかの受信タイミングでのトラヒックに余裕がある場合には、当該余裕がある受信タイミングを移動局１に通知する（７０５）。一方、７０４の判断にて何れの受信タイミングでもトラヒックに余裕が無い場合には、他の呼び出し周期（残りの候補である呼び出し周期Ｃ）の各受信タイミングでのトラヒックを測定し（７１１）、その測定結果より、トラヒックに余裕がある受信タイミングが存在するか否かを判断する（７１２）。ここでの各受信タイミングについての余裕有無の判断では、上記７１０でのトラヒック評価方法と同様の方法を採用することができる。７１２でトラヒックに余裕がある受信タイミングが存在する場合には、該受信タイミングを移動局１に通知する（７１３）。一方、トラヒックに余裕がある受信タイミングが存在しない場合には、現状維持を移動局１に対し通知する（７０６）。
また、７０７で移動局１からの通知が、移動局１がスリープ状態を変更する旨の通知でなければ、当該通知が、移動局１がスリープモードであり新たなセルに移動した旨の通知であるか否かを判断する（７０９）。ここで、当該通知が、移動局１がスリープモードであり新たなセルに移動した旨の通知でなければ、７０１へ戻り、処理を繰り返す。一方、当該通知が、移動局１がスリープモードであり新たなセルに移動した旨の通知であれば、当該通知とともに移動局１により通知される呼び出し周期（即ち、移動局１がセルの移動前に間欠受信していた呼び出し周期）における各受信タイミングでの着信トラヒックを測定する（７０８）。例えば、呼び出し周期Ｂが移動局１から通知された場合は、呼び出し周期Ｂの受信タイミングＢ１〜Ｂ３の各々での着信トラヒックを測定する。
そして、７０４にて該呼び出し周期Ｂの各受信タイミングにてトラヒックに余裕があるか否かを判断する（７０４）。ここでの余裕有無の判断では、上記７１０でのトラヒック評価方法と同様の方法を採用することができる。７０４の判断にて何れかの受信タイミングでのトラヒックに余裕がある場合には、当該余裕がある受信タイミングを移動局１に通知する（７０５）。一方、７０４の判断にて何れの受信タイミングでもトラヒックに余裕が無い場合には、他の呼び出し周期（残りの候補である呼び出し周期Ｃ）の各受信タイミングでのトラヒックを測定し（７１１）、その測定結果より、トラヒックに余裕がある受信タイミングが存在するか否かを判断する（７１２）。ここでの各受信タイミングについての余裕有無の判断では、上記７１０でのトラヒック評価方法と同様の方法を採用することができる。７１２でトラヒックに余裕がある受信タイミングが存在する場合には、該受信タイミングを移動局１に通知する（７１３）。一方、トラヒックに余裕がある受信タイミングが存在しない場合には、現状維持を移動局１に対し通知する（７０６）。
上記では、無線基地局が、移動局が新規にスリープモードに移行する場合、又はスリープモードに既に移行している移動局が新たにセル内に移動してきた場合、又はスリープモードに既に移行している移動局がスリープ状態を変更する場合、又は無線基地局が決定した任意の場合に、セル内に存在するスリープモードに移行している移動局の数と呼び出しチャネルの呼び出しトラヒックの両方又は一方に応じて、移動局に対し呼び出し周期と受信タイミングの両方又は一方の変更を指示し、当該移動局が当該変更指示に基づく呼び出し周期及び受信タイミングにて間欠受信を行うため、特定の受信タイミングに着信トラヒックが集中するという問題を回避でき、それと同時に各々の受信タイミングでの着信トラヒックを平滑化できるという効果がある。
また、移動局１からの通知が無い場合でも、当該移動局１が間欠受信している呼び出し周期の受信タイミングでの現状のトラヒックを評価し、もし混んでいると無線基地局２が判断すれば、他の余裕のある受信タイミング又は呼び出し周期を探して、当該余裕のある受信タイミング又は呼び出し周期又はこれら両者を移動局１に通知し間欠受信させるため、間欠受信中の受信タイミングでの着信トラヒックが急激に増加しても、当該輻輳状態を迅速に解消することができる。
（２）無線基地局の第２の処理動作
図８に沿って、無線基地局２の第２の処理動作を説明する。無線基地局２は、移動局１から、新たにスリープモードへ移行する又はスリープ状態を変更する又は新たなセルに移動した旨の通知があるか否かを判断する（８０１）。ここで、移動局１からの通知が無い場合には、例えば一定時間おきに、自セル内で移動局１が間欠受信している呼び出し周期の受信タイミングでの現状のトラヒックを評価する。例えば、移動局１が当該時点で呼び出し周期Ａの受信タイミングＡ１で間欠受信しているとすると、無線基地局２は、自局配下のセル３Ａ内で呼び出し周期Ａの受信タイミングＡ１でのトラヒックを評価する（８１０）。例えば、ここでのトラヒック量の評価としては、セル３Ａ内で呼び出し周期Ａの受信タイミングＡ１で間欠受信を行っている実際の移動局の数と、受信タイミングＡ１〜Ａ３で間欠受信を行っている移動局数の平均値とを比較するとともに、受信タイミングＡ１でのトラヒックと所定のトラヒック閾値とを比較することで行う。なお、評価方法はこれらに限定されるものではなく、上記以外の方法にて行ってもよい。
上記８１０にて無線基地局２は、例えば図１５Ａ、図１５Ｂ、図１５Ｃのテーブルを利用して、移動局数の平均値や着信トラヒック量を求め、トラヒックの評価を行ってもよい。図１５Ａ、図１５Ｂ、図１５Ｃには無線基地局２が持つテーブルの構成例を示す。無線基地局２は、自局配下のセルに在圏しスリープモードに移行している移動局を認識するためのテーブル１５Ａを有し、このテーブル１５Ａでは、移動局の識別番号（ＭＴ１、ＭＴ２等）と、移動局が間欠受信を行っている呼び出し周期と、移動局が属するサービスクラスとが対応づけられて記憶されている。また、無線基地局２は、各サービスクラスにおいて呼び出し周期及び受信タイミングを管理するためのテーブル１５Ｂ、１５Ｃを持つ。テーブル１５Ｂでは、各呼び出し周期毎に、当該呼び出し周期で間欠受信を行う移動局の識別番号とその受信タイミングとが対応づけられて記憶されており、テーブル１５Ｃも同様に構成されている。ここでは、サービスクラスとして、処理の迅速性が強く求められるリアルタイムクラス及び処理の迅速性は求められず節電等が求められる非リアルタイムクラスが存在する例を示すが、それ以外にもクラス分けが可能なものには適用可能である。
８１０でトラヒックが空いている場合は、無線基地局２は何も行わない。一方、トラヒックが混んでいる場合は、該呼び出し周期Ａの他の受信タイミングＡ２、Ａ３及び他の呼び出し周期Ｂ、Ｃにおけるトラヒックを測定する（８１１）。そして、その測定結果より、トラヒックに余裕がある受信タイミング又は呼び出し周期が存在するか否かを判断する（８１２）。ここでの各受信タイミングについての余裕有無の判断では、上記８１０でのトラヒック評価方法と同様の方法を採用することができる。
８１２でトラヒックに余裕がある受信タイミング又は呼び出し周期が存在する場合には、サービスクラスに応じて、該受信タイミング又は呼び出し周期又はこれら両者を移動局１に通知する（８１３）。一方、トラヒックに余裕がある受信タイミング又は呼び出し周期が存在しない場合には、現状維持を移動局１に対し通知する（８０６）。
ところで、８０１で移動局１から通知があった場合には、当該通知が、移動局１が新規にスリープモードへ移行する旨の通知であるか否かを判断する（８０２）。当該通知が新規にスリープモードへ移行する旨の通知であれば、移動局１のサービスクラスを確認し、該移動局１が間欠受信を行う該サービスクラスに対応する呼び出し周期Ａのトラヒックを測定し（８０３）、該呼び出し周期のトラヒックに余裕があるか否かを判断する（８０４）。ここでの余裕有無の判断では、上記８１０でのトラヒック評価方法と同様の方法を採用することができる。
８０４の判断にて何れかの受信タイミングでのトラヒックに余裕がある場合には、サービスクラスに応じて空いている受信タイミングを移動局１に通知する（８０５）。例えば、リアルタイムクラスの場合には、呼損が生じないように、なるべくすいている受信タイミングを割り当てる。一方、８０４の判断にて何れの受信タイミングでもトラヒックに余裕が無い場合には、該呼び出し周期Ａの他の受信タイミングＡ２、Ａ３及び他の呼び出し周期Ｂ、Ｃにおけるトラヒックを測定する（８１１）。そして、その測定結果より、トラヒックに余裕がある受信タイミング又は呼び出し周期が存在するか否かを判断する（８１２）。ここでの各受信タイミングについての余裕有無の判断では、上記８１０でのトラヒック評価方法と同様の方法を採用することができる。
８１２でトラヒックに余裕がある受信タイミング又は呼び出し周期が存在する場合には、サービスクラスに応じて、該受信タイミング又は呼び出し周期又はこれら両者を移動局１に通知する（８１３）。一方、トラヒックに余裕がある受信タイミング又は呼び出し周期が存在しない場合には、現状維持を移動局１に対し通知する（８０６）。
また、８０２で移動局１からの通知が、移動局１が新規にスリープモードへ移行する旨の通知でなければ、当該通知が、移動局１がスリープ状態を変更する旨の通知であるか否かを判断する（８０７）。当該通知が、移動局１がスリープ状態を変更する旨の通知であれば、該移動局１のサービスクラスを確認し、該移動局１が指定した呼び出し周期における各受信タイミングでの着信トラヒックを測定する（８０８）。ここでは、例えば、該移動局１が呼び出し周期Ａから呼び出し周期Ｂへ変更しようとしており、変更先として呼び出し周期Ｂを指定したものとする。よって、８０８では、指定された呼び出し周期Ｂの受信タイミングＢ１〜Ｂ３の各々での着信トラヒックを測定する。
そして、８０４にて該呼び出し周期Ｂの各受信タイミングにてトラヒックに余裕があるか否かを判断する（８０４）。ここでの余裕有無の判断では、上記８１０でのトラヒック評価方法と同様の方法を採用することができる。８０４の判断にて何れかの受信タイミングでのトラヒックに余裕がある場合には、サービスクラスに応じて、当該余裕がある受信タイミングを移動局１に通知する（８０５）。一方、８０４の判断にて何れの受信タイミングでもトラヒックに余裕が無い場合には、他の呼び出し周期（残りの候補である呼び出し周期Ｃ）の各受信タイミングでのトラヒックを測定し（８１１）、その測定結果より、トラヒックに余裕がある受信タイミングが存在するか否かを判断する（８１２）。ここでの各受信タイミングについての余裕有無の判断では、上記８１０でのトラヒック評価方法と同様の方法を採用することができる。８１２でトラヒックに余裕がある受信タイミングが存在する場合には、サービスクラスに応じて、該受信タイミングを移動局１に通知する（８１３）。一方、トラヒックに余裕がある受信タイミングが存在しない場合には、現状維持を移動局１に対し通知する（８０６）。
また、８０７で移動局１からの通知が、移動局１がスリープ状態を変更する旨の通知でなければ、当該通知が、移動局１がスリープモードであり新たなセルに移動した旨の通知であるか否かを判断する（８０９）。ここで、当該通知が、移動局１がスリープモードであり新たなセルに移動した旨の通知でなければ、８０１へ戻り、処理を繰り返す。一方、当該通知が、移動局１がスリープモードであり新たなセルに移動した旨の通知であれば、該移動局１のサービスクラスを確認し、当該通知とともに移動局１により通知される呼び出し周期（即ち、移動局１がセルの移動前に間欠受信していた呼び出し周期）における各受信タイミングでの着信トラヒックを測定する（８０８）。例えば、呼び出し周期Ｂが移動局１から通知された場合は、呼び出し周期Ｂの受信タイミングＢ１〜Ｂ３の各々での着信トラヒックを測定する。
そして、８０４にて該呼び出し周期Ｂの各受信タイミングにてトラヒックに余裕があるか否かを判断する（８０４）。ここでの余裕有無の判断では、上記８１０でのトラヒック評価方法と同様の方法を採用することができる。８０４の判断にて何れかの受信タイミングでのトラヒックに余裕がある場合には、当該余裕がある受信タイミングを移動局１に通知する（８０５）。一方、８０４の判断にて何れの受信タイミングでもトラヒックに余裕が無い場合には、他の呼び出し周期（残りの候補である呼び出し周期Ｃ）の各受信タイミングでのトラヒックを測定し（８１１）、その測定結果より、トラヒックに余裕がある受信タイミングが存在するか否かを判断する（８１２）。ここでの各受信タイミングについての余裕有無の判断では、上記８１０でのトラヒック評価方法と同様の方法を採用することができる。８１２でトラヒックに余裕がある受信タイミングが存在する場合には、サービスクラスに応じて、該受信タイミングを移動局１に通知する（８１３）。一方、トラヒックに余裕がある受信タイミングが存在しない場合には、現状維持を移動局１に対し通知する（８０６）。
上記では、移動局のサービスクラスに応じて、呼び出し周期と受信タイミングの両方又は一方を設定することが可能であるため、移動局により当該サービスクラスに応じた適切な間欠受信が実現できる。例えば、サービスクラスとしては、リアルタイムクラスと非リアルタイムクラスを移動局に設定することができ、非リアルタイムクラスの移動局に対しては、呼び出し周期を長くして効果的なバッテリーセービングを行うことが可能となる。また、リアルタイムクラスの移動局に対しては、呼び出し周期を短く設定して、呼び出し遅延を極力抑えることが可能となる。
（３）位置情報管理サーバの第１の処理動作
図９に沿って、位置情報管理サーバ５の第１の処理動作を説明する。位置情報管理サーバ５は、移動局１から、新たにスリープモードへ移行する又はスリープ状態を変更する又は新たな呼び出しエリアに移動した旨の通知があるか否かを判断する（９０１）。ここで、移動局１からの通知が無い場合には、例えば一定時間おきに、配下の呼び出しエリア内で移動局１が間欠受信している呼び出し周期の受信タイミングでの現状のトラヒックを評価する。例えば、移動局１が当該時点で呼び出し周期Ａの受信タイミングＡ１で間欠受信しているとすると、無線基地局２は、配下の呼び出しエリア内で呼び出し周期Ａの受信タイミングＡ１でのトラヒックを評価する（９１０）。例えば、ここでのトラヒック量の評価としては、配下の呼び出しエリア内で呼び出し周期Ａの受信タイミングＡ１で間欠受信を行っている実際の移動局の数と、受信タイミングＡ１〜Ａ３で間欠受信を行っている移動局数の平均値とを比較するとともに、受信タイミングＡ１でのトラヒックと所定のトラヒック閾値とを比較することで行う。なお、評価方法はこれらに限定されるものではなく、上記以外の方法にて行ってもよい。
上記９１０にて位置情報管理サーバ５は、例えば図１６Ａ、図１６Ｂのテーブルを利用して、移動局数の平均値や着信トラヒック量を求め、トラヒックの評価を行ってもよい。図１６Ａ、図１６Ｂには位置情報管理サーバ５が持つテーブルの構成例を示す。位置情報管理サーバ５は、管理下の呼び出しエリア内に位置しスリープモードに移行している移動局を認識するためのテーブル１６Ａを有し、このテーブル１６Ａでは、移動局の識別番号（ＭＴ１、ＭＴ２等）と、移動局が間欠受信を行っている呼び出し周期と、位置登録を行っている呼び出しエリアとが対応づけられて記憶されている。また、位置情報管理サーバ５は、呼び出し周期毎に、移動局の位置情報を管理するとともに各々の受信タイミングに対応する移動局の数及び該受信タイミングにおける着信トラヒック量を管理する上で用いるテーブル１６Ｂを有し、このテーブル１６Ｂでは、呼び出しエリアクラス毎及び呼び出しエリア毎に、当該呼び出しエリアに対応する呼び出し周期で間欠受信を行う移動局の識別番号とその受信タイミングとが対応づけられて記憶されている。
９１０でトラヒックが空いている場合は、位置情報管理サーバ５は何も行わない。一方、トラヒックが混んでいる場合は、該呼び出し周期Ａの他の受信タイミングＡ２、Ａ３及び他の呼び出し周期Ｂ、Ｃにおけるトラヒックを測定する（９１１）。そして、その測定結果より、トラヒックに余裕がある受信タイミング又は呼び出し周期が存在するが否かを判断する（９１２）。ここでの各受信タイミングについての余裕有無の判断では、上記９１０でのトラヒック評価方法と同様の方法を採用することができる。
９１２でトラヒックに余裕がある受信タイミング又は呼び出し周期が存在する場合には、該受信タイミング又は呼び出し周期又はこれら両者を移動局１に通知する（９１３）。一方、トラヒックに余裕がある受信タイミング又は呼び出し周期が存在しない場合には、現状維持を移動局１に対し通知する（９０６）。
ところで、９０１で移動局１から通知があった場合には、当該通知が、移動局１が新規にスリープモードへ移行する旨の通知であるか否かを判断する（９０２）。当該通知が新規にスリープモードへ移行する旨の通知であれば、呼び出し周期Ａのある１つの受信タイミング（例えば受信タイミングＡ１）でのトラヒックを測定し（９０３）、該呼び出し周期Ａの受信タイミングＡ１にてトラヒックに余裕があるか否かを判断する（９０４）。ここでの余裕有無の判断では、上記９１０でのトラヒック評価方法と同様の方法を採用することができる。
９０４の判断にて受信タイミングＡ１でのトラヒックに余裕がある場合には、当該空いている受信タイミングＡ１を移動局１に通知する（９０５）。一方、９０４の判断にて受信タイミングＡ１でのトラヒックに余裕が無い場合には、該呼び出し周期Ａの他の受信タイミングＡ２、Ａ３及び他の呼び出し周期Ｂ、Ｃにおけるトラヒックを測定する（９１１）。そして、その測定結果より、トラヒックに余裕がある受信タイミング又は呼び出し周期が存在するか否かを判断する（９１２）。ここでの各受信タイミングについての余裕有無の判断では、上記９１０でのトラヒック評価方法と同様の方法を採用することができる。
９１２でトラヒックに余裕がある受信タイミング又は呼び出し周期が存在する場合には、該受信タイミング又は呼び出し周期又はこれら両者を移動局１に通知する（９１３）。一方、トラヒックに余裕がある受信タイミング又は呼び出し周期が存在しない場合には、現状維持を移動局１に対し通知する（９０６）。
また、９０２で移動局１からの通知が、移動局１が新規にスリープモードへ移行する旨の通知でなければ、当該通知が、移動局１がスリープ状態を変更する旨の通知であるか否かを判断する（９０７）。当該通知が、移動局１がスリープ状態を変更する旨の通知であれば、該移動局１が指定した呼び出し周期における各受信タイミングでの着信トラヒックを測定する（９０８）。ここでは、例えば、該移動局１が呼び出し周期Ａから呼び出し周期Ｂへ変更しようとしており、変更先として呼び出し周期Ｂを指定したものとする。よって、９０８では、指定された呼び出し周期Ｂの受信タイミングＢ１〜Ｂ３の各々での着信トラヒックを測定する。
そして、９０４にて該呼び出し周期Ｂの各受信タイミングにてトラヒックに余裕があるか否かを判断する（９０４）。ここでの余裕有無の判断では、上記９１０でのトラヒック評価方法と同様の方法を採用することができる。９０４の判断にて何れかの受信タイミングでのトラヒックに余裕がある場合には、当該余裕がある受信タイミングを移動局１に通知する（９０５）。一方、９０４の判断にて何れの受信タイミングでもトラヒックに余裕が無い場合には、他の呼び出し周期（残りの候補である呼び出し周期Ｃ）の各受信タイミングでのトラヒックを測定し（９１１）、その測定結果より、トラヒックに余裕がある受信タイミングが存在するか否かを判断する（９１２）。ここでの各受信タイミングについての余裕有無の判断では、上記９１０でのトラヒック評価方法と同様の方法を採用することができる。９１２でトラヒックに余裕がある受信タイミングが存在する場合には、該受信タイミングを移動局１に通知する（９１３）。一方、トラヒックに余裕がある受信タイミングが存在しない場合には、現状維持を移動局１に対し通知する（９０６）。
また、９０７で移動局１からの通知が、移動局１がスリープ状態を変更する旨の通知でなければ、当該通知が、移動局１がスリープモードであり新たな呼び出しエリアに移動した旨の通知であるか否かを判断する（９０９）。ここで、当該通知が、移動局１がスリープモードであり新たな呼び出しエリアに移動した旨の通知でなければ、９０１へ戻り、処理を繰り返す。一方、当該通知が、移動局１がスリープモードであり新たな呼び出しエリアに移動した旨の通知であれば、当該通知とともに移動局１により通知される呼び出し周期（即ち、移動局１が呼び出しエリアの移動前に間欠受信していた呼び出し周期）における各受信タイミングでの着信トラヒックを測定する（９０８）。例えば、呼び出し周期Ｂが移動局１から通知された場合は、呼び出し周期Ｂの受信タイミングＢ１〜Ｂ３の各々での着信トラヒックを測定する。
そして、９０４にて該呼び出し周期Ｂの各受信タイミングにてトラヒックに余裕があるか否かを判断する（９０４）。ここでの余裕有無の判断では、上記９１０でのトラヒック評価方法と同様の方法を採用することができる。９０４の判断にて何れかの受信タイミングでのトラヒックに余裕がある場合には、当該余裕がある受信タイミングを移動局１に通知する（９０５）。一方、９０４の判断にて何れの受信タイミングでもトラヒックに余裕が無い場合には、他の呼び出し周期（残りの候補である呼び出し周期Ｃ）の各受信タイミングでのトラヒックを測定し（９１１）、その測定結果より、トラヒックに余裕がある受信タイミングが存在するか否かを判断する（９１２）。ここでの各受信タイミングについての余裕有無の判断では、上記９１０でのトラヒック評価方法と同様の方法を採用することができる。９１２でトラヒックに余裕がある受信タイミングが存在する場合には、該受信タイミングを移動局１に通知する（９１３）。一方、トラヒックに余裕がある受信タイミングが存在しない場合には、現状維持を移動局１に対し通知する（９０６）。
上記では、位置情報管理サーバが、移動局が新規にスリープモードに移行する場合、又はスリープモードに既に移行している移動局がスリープ状態を変更する場合、又はスリープモードに既に移行している移動局が新しい呼び出しエリアに移動した場合、又は位置情報管理サーバが決定した任意の場合に、各々の呼び出しエリアに在圏しているスリープモードの移動局の数と、各々の呼び出しエリア内で呼び出しチャネルの各々の受信タイミングでの着信トラヒックの両方又は一方に応じて、移動局に対し、呼び出し周期と受信タイミングの両方又は一方の変更を指示し、当該移動局が当該変更指示に基づく呼び出し周期及び受信タイミングにて間欠受信を行うため、呼び出しエリア内で特定の受信タイミングに着信トラヒックが集中する問題を回避でき、それと同時に各々の受信タイミングでの着信トラヒックを平滑化できるという効果がある。
また、移動局１からの通知が無い場合でも、当該移動局１が間欠受信している呼び出し周期の受信タイミングでの現状のトラヒックを評価し、もし混んでいると位置情報管理サーバ５が判断すれば、他の余裕のある受信タイミング又は呼び出し周期を探して、当該余裕のある受信タイミング又は呼び出し周期又はこれら両者を移動局１に通知し間欠受信させるため、間欠受信中の受信タイミングでの着信トラヒックが急激に増加しても、当該輻輳状態を迅速に解消することができる。
（４）位置情報管理サーバの第２の処理動作
図１０に沿って、位置情報管理サーバ５の第２の処理動作を説明する。位置情報管理サーバ５は、移動局１から、新たにスリープモードへ移行する又はスリープ状態を変更する又は新たな呼び出しエリアに移動した旨の通知があるか否かを判断する（１００１）。ここで、移動局１からの通知が無い場合には、例えば一定時間おきに、配下の呼び出しエリア内で移動局１が間欠受信している呼び出し周期の受信タイミングでの現状のトラヒックを評価する。例えば、移動局１が当該時点で呼び出し周期Ａの受信タイミングＡ１で間欠受信しているとすると、無線基地局２は、配下の呼び出しエリア内で呼び出し周期Ａの受信タイミングＡ１でのトラヒックを評価する（１０１０）。例えば、ここでのトラヒック量の評価としては、配下の呼び出しエリア内で呼び出し周期Ａの受信タイミングＡ１で間欠受信を行っている実際の移動局の数と、受信タイミングＡ１〜Ａ３で間欠受信を行っている移動局数の平均値とを比較するとともに、受信タイミングＡ１でのトラヒックと所定のトラヒック閾値とを比較することで行う。なお、評価方法はこれらに限定されるものではなく、上記以外の方法にて行ってもよい。
上記１０１０にて位置情報管理サーバ５は、例えば図１７Ａ、図１７Ｂ、図１７Ｃのテーブルを利用して、移動局数の平均値や着信トラヒック量を求め、トラヒックの評価を行ってもよい。図１７Ａ、図１７Ｂ、図１７Ｃには位置情報管理サーバ５が持つテーブルの構成例を示す。位置情報管理サーバ５は、管理下の呼び出しエリア内に位置しスリープモードに移行している移動局を認識するためのテーブル１７Ａを有し、このテーブル１７Ａでは、移動局の識別番号（ＭＴ１、ＭＴ２等）と、移動局が間欠受信を行っている呼び出し周期と、位置登録を行っている呼び出しエリアと、移動局が属するサービスクラスとが対応づけられて記憶されている。また、位置情報管理サーバ５は、各サービスクラスにおいて呼び出し周期及び受信タイミングを管理するためのテーブル１７Ｂ、１７Ｃを持つ。テーブル１７Ｂでは、呼び出しエリアクラス毎及び呼び出しエリア毎に、当該呼び出しエリアに対応する呼び出し周期で間欠受信を行う移動局の識別番号とその受信タイミングとが対応づけられて記憶されており、テーブル１７Ｃも同様に構成されている。ここでは、サービスクラスとして、処理の迅速性が強く求められるリアルタイムクラス及び処理の迅速性は求められず節電等が求められる非リアルタイムクラスが存在する例を示すが、それ以外にもクラス分けが可能なものには適用可能である。
１０１０でトラヒックが空いている場合は、位置情報管理サーバ５は何も行わない。一方、トラヒックが混んでいる場合は、該呼び出し周期Ａの他の受信タイミングＡ２、Ａ３及び他の呼び出し周期Ｂ、Ｃにおけるトラヒックを測定する（１０１１）。そして、その測定結果より、トラヒックに余裕がある受信タイミング又は呼び出し周期が存在するか否かを判断する（１０１２）。ここでの各受信タイミングについての余裕有無の判断では、上記１０１０でのトラヒック評価方法と同様の方法を採用することができる。
１０１２でトラヒックに余裕がある受信タイミング又は呼び出し周期が存在する場合には、サービスクラスに応じて、該受信タイミング又は呼び出し周期又はこれら両者を移動局１に通知する（１０１３）。一方、トラヒックに余裕がある受信タイミング又は呼び出し周期が存在しない場合には、現状維持を移動局１に対し通知する（１００６）。
ところで、１００１で移動局１から通知があった場合には、当該通知が、移動局１が新規にスリープモードへ移行する旨の通知であるか否かを判断する（１００２）。当該通知が新規にスリープモードへ移行する旨の通知であれば、移動局１のサービスクラスを確認し、該移動局１が間欠受信を行う該サービスクラスに対応する呼び出し周期Ａのトラヒックを測定し（１００３）、該呼び出し周期のトラヒックに余裕があるか否かを判断する（１００４）。ここでの余裕有無の判断では、上記１０１０でのトラヒック評価方法と同様の方法を採用することができる。
１００４の判断にて受信タイミングＡ１でのトラヒックに余裕がある場合には、サービスクラスに応じて空いている受信タイミングを移動局１に通知する（１００５）。例えば、リアルタイムクラスの場合には、呼損が生じないように、なるべくすいている受信タイミングを割り当てる。一方、１００４の判断にて受信タイミングＡ１でのトラヒックに余裕が無い場合には、該呼び出し周期Ａの他の受信タイミングＡ２、Ａ３及び他の呼び出し周期Ｂ、Ｃにおけるトラヒックを測定する（１０１１）。そして、その測定結果より、トラヒックに余裕がある受信タイミング又は呼び出し周期が存在するか否かを判断する（１０１２）。ここでの各受信タイミングについての余裕有無の判断では、上記１０１０でのトラヒック評価方法と同様の方法を採用することができる。
１０１２でトラヒックに余裕がある受信タイミング又は呼び出し周期が存在する場合には、サービスクラスに応じて、該受信タイミング又は呼び出し周期又はこれら両者を移動局１に通知する（１０１３）。一方、トラヒックに余裕がある受信タイミング又は呼び出し周期が存在しない場合には、現状維持を移動局１に対し通知する（１００６）。
また、１００２で移動局１からの通知が、移動局１が新規にスリープモードへ移行する旨の通知でなければ、当該通知が、移動局１がスリープ状態を変更する旨の通知であるか否かを判断する（１００７）。当該通知が、移動局１がスリープ状態を変更する旨の通知であれば、該移動局１のサービスクラスを確認し、該移動局１が指定した呼び出し周期における各受信タイミングでの着信トラヒックを測定する（１００８）。ここでは、例えば、該移動局１が呼び出し周期Ａから呼び出し周期Ｂへ変更しようとしており、変更先として呼び出し周期Ｂを指定したものとする。よって、１００８では、指定された呼び出し周期Ｂの受信タイミングＢ１〜Ｂ３の各々での着信トラヒックを測定する。
そして、１００４にて該呼び出し周期Ｂの各受信タイミングにてトラヒックに余裕があるか否かを判断する（１００４）。ここでの余裕有無の判断では、上記１０１０でのトラヒック評価方法と同様の方法を採用することができる。１００４の判断にて何れかの受信タイミングでのトラヒックに余裕がある場合には、サービスクラスに応じて、当該余裕がある受信タイミングを移動局１に通知する（１００５）。一方、１００４の判断にて何れの受信タイミングでもトラヒックに余裕が無い場合には、他の呼び出し周期（残りの候補である呼び出し周期Ｃ）の各受信タイミングでのトラヒックを測定し（１０１１）、その測定結果より、トラヒックに余裕がある受信タイミングが存在するか否かを判断する（１０１２）。ここでの各受信タイミングについての余裕有無の判断では、上記１０１０でのトラヒック評価方法と同様の方法を採用することができる。１０１２でトラヒックに余裕がある受信タイミングが存在する場合には、サービスクラスに応じて、該受信タイミングを移動局１に通知する（１０１３）。一方、トラヒックに余裕がある受信タイミングが存在しない場合には、現状維持を移動局１に対し通知する（１００６）。
また、１００７で移動局１からの通知が、移動局１がスリープ状態を変更する旨の通知でなければ、当該通知が、移動局１がスリープモードであり新たな呼び出しエリアに移動した旨の通知であるか否かを判断する（１００９）。ここで、当該通知が、移動局１がスリープモードであり新たな呼び出しエリアに移動した旨の通知でなければ、１００１へ戻り、処理を繰り返す。一方、当該通知が、移動局１がスリープモードであり新たな呼び出しエリアに移動した旨の通知であれば、該移動局１のサービスクラスを確認し、当該通知とともに移動局１により通知される呼び出し周期（即ち、移動局１が呼び出しエリアの移動前に間欠受信していた呼び出し周期）における各受信タイミングでの着信トラヒックを測定する（１００８）。例えば、呼び出し周期Ｂが移動局１から通知された場合は、呼び出し周期Ｂの受信タイミングＢ１〜Ｂ３の各々での着信トラヒックを測定する。
そして、１００４にて該呼び出し周期Ｂの各受信タイミングにてトラヒックに余裕があるか否かを判断する（１００４）。ここでの余裕有無の判断では、上記１０１０でのトラヒック評価方法と同様の方法を採用することができる。１００４の判断にて何れかの受信タイミングでのトラヒックに余裕がある場合には、当該余裕がある受信タイミングを移動局１に通知する（１００５）。一方、１００４の判断にて何れの受信タイミングでもトラヒックに余裕が無い場合には、他の呼び出し周期（残りの候補である呼び出し周期Ｃ）の各受信タイミングでのトラヒックを測定し（１０１１）、その測定結果より、トラヒックに余裕がある受信タイミングが存在するか否かを判断する（１０１２）。ここでの各受信タイミングについての余裕有無の判断では、上記１０１０でのトラヒック評価方法と同様の方法を採用することができる。１０１２でトラヒックに余裕がある受信タイミングが存在する場合には、サービスクラスに応じて、該受信タイミングを移動局１に通知する（１０１３）。一方、トラヒックに余裕がある受信タイミングが存在しない場合には、現状維持を移動局１に対し通知する（１００６）。
上記では、移動局のサービスクラスに応じて、呼び出し周期と受信タイミングの両方又は一方を設定することが可能であるため、移動局により当該サービスクラスに応じた適切な間欠受信が実現できる。例えば、サービスクラスとしては、リアルタイムクラスと非リアルタイムクラスを移動局に設定することができ、非リアルタイムクラスの移動局に対しては、呼び出し周期を長くして効果的なバッテリーセービングを行うことが可能となる。また、リアルタイムクラスの移動局に対しては、呼び出し周期を短く設定して、呼び出し遅延を極力抑えることが可能となる。
（５）位置情報管理サーバの第３の処理動作
図１１に沿って、位置情報管理サーバ５の第３の処理動作を説明する。位置情報管理サーバ５は、移動局１から、新たにスリープモードへ移行する又はスリープ状態を変更する又は新たな呼び出しエリアに移動した旨の通知があるか否かを判断する（１１０１）。ここで、移動局１からの通知が無い場合には、例えば一定時間おきに、配下の呼び出しエリア内で移動局１が間欠受信している呼び出し周期の受信タイミングでの現状のトラヒックを評価する。例えば、移動局１が当該時点で呼び出し周期Ａの受信タイミングＡ１で間欠受信しているとすると、無線基地局２は、配下の呼び出しエリア内で呼び出し周期Ａの受信タイミングＡ１でのトラヒックを評価する（１１１０）。例えば、ここでのトラヒック量の評価としては、配下の呼び出しエリア内で呼び出し周期Ａの受信タイミングＡ１で間欠受信を行っている実際の移動局の数と、受信タイミングＡ１〜Ａ３で間欠受信を行っている移動局数の平均値とを比較するとともに、受信タイミングＡ１でのトラヒックと所定のトラヒック閾値とを比較することで行う。なお、評価方法はこれらに限定されるものではなく、上記以外の方法にて行ってもよい。
上記１１１０にて位置情報管理サーバ５は、例えば図１８Ａ、図１８Ｂのテーブルを利用して、移動局数の平均値や着信トラヒック量を求め、トラヒックの評価を行ってもよい。図１８Ａ、図１８Ｂには位置情報管理サーバ５が持つテーブルの構成例を示す。位置情報管理サーバ５は、管理下の呼び出しエリア内に位置しスリープモードに移行している移動局を認識するためのテーブル１８Ａを有し、このテーブル１８Ａでは、移動局の識別番号（ＭＴ１、ＭＴ２等）と、位置登録を行っている呼び出しエリアとが対応づけられて記憶されている。また、位置情報管理サーバ５は、個々の呼び出しエリアについて移動局の位置情報を管理するとともに各々の受信タイミングに対応する移動局の数及び該受信タイミングにおける着信トラヒック量を管理する上で用いるテーブル１８Ｂを有し、このテーブル１８Ｂでは、呼び出しエリア毎に、当該呼び出しエリアに対応する呼び出し周期で間欠受信を行っている移動局の識別番号とその受信タイミングとが対応づけられて記憶されている。
１１１０でトラヒックが空いている場合は、位置情報管理サーバ５は何も行わない。一方、トラヒックが混んでいる場合は、自位置情報管理サーバ５より上位又は下位の位置情報管理サーバを検索し、該呼び出し周期Ａの他の受信タイミングＡ２、Ａ３及び他の呼び出し周期Ｂ、Ｃにおけるトラヒックを測定する（１１１１）。そして、その測定結果より、トラヒックに余裕がある受信タイミング又は呼び出し周期が存在するか否かを判断する（１１１２）。ここでの各受信タイミングについての余裕有無の判断では、上記１１１０でのトラヒック評価方法と同様の方法を採用することができる。
１１１２でトラヒックに余裕がある受信タイミング又は呼び出し周期が存在する場合には、該受信タイミング又は呼び出し周期又はこれら両者を移動局１に通知すると同時に、該位置情報管理サーバに該移動局を追加する（１１１３）。一方、トラヒックに余裕がある受信タイミング又は呼び出し周期が存在しない場合には、現状維持を移動局１に対し通知する（１１０６）。
ところで、１１０１で移動局１から通知があった場合には、当該通知が、移動局１が新規にスリープモードへ移行する旨の通知であるか否かを判断する（１１０２）。当該通知が新規にスリープモードへ移行する旨の通知であれば、呼び出し周期Ａのある１つの受信タイミング（例えば受信タイミングＡ１）でのトラヒックを測定し（１１０３）、該呼び出し周期Ａの受信タイミングＡ１にてトラヒックに余裕があるか否かを判断する（１１０４）。ここでの余裕有無の判断では、上記１１１０でのトラヒック評価方法と同様の方法を採用することができる。
１１０４の判断にて受信タイミングＡ１でのトラヒックに余裕がある場合には、当該空いている受信タイミングＡ１を移動局１に通知する（１１０５）。一方、１１０４の判断にて受信タイミングＡ１でのトラヒックに余裕が無い場合には、自位置情報管理サーバ５より上位又は下位の位置情報管理サーバを検索し、該呼び出し周期Ａの他の受信タイミングＡ２、Ａ３及び他の呼び出し周期Ｂ、Ｃにおけるトラヒックを測定する（１１１１）。そして、その測定結果より、トラヒックに余裕がある受信タイミング又は呼び出し周期が存在するか否かを判断する（１１１２）。ここでの各受信タイミングについての余裕有無の判断では、上記１１１０でのトラヒック評価方法と同様の方法を採用することができる。
１１１２でトラヒックに余裕がある受信タイミング又は呼び出し周期が存在する場合には、該受信タイミング又は呼び出し周期又はこれら両者を移動局１に通知すると同時に、該位置情報管理サーバに該移動局を追加する（１１１３）。一方、トラヒックに余裕がある受信タイミング又は呼び出し周期が存在しない場合には、現状維持を移動局１に対し通知する（１１０６）。
また、１１０２で移動局１からの通知が、移動局１が新規にスリープモードへ移行する旨の通知でなければ、当該通知が、移動局１がスリープ状態を変更する旨の通知であるか否かを判断する（１１０７）。当該通知が、移動局１がスリープ状態を変更する旨の通知であれば、該移動局１が指定した呼び出し周期における各受信タイミングでの着信トラヒックを測定する（１１０８）。ここでは、例えば、該移動局１が呼び出し周期Ａから呼び出し周期Ｂへ変更しようとしており、変更先として呼び出し周期Ｂを指定したものとする。よって、１１０８では、指定された呼び出し周期Ｂの受信タイミングＢ１〜Ｂ３の各々での着信トラヒックを測定する。
そして、１１０４にて該呼び出し周期Ｂの各受信タイミングにてトラヒックに余裕があるか否かを判断する（１１０４）。ここでの余裕有無の判断では、上記１１１０でのトラヒック評価方法と同様の方法を採用することができる。１１０４の判断にて何れかの受信タイミングでのトラヒックに余裕がある場合には、当該余裕がある受信タイミングを移動局１に通知する（１１０５）。一方、１１０４の判断にて何れの受信タイミングでもトラヒックに余裕が無い場合には、自位置情報管理サーバ５より上位又は下位の位置情報管理サーバを検索し、他の呼び出し周期（残りの候補である呼び出し周期Ｃ）の各受信タイミングでのトラヒックを測定し（１１１１）、その測定結果より、トラヒックに余裕がある受信タイミングが存在するか否かを判断する（１１１２）。ここでの各受信タイミングについての余裕有無の判断では、上記１１１０でのトラヒック評価方法と同様の方法を採用することができる。１１１２でトラヒックに余裕がある受信タイミングが存在する場合には、該受信タイミングを移動局１に通知すると同時に、該位置情報管理サーバに該移動局を追加する（１１１３）。一方、トラヒックに余裕がある受信タイミングが存在しない場合には、現状維持を移動局１に対し通知する（１１０６）。
また、１１０７で移動局１からの通知が、移動局１がスリープ状態を変更する旨の通知でなければ、当該通知が、移動局１がスリープモードであり新たな呼び出しエリアに移動した旨の通知であるか否かを判断する（１１０９）。ここで、当該通知が、移動局１がスリープモードであり新たな呼び出しエリアに移動した旨の通知でなければ、１１０１へ戻り、処理を繰り返す。一方、当該通知が、移動局１がスリープモードであり新たな呼び出しエリアに移動した旨の通知であれば、当該通知とともに移動局１により通知される呼び出し周期（即ち、移動局１が呼び出しエリアの移動前に間欠受信していた呼び出し周期）における各受信タイミングでの着信トラヒックを測定する（１１０８）。例えば、呼び出し周期Ｂが移動局１から通知された場合は、呼び出し周期Ｂの受信タイミングＢ１〜Ｂ３の各々での着信トラヒックを測定する。
そして、１１０４にて該呼び出し周期Ｂの各受信タイミングにてトラヒックに余裕があるか否かを判断する（１１０４）。ここでの余裕有無の判断では、上記１１１０でのトラヒック評価方法と同様の方法を採用することができる。１１０４の判断にて何れかの受信タイミングでのトラヒックに余裕がある場合には、当該余裕がある受信タイミングを移動局１に通知する（１１０５）。一方、１１０４の判断にて何れの受信タイミングでもトラヒックに余裕が無い場合には、自位置情報管理サーバ５より上位又は下位の位置情報管理サーバを検索し、他の呼び出し周期（残りの候補である呼び出し周期Ｃ）の各受信タイミングでのトラヒックを測定し（１１１１）、その測定結果より、トラヒックに余裕がある受信タイミングが存在するか否かを判断する（１１１２）。ここでの各受信タイミングについての余裕有無の判断では、上記１１１０でのトラヒック評価方法と同様の方法を採用することができる。１１１２でトラヒックに余裕がある受信タイミングが存在する場合には、該受信タイミングを移動局１に通知すると同時に、該位置情報管理サーバに該移動局を追加する（１１１３）。一方、トラヒックに余裕がある受信タイミングが存在しない場合には、現状維持を移動局１に対し通知する（１１０６）。
上記では、１つの位置情報管理サーバに集中していた処理を各階層の位置情報管理サーバで分散するため、処理負荷を分散し１つのサーバにかかる処理負荷を削減することができる。また、故障時に全てのシステムが停止するという問題を回避できる。
（６）位置情報管理サーバの第４の処理動作
図１２に沿って、位置情報管理サーバ５の第４の処理動作を説明する。位置情報管理サーバ５は、移動局１から、新たにスリープモードへ移行する又はスリープ状態を変更する又は新たな呼び出しエリアに移動した旨の通知があるか否かを判断する（１２０１）。ここで、移動局１からの通知が無い場合には、例えば一定時間おきに、配下の呼び出しエリア内で移動局１が間欠受信している呼び出し周期の受信タイミングでの現状のトラヒックを評価する。例えば、移動局１が当該時点で呼び出し周期Ａの受信タイミングＡ１で間欠受信しているとすると、無線基地局２は、配下の呼び出しエリア内で呼び出し周期Ａの受信タイミングＡ１でのトラヒックを評価する（１２１０）。例えば、ここでのトラヒック量の評価としては、配下の呼び出しエリア内で呼び出し周期Ａの受信タイミングＡ１で間欠受信を行っている実際の移動局の数と、受信タイミングＡ１〜Ａ３で間欠受信を行っている移動局数の平均値とを比較するとともに、受信タイミングＡ１でのトラヒックと所定のトラヒック閾値とを比較することで行う。なお、評価方法はこれらに限定されるものではなく、上記以外の方法にて行ってもよい。
上記１２１０にて位置情報管理サーバ５は、例えば図１９Ａ、図１９Ｂ、図１９Ｃのテーブルを利用して、移動局数の平均値や着信トラヒック量を求め、トラヒックの評価を行ってもよい。図１９Ａ、図１９Ｂ、図１９Ｃには位置情報管理サーバ５が持つテーブルの構成例を示す。位置情報管理サーバ５は、管理下の呼び出しエリア内に位置しスリープモードに移行している移動局を認識するためのテーブル１９Ａを有し、このテーブル１９Ａでは、移動局の識別番号（ＭＴ１、ＭＴ２等）と、位置登録を行っている呼び出しエリアと、移動局が属するサービスクラスとが対応づけられて記憶されている。また、位置情報管理サーバ５は、各サービスクラスにおいて呼び出し周期及び受信タイミングを管理するためのテーブル１９Ｂ、１９Ｃを持つ。テーブル１９Ｂでは、呼び出しエリア毎に、当該呼び出しエリアに対応する呼び出し周期で間欠受信を行う移動局の識別番号とその受信タイミングとが対応づけられて記憶されており、テーブル１９Ｃも同様に構成されている。ここでは、サービスクラスとして、処理の迅速性が強く求められるリアルタイムクラス及び処理の迅速性は求められず節電等が求められる非リアルタイムクラスが存在する例を示すが、それ以外にもクラス分けが可能なものには適用可能である。
１２１０でトラヒックが空いている場合は、位置情報管理サーバ５は何も行わない。一方、トラヒックが混んでいる場合は、自位置情報管理サーバ５より上位又は下位の位置情報管理サーバを検索し、該呼び出し周期Ａの他の受信タイミングＡ２、Ａ３及び他の呼び出し周期Ｂ、Ｃにおけるトラヒックを測定する（１２１１）。そして、その測定結果より、トラヒックに余裕がある受信タイミング又は呼び出し周期が存在するか否かを判断する（１２１２）。ここでの各受信タイミングについての余裕有無の判断では、上記１２１０でのトラヒック評価方法と同様の方法を採用することができる。
１２１２でトラヒックに余裕がある受信タイミング又は呼び出し周期が存在する場合には、サービスクラスに応じて該受信タイミング又は呼び出し周期又はこれら両者を移動局１に通知すると同時に、該位置情報管理サーバに該移動局を追加する（１２１３）。一方、トラヒックに余裕がある受信タイミング又は呼び出し周期が存在しない場合には、現状維持を移動局１に対し通知する（１２０６）。
ところで、１２０１で移動局１から通知があった場合には、当該通知が、移動局１が新規にスリープモードへ移行する旨の通知であるか否かを判断する（１２０２）。当該通知が新規にスリープモードへ移行する旨の通知であれば、移動局１のサービスクラスを確認し、該移動局１が間欠受信を行う該サービスクラスに対応する呼び出し周期Ａのトラヒックを測定し（１２０３）、該呼び出し周期のトラヒックに余裕があるか否かを判断する（１２０４）。ここでの余裕有無の判断では、上記１２１０でのトラヒック評価方法と同様の方法を採用することができる。
１２０４の判断にて受信タイミングＡ１でのトラヒックに余裕がある場合には、サービスクラスに応じて空いている受信タイミングを移動局１に通知する（１２０５）。例えば、リアルタイムクラスの場合には、呼損が生じないように、なるべくすいている受信タイミングを割り当てる。一方、１２０４の判断にて受信タイミングＡ１でのトラヒックに余裕が無い場合には、自位置情報管理サーバ５より上位又は下位の位置情報管理サーバを検索し、該呼び出し周期Ａの他の受信タイミングＡ２、Ａ３及び他の呼び出し周期Ｂ、Ｃにおけるトラヒックを測定する（１２１１）。そして、その測定結果より、トラヒックに余裕がある受信タイミング又は呼び出し周期が存在するか否かを判断する（１２１２）。ここでの各受信タイミングについての余裕有無の判断では、上記１２１０でのトラヒック評価方法と同様の方法を採用することができる。
１２１２でトラヒックに余裕がある受信タイミング又は呼び出し周期が存在する場合には、サービスクラスに応じて該受信タイミング又は呼び出し周期又はこれら両者を移動局１に通知すると同時に、該位置情報管理サーバに該移動局を追加する（１２１３）。一方、トラヒックに余裕がある受信タイミング又は呼び出し周期が存在しない場合には、現状維持を移動局１に対し通知する（１２０６）。
また、１２０２で移動局１からの通知が、移動局１が新規にスリープモードへ移行する旨の通知でなければ、当該通知が、移動局１がスリープ状態を変更する旨の通知であるか否かを判断する（１２０７）。当該通知が、移動局１がスリープ状態を変更する旨の通知であれば、該移動局１のサービスクラスを確認し、該移動局１が指定した呼び出し周期における各受信タイミングでの着信トラヒックを測定する（１２０８）。ここでは、例えば、該移動局１が呼び出し周期Ａから呼び出し周期Ｂへ変更しようとしており、変更先として呼び出し周期Ｂを指定したものとする。よって、１２０８では、指定された呼び出し周期Ｂの受信タイミングＢ１〜Ｂ３の各々での着信トラヒックを測定する。
そして、１２０４にて該呼び出し周期Ｂの各受信タイミングにてトラヒックに余裕があるか否かを判断する（１２０４）。ここでの余裕有無の判断では、上記１２１０でのトラヒック評価方法と同様の方法を採用することができる。１２０４の判断にて何れかの受信タイミングでのトラヒックに余裕がある場合には、サービスクラスに応じて、当該余裕がある受信タイミングを移動局１に通知する（１２０５）。一方、１２０４の判断にて何れの受信タイミングでもトラヒックに余裕が無い場合には、自位置情報管理サーバ５より上位又は下位の位置情報管理サーバを検索し、他の呼び出し周期（残りの候補である呼び出し周期Ｃ）の各受信タイミングでのトラヒックを測定し（１２１１）、その測定結果より、トラヒックに余裕がある受信タイミングが存在するか否かを判断する（１２１２）。ここでの各受信タイミングについての余裕有無の判断では、上記１２１０でのトラヒック評価方法と同様の方法を採用することができる。１２１２でトラヒックに余裕がある受信タイミングが存在する場合には、サービスクラスに応じて該受信タイミングを移動局１に通知すると同時に、該位置情報管理サーバに該移動局を追加する（１２１３）。一方、トラヒックに余裕がある受信タイミングが存在しない場合には、現状維持を移動局１に対し通知する（１２０６）。
また、１２０７で移動局１からの通知が、移動局１がスリープ状態を変更する旨の通知でなければ、当該通知が、移動局１がスリープモードであり新たな呼び出しエリアに移動した旨の通知であるか否かを判断する（１２０９）。ここで、当該通知が、移動局１がスリープモードであり新たな呼び出しエリアに移動した旨の通知でなければ、１２０１へ戻り、処理を繰り返す。一方、当該通知が、移動局１がスリープモードであり新たな呼び出しエリアに移動した旨の通知であれば、該移動局１のサービスクラスを確認し、当該通知とともに移動局１により通知される呼び出し周期（即ち、移動局１が呼び出しエリアの移動前に間欠受信していた呼び出し周期）における各受信タイミングでの着信トラヒックを測定する（１２０８）。例えば、呼び出し周期Ｂが移動局１から通知された場合は、呼び出し周期Ｂの受信タイミングＢ１〜Ｂ３の各々での着信トラヒックを測定する。
そして、１２０４にて該呼び出し周期Ｂの各受信タイミングにてトラヒックに余裕があるか否かを判断する（１２０４）。ここでの余裕有無の判断では、上記１２１０でのトラヒック評価方法と同様の方法を採用することができる。１２０４の判断にて何れかの受信タイミングでのトラヒックに余裕がある場合には、当該余裕がある受信タイミングを移動局１に通知する（１２０５）。一方、１２０４の判断にて何れの受信タイミングでもトラヒックに余裕が無い場合には、自位置情報管理サーバ５より上位又は下位の位置情報管理サーバを検索し、他の呼び出し周期（残りの候補である呼び出し周期Ｃ）の各受信タイミングでのトラヒックを測定し（１２１１）、その測定結果より、トラヒックに余裕がある受信タイミングが存在するか否かを判断する（１２１２）。ここでの各受信タイミングについての余裕有無の判断では、上記１２１０でのトラヒック評価方法と同様の方法を採用することができる。１２１２でトラヒックに余裕がある受信タイミングが存在する場合には、サービスクラスに応じて該受信タイミングを移動局１に通知すると同時に、該位置情報管理サーバに該移動局を追加する（１２１３）。一方、トラヒックに余裕がある受信タイミングが存在しない場合には、現状維持を移動局１に対し通知する（１２０６）。
上記では、移動局により当該サービスクラスに応じた適切な間欠受信が実現できるとともに、１つの位置情報管理サーバに集中していた処理を各階層の位置情報管理サーバで分散するため、処理負荷を分散し１つのサーバにかかる処理負荷を削減することができる。また、故障時に全てのシステムが停止するという問題を回避できる。
（７）移動局の処理動作
図１３に沿って、移動局１の処理動作を説明する。移動局１は、自局内の所定のタイマ（スリープモード移行判断用タイマ）が満了し新たにスリープモードへ移行する移行要求が発生しているか否かを判断する（１３０１）。
ここで、新たにスリープモードへの移行要求が発生している場合は、無線基地局２又は位置情報管理サーバ５から受信タイミングのみを通知されたか否かを判断する（１３０４）。受信タイミングのみ通知された場合には、移動局１は、受信タイミングを該通知された番号（指定番号）に変更し（１３０６）、予め定めたデフォルトの呼び出し周期（例えば呼び出し周期Ａ）で該変更後の受信タイミングにて間欠受信を行う（１３０８）。一方、１３０４で受信タイミングだけでなく呼び出し周期に関しても通知された場合には、移動局１は、受信タイミング及び呼び出し周期を、それぞれ該通知された受信タイミング及び呼び出し周期に変更し（１３０５）、該変更後の呼び出し周期及び受信タイミングにて間欠受信を行う（１３０８）。
１３０１で、新たにスリープモードへの移行要求が発生していない場合は、既にスリープモードに移行済みでスリープ状態を変更する変更要求が発生しているか否かを判断する（１３０２）。
ここで、スリープモードの変更要求が発生している場合は、無線基地局２又は位置情報管理サーバ５から受信タイミングのみを通知されたか否かを判断する（１３０４）。受信タイミングのみ通知された場合には、移動局１は、受信タイミングを該通知された番号（指定番号）に変更し（１３０６）、予め定めたデフォルトの呼び出し周期（例えば呼び出し周期Ａ）で該変更後の受信タイミングにて間欠受信を行う（１３０８）。一方、１３０４で受信タイミングだけでなく呼び出し周期に関しても通知された場合には、移動局１は、受信タイミング及び呼び出し周期を、それぞれ該通知された受信タイミング及び呼び出し周期に変更し（１３０５）、該変更後の呼び出し周期及び受信タイミングにて間欠受信を行う（１３０８）。
１３０２で、スリープモードの変更要求が発生していない場合は、自局（移動局１）が新規のセル内又は新規の呼び出しエリア内へ移動してきたか否かを判断する（１３０３）。なお、前述した図６のように複数の位置情報管理サーバ５Ｚ、５Ｙ、５Ｘが、呼び出しエリアＣに対応する位置情報管理サーバ５Ｚを頂点として、呼び出しエリアの大きさが小さくなる方向に階層化されたシステム構成の場合は、自局（移動局１）が新規の位置情報管理サーバ配下へ移動してきた場合も、１３０３では肯定判断されるものとする。
ここで、新規のセル内又は新規の位置情報管理サーバ配下へ移動してきた場合は、無線基地局２又は位置情報管理サーバ５から受信タイミングのみを通知されたか否かを判断する（１３０４）。受信タイミングのみ通知された場合には、移動局１は、受信タイミングを該通知された番号（指定番号）に変更し（１３０６）、予め定めたデフォルトの呼び出し周期（例えば呼び出し周期Ａ）で該変更後の受信タイミングにて間欠受信を行う（１３０８）。一方、１３０４で受信タイミングだけでなく呼び出し周期に関しても通知された場合には、移動局１は、受信タイミング及び呼び出し周期を、それぞれ該通知された受信タイミング及び呼び出し周期に変更し（１３０５）、該変更後の呼び出し周期及び受信タイミングにて間欠受信を行う（１３０８）。
なお、１３０１、１３０２、１３０３の何れでも否定判断された場合は、それまでの呼び出し周期及び受信タイミングを維持し（１３０７）、当該呼び出し周期及び受信タイミングにて間欠受信を行う（１３０８）。
上記の移動局の動作により、無線基地局又は位置情報管理サーバからの呼び出し周期と受信タイミングの両方又は一方に関する変更指示に基づく呼び出し周期及び受信タイミングによる間欠受信、又は該移動局のサービスクラスに応じた適切な間欠受信が実現されることとなる。
［（第２部）移動局がアイドル状態であると判断された場合のネットワークレイヤでの制御に係る構成と処理］
［第１実施形態］
以下、第２部の第１実施形態について、図面を参照しながら説明する。
（移動通信システム及び各装置の構成）
移動通信システムの構成を図１に示す。移動通信システムは、位置情報管理サーバ５と、通信網４と、複数の移動局１と、複数の無線基地局２とから構成される。位置情報管理サーバ５は、通信網４に接続され、移動局１の位置に関する位置情報や、移動局１に割り当てられている着信群に関する着信群情報を管理する。又、位置情報管理サーバ５は、各移動局１に、呼び出し信号を受信すべきタイミングの指定着信群の割り当てや、移動局１への指定着信群の通知等を行う。位置情報管理サーバ５は、通信網４及び無線基地局２を介して、移動局１と信号の送受信を行う。なお、「着信群」とは、第１部における「呼び出し周期」と「受信タイミング」の組合せに相当する。但し、以下の第２部では呼び出し周期が一定の場合について説明するため、「着信群」は受信タイミングに相当することとなる。
通信網４には、位置情報管理サーバ５、複数の無線基地局２が接続され、通信網４は、位置情報管理サーバ５と無線基地局２との間の通信や、無線基地局２同士の通信を中継する。無線基地局２は、セル３と呼ばれる無線エリアを形成し、セル３内に在圏する移動局１と無線回線を設定して、通信を行う。無線基地局２は、自局がカバーするセル３に在圏する複数の待ち受け状態の移動局１に、着信群毎に定められたタイミングで、周期的に呼び出し信号を送信する。セル３は複数集合して位置登録エリア６を形成する。又、無線基地局２は、自局が属している位置登録エリアの位置登録エリアＩＤを含む制御信号を、定期的に移動局１に送信している。これにより移動局１が位置登録エリアの変更を検出できる。尚、位置登録エリアＩＤとは、位置登録エリア６を識別するための各位置登録エリア６に固有の文字や記号、数字である。又、無線基地局２は、位置登録エリアＩＤではなく、基地局ＩＤを送信するようにしてもよい。これによっても、移動局１は位置登録エリアの変更を検出できる。又、無線基地局２は、通信網４と接続され、セル３内に在圏する移動局１から送信される位置情報管理サーバ５への信号や他の移動局１への信号を中継する。又、無線基地局２は、通信網４を介して位置情報管理サーバ５との間で信号の送受信を行う。
移動局１は、自局が在圏するセル３が属する位置登録エリア６に位置登録を行い、無線基地局２を介して通信を行う。移動局１は、割り当てられた着信群に属し、待ち受け状態のときに、その着信群のタイミングで、呼び出し信号を間欠的に受信する間欠受信を行う。
次に、図２１Ａ〜図２１Ｃを用いて、位置情報管理サーバ５及び移動局１について、より詳細に説明する。図２１Ａにおいては、位置登録エリアＡ、位置登録エリアＢという２つの位置登録エリアを用いて説明する。尚、図示されていないが、位置登録エリアは、位置登録エリアＡ、位置登録エリアＢだけでなく、位置登録エリアＣ、位置登録エリアＤというように、多数存在する。又、移動局１は、最初、位置登録エリアＡに位置登録されており、位置登録エリアＡに含まれるセルをカバーする無線基地局２ａと無線回線を設定して通信を行っている。ここで、移動局１が、位置登録エリアＡから位置登録エリアＢの方向へ移動して、位置登録エリアＢに含まれるセルをカバーする無線基地局２ｂとの間の無線回線に切り替えて、通信を行うとする。尚、図２１Ａでは、各位置登録エリアに設けられている無線基地局２ａ、２ｂは、１つずつしか図示されていないが、実際には、複数存在する。又、図２１Ａにおける位置登録エリアＡの着信群は、図２１Ｂに示す着信群８ａであり、位置登録エリアＢの着信群は、図２１Ｃに示す着信群８ｂである。各着信群には、着信群を識別するための各着信群に固有の番号である着信群番号が付与されている。図２１Ａの場合、移動局１は、変更前の位置登録エリアＡにおいて、図２１Ｂに示す着信群番号が１である着信群９ａに属している。
まず、位置情報管理サーバ５について説明する。位置情報管理サーバ５は、網インタフェース２１と、測定部２２と、制御部２３と、データベース２４とから構成される。網インタフェース２１は、通信網４、測定部２２、制御部２３と接続されている。網インタフェース２１は、移動局１が位置登録している位置登録エリアを変更したことを検出するエリア変更検出手段である。又、網インタフェース２１は、移動局１の位置登録エリア変更を検出した際、その移動局に割り当てられている変更前着信群を取得する着信群取得手段を有する。具体的には、網インタフェース２１は、移動局１からの位置登録要求の信号１０を、無線基地局２ｂ、通信網４を介して受信する。この位置登録要求の信号１０には、位置登録エリアＢに移動局１を位置登録する位置登録エリア変更要求と、移動局１が、変更する前の位置登録エリアである位置登録エリアＡにおいて属していた変更前着信群である着信群９ａの着信群番号「１」が含まれている。よって、網インタフェース２１は、位置登録要求の信号１０を受信することにより、移動局１が位置登録されている位置登録エリアの変更が発生したことや、変更前着信群を取得できる。そして、網インタフェース２１は、制御部２３に、受信した位置登録要求の信号１０を伝送する。
又、網インタフェース２１は、制御部２３が位置登録エリアの変更を行う移動局１に割り当てた指定着信群を、通知する通知手段としても機能する。具体的には、網インタフェース２１は、制御部２３の制御に基づいて、指定着信群の通知を行う。網インタフェース２１は、移動局１に割り当てた着信群番号を含む情報信号１１を取得する。網インタフェース２１は、通信網４、無線基地局２ｂを介して、移動局１に、情報信号１１を送信して、制御部２３が割り当てた位置登録エリアＢで属すべき指定着信群を、移動局１に通知する。
データベース２４は、移動局１に関する位置情報や、移動局１に関する着信群情報を保持する保持手段である。データベース２４は、位置管理テーブル２４ａと、着信群管理テーブル２４ｂと、測定結果テーブル２４ｃとから構成される。図２２Ａ〜図２２Ｃに、データベース２４のより詳細な構成を示す。図２２Ａに示す位置管理テーブル２４ａは、各移動局１の移動局ＩＤと、各移動局１が位置登録を行っている位置登録エリアを示す位置登録エリアＩＤの情報とを対応付けて、保持している。
又、図２２Ｂに示す着信群管理テーブル２４ｂは、位置登録エリア毎の領域に分かれている。着信群管理テーブル２４ｂは、位置登録エリア毎に、その位置登録エリアに位置登録を行っている移動局１の移動局ＩＤと、その移動局１に割り当てられている指定着信群の着信群番号を対応付けて、保持している。更に、着信群管理テーブル２４ｂは、測定部２２が、着信群に属する移動局１の数や、各着信群における着信トラフィック量やデータ量を認識し、管理する。図２２Ｃに示す測定結果テーブル２４ｃは、測定部２２による測定結果を保持する。測定結果テーブル２４ｃは、着信群番号と、その着信群番号の着信群に関する測定結果を対応付けて保持している。尚、図２２Ｃでは、測定結果の一例として、各着信群における着信トラフィック量を保持しているが、測定結果テーブル２４ｃは、他にも測定結果として、着信群に属する移動局１の数や、各着信群のタイミングで送信するデータ量等を保持する。
測定部２２は、各位置登録エリアの各着信群のタイミングにおける着信トラフィック量を測定するトラフィック量測定手段である。又、測定部２２は、各位置登録エリアの各着信群に属する移動局１の数を測定する移動局数測定手段としても機能する。又、測定部２２は、各位置登録エリアの各着信群のタイミングで送信するデータ量を測定するデータ量測定手段としても機能する。測定部２２は、網インタフェース２１、制御部２３、データベース２４と接続している。以下に、位置登録エリアＢにおけるトラフィック測定処理例を示す。
例えば、測定部２２は、位置登録エリアＢに位置登録を行っている複数の移動局１に宛てられた着信呼の数を監視し、位置登録エリアＢの各着信群のタイミングにおける着信トラフィック量を測定する。例えば、測定部２２は、位置登録エリアＢに含まれるセル３をカバーする複数の無線基地局２ｂについて、各無線基地局２ｂに一定期間に到着した着信呼の数や、そのとき各無線基地局２ｂのバッファに溜まっている着信呼の数等を、着信呼の宛先の移動局１毎に常時もしくは定期的に測定する。これにより、測定部２２は、移動局１毎の着信呼の数を把握する。次に、測定部２２は、着信群管理テーブル２４ｂを参照し、各移動局１が属する着信群を把握する。そして、測定部２２は、受信した移動局１毎の着信呼の数と、各移動局１が属する着信群から、各着信群の着信呼の数を求める。これにより、測定部２２は、着信呼の数を着信群毎に監視することができる。又、測定部２２は、他の方法により、各着信群の着信トラフィック量を測定するようにしてもよい。
又、測定部２２は、位置登録エリアＢで待ち受けを行っている複数の移動局１の数を、着信群毎に常時もしくは定期的に監視することにより、位置登録エリアＢの各着信群に属する移動局１の数を測定することができる。例えば、測定部２２は、着信群管理テーブル２４ｂを参照し、位置登録エリア毎、着信群毎に、移動局１の数を数えることにより、位置登録エリアＢに属する移動局１の数を着信群毎に監視できる。又、測定部２２は、他の方法により、各着信群に属する移動局１の数を測定するようにしてもよい。
又、測定部２２は、位置登録エリアＢに位置登録を行っている複数の移動局１に宛てられた着信呼のデータ量を、着信群毎に常時もくしは定期的に監視することにより、位置登録エリアＢの各着信群のタイミングで送信するデータ量を測定する。尚、着信呼のデータ量は、着信呼に含まれるパケット数等で把握することができる。例えば、測定部２２は、位置登録エリアＢに含まれるセル３をカバーする複数の無線基地局２ｂについて、各無線基地局２ｂに一定期間に到着した着信呼のパケット数等のデータ量や、そのとき各無線基地局２ｂのバッファに溜まっている着信呼のパケット数のデータ量等を、着信呼の宛先の移動局１毎に測定する。これにより、測定部２２は、移動局１毎の着信呼のデータ量を把握する。次に、測定部２２は、着信群管理テーブル２４ｂを参照し、各移動局１が属する着信群を把握する。そして、測定部２２は、受信した移動局１毎の着信呼のパケット数等のデータ量と、各移動局１が属する着信群から、各着信群の着信呼のパケット数等のデータ量を求める。これにより、測定部２２は、着信呼のデータ量を着信群毎に監視することができる。又、測定部２２は、他の方法により、各着信群で送信するデータ量を測定するようにしてもよい。
測定部２２は、測定した位置登録エリアＢにおける各着信群の着信トラフィック量、移動局１の数、移動局１あての着信呼のデータ量等の測定結果と、着信群番号とを、制御部２３に通知する。又、測定部２２は、測定した位置登録エリアＢにおける各着信群のトラフィック量、移動局１の数、移動局１あての着信呼のデータ量等の測定結果と、着信群番号とを測定結果テーブル２４ｃに記録する。測定部２２は、定期的に測定を行う場合には、定期的に測定結果テーブル２４ｃのトラフィック量、移動局１の数、移動局１あての着信呼のデータ量を更新する。又、制御部２３が着信群の割り当てを行う際に測定部２２が測定を行う場合には、測定結果テーブル２４ｃは、次の測定まで測定結果を保持していてもよく、一定時間経過後に破棄するようにしてもよい。
制御部２３は、網インタフェース２１、測定部２２、データベース２４と接続されている。制御部２３は、複数の着信群の中から、所定の情報に基づいて指定着信群を検出する着信群検出手段である。網インタフェース２１により、移動局１が位置登録エリアを変更したことを検出した場合、制御部２３は、検出した指定着信群を移動局１に割り当てる。即ち、制御部２３は、移動局１が位置登録エリアを変更した際に、その移動局１に対して、指定着信群の割り当てを行う。
具体的には、網インタフェース２１が、位置登録要求の信号１０を受信し、制御部２３に伝送し、制御部２３がその信号を取得することにより、網インタフェース２１が位置登録エリアの変更の発生を検出する。この際、制御部２３は、位置登録要求の信号１０から、位置情報を変更する位置登録エリアの位置登録エリアＩＤと、移動局１の着信群の着信群番号とを取得する。
制御部２３は、測定部２２から測定結果の通知を受け、その測定結果に基づいて位置登録エリアＢにおける指定着信群を検出する。この場合、制御部２３は、位置登録エリアＢの各着信群における着信トラフィック量に基づいて、指定着信群を検出する。例えば、制御部２３は、位置登録エリアＢの着信群の中で、着信トラフィック量が少ない着信群を選択し、当該着信群を指定着信群として検出する。又、制御部２３は、位置登録エリアＢの各着信群に属する移動局１の数に基づいて、指定着信群を検出する。例えば、制御部２３は、位置登録エリアＢの着信群の中で、属している移動局の数が少なく、更に、待ち受けを行っている移動局の数が少ない着信群を選択し、当該着信群を指定着信群として検出する。又、制御部２３は、変更先の位置登録エリアＢの各着信群のタイミングで送信するデータ量に基づいて、指定着信群を検出する。例えば、制御部２３は、位置登録エリアＢの着信群の中で、送信するデータ量が少ない着信群を選択し、当該着信群を指定着信群として検出する。このように、制御部２３は、着信トラフィック量、移動局１の数、各着信群のタイミングで送信するデータ量のいずれか１つに基づいて、着信群を選択してもよく、着信トラフィック量、移動局１の数、各着信群のタイミングで送信するデータ量のいずれか２つ、又は、全てに基づいて、着信群を選択し、当該着信群を指定着信群として検出してもよい。
図２１Ａの場合、上記したように、移動局１は、変更前の位置登録エリアＡにおいて、着信群番号が「１」である着信群９ａ（図２１Ｂ参照）に属している。ここで、位置登録エリアＢでは、着信群番号が「１」の着信群の着信トラフィック量が大きく、着信群番号が「２」の着信群の着信トラフィック量が小さい場合を想定する。この場合、制御部２３は、位置登録エリアＢにおける指定着信群として、着信群番号「２」の着信群を選択し、当該着信群を指定着信群として検出する。
尚、制御部２３は、測定部２２から、定期的に、各位置登録エリアについての測定結果の通知を受けるようにしてもよい。又、制御部２３は、着信群の割り当てを行う際に、各位置登録エリアについて、着信トラフィック量、移動局１の数、移動局１あての着信呼のデータ量等を測定するように測定部２２に指示をし、測定結果の通知を受けるようにしてもよい。尚、この場合には、制御部２３は、測定部２２に、測定させる項目の種類を指定して指示をする。即ち、制御部２３は、着信トラフィック量、移動局１の数、移動局１あての着信呼のデータ量のいずれか１つ、又は２つ以上、或いは全てを測定するよう指定して、指示をする。
又、制御部２３は、網インタフェース２１の制御も行う。制御部２３は、位置登録エリアＢにおける指定着信群を検出すると、その指定着信群の着信群番号と、網インタフェース２１から伝送された位置登録要求の信号１０に含まれていた変更前着信群の着信群番号とが同一であるか異なるかを判断する。制御部２３は、変更前着信群と指定着信群の着信群番号が異なり、着信群に変更がある場合には、検出した指定着信群を、移動局１に割り当てる。そして、制御部２３は、移動局１の移動局ＩＤと対応付けて、割り当てた指定着信群の着信群番号を含む情報信号１１を網インタフェース２１に伝送し、移動局１に位置登録完了通知と共に着信群変更を指示する。一方、制御部２３は、変更前着信群と指定着信群の着信群番号が同一であり、着信群に変更がない場合には、検出した指定着信群を、移動局１に割り当てず、網インタフェース２１に対して何も指示は行わない。よって、この場合には、網インタフェース２１は、移動局１に指定着信群の着信群番号の通知を行わず、移動局１へ位置登録完了通知のみ行う。
図２１Ａの場合、変更前着信群である着信群が着信群番号「１」であり、指定着信群である着信群の着信群番号「２」とは異なると判断し、着信群に変更があると判断する。そのため、制御部２３は、検出した指定着信群を移動局１に割り当て、割り当てた指定着信群の着信群番号「２」を含む情報信号１１を網インタフェース２１に伝送し、移動局１に位置登録完了通知と共に着信群変更を指示する。
又、制御部２３は、移動局１に位置登録エリアＢにおける指定着信群を割り当てると、指定着信群の着信群番号を着信群管理テーブル２４ｂに追加して、記録する。具体的には、制御部２３は、着信群管理テーブル２４ｂの位置登録エリアＢの領域に、指定着信群を割り当てた移動局１の移動局ＩＤと対応付けて、指定着信群である着信群の着信群番号「２」を記録する。このようにして、制御部２３は、移動局１の移動局ＩＤと、その移動局１が属している着信群の着信群番号との関係を登録し、着信群管理テーブル２４ｂを自動的に作成する。
又、制御部２３は、位置登録要求の信号１０を取得すると、その信号に含まれる変更先の位置登録エリアの位置登録エリアＩＤを位置管理テーブル２４ａに記録し、位置登録を行う。具体的には、制御部２３は、位置管理テーブル２４ａに、位置登録要求をしてきた移動局１の移動局ＩＤと対応付けて、位置登録エリアＢの位置登録エリアＩＤを記録する。このようにして、制御部２３は、移動局１の移動局ＩＤと、その移動局１が属している位置登録エリアの位置登録エリアＩＤとの関係を登録し、位置管理テーブル２４ａを作成して、移動局１の位置情報を管理する。
次に、移動局１について説明する。図２１Ａに示すように、移動局１は、無線部４１と制御部４２とから構成され、無線部４１と制御部４２は接続されている。無線部４１は、位置登録している位置登録エリアと異なる位置登録エリアに移動した場合、それを検出し、位置登録エリア変更要求を行う要求手段である。又、無線部４１は、無線基地局２ａ、２ｂから情報信号を受信し、通知された情報の中から、新たな位置登録エリアで呼び出し信号を受信すべきタイミングの着信群を取得する取得手段である。具体的には、移動局１は、位置登録エリアの変更が発生した際に、位置情報管理サーバ５へ位置登録要求の信号１０を送信し、位置情報管理サーバ５が変更先の位置登録エリアＢで呼び出し信号を受信すべきタイミングの着信群として割り当てた指定着信群の着信群番号を含む情報信号１１を、位置情報管理サーバ５から、通信網４、無線基地局２ｂを介して受信する。無線部４１は、着信群番号を含む情報信号１１を受信した場合のみ制御部４２に、情報信号１１を伝送する。
又、無線部４１は、制御部４２による制御に基づいて、無線基地局２ａ、２ｂから送信される呼び出し信号を受信する受信手段としても機能する。無線部４１は、指定着信群のタイミングで、呼び出し信号の間欠受信を行う。又、無線部４１は、常に、無線基地局２ａ、２ｂから送信される位置登録エリアＩＤを含む制御信号を受信し、受信した制御信号を制御部４２に伝送する。
又、無線部４１は、制御部４２による制御に基づいて、位置登録要求の信号１０を送信する送信手段としても機能する。無線部４１は、無線基地局２ａ、２ｂ、通信網４を介して、位置登録要求の信号１０を、位置情報管理サーバ５に送信する。
制御部４２は、無線部４が無線基地局２ａ、２ｂから情報信号を受信した場合、通知された情報に従い、着信群の設定を変更する設定変更手段である。制御部４２は、無線部４１により位置登録エリア変更要求を行った際、無線基地局２ａ、２ｂから通知された情報の中に着信群情報が含まれている場合に、着信群の設定を変更する。まず、制御部４２は、無線基地局２ａ、２ｂから通知された情報の中に着信群情報が含まれているか否かを判断する。ここでは、制御部４２は、位置情報管理サーバ５から指定着信群着信群番号の通知があるか否かを判断する。具体的には、制御部４２は、無線部４１から着信群番号を含む情報信号１１の伝送があれば、着信群番号の通知があると判断し、着信群番号を含む情報信号１１の伝送がなければ、着信群番号の通知がないと判断する。
制御部４２は、着信群番号の通知があると判断し、通知された情報の中に着信群情報が含まれていた場合には、着信群番号を含む情報信号１１から、指定着信群の着信群番号を取得する。制御部４２は、呼び出し信号を受信するタイミングを、取得した指定着信群のタイミングに設定し直す。そして、制御部４２は、その設定し直した着信群番号の指定着信群のタイミングで、呼び出し信号を受信するように、無線部４１を制御する。
一方、制御部４２は、着信群番号の通知がないと判断し、通知された情報の中に着信群情報が含まれていなかった場合には、呼び出し信号を受信するタイミングの設定の変更は行わない。そして、制御部４２は、変更先の位置登録エリアＢにおいても、位置登録エリアを変更する前に属していた位置登録エリアＡで属していた変更前着信群を継続して使用し、変更前着信群のタイミングで呼び出し信号を受信するように、無線部４１を制御する。
又、制御部４２は、位置登録要求の信号１０を生成し、無線部４１を、位置登録要求の信号４０を送信するよう制御する。制御部４２は、無線部４１から、無線部４１が受信した位置登録エリアＩＤを含む制御信号を取得する。制御部４２は、その制御信号に含まれる位置登録エリアＩＤが変更したことを認識すると、位置登録エリアが変更したと判断し、位置登録要求の信号１０を生成する。制御部４２は、位置登録エリアの変更要求と、位置登録エリア変更前の位置登録エリアで属していた変更前着信群の着信群番号とを含む位置登録要求の信号１０を生成する。そして、制御部４２は、生成した位置登録要求の信号１０を、無線部４１に伝送し、位置情報管理サーバ５に送信するよう指示をして、制御する。
図２１Ａの場合、無線部４１は、最初、位置登録エリアＡの位置登録エリアＩＤを含む制御信号を受信している。そして、移動局１が、位置登録エリアＡから位置登録エリアＢに向かって移動し、位置登録エリアＡと位置登録エリアＢとの境界にさしかかると、無線部４１は、位置登録エリアＢの位置登録エリアＩＤを含む制御信号を受信するようになる。そのため、制御部４２は、制御信号に含まれる位置登録エリアＩＤが位置登録エリアＢの位置登録エリアＩＤに変更したことを認識し、位置登録エリアが変更したと判断する。そして、制御部４２は、変更先の位置登録エリアＢの位置登録エリアＩＤと、位置登録エリアＡで属していた変更前着信群である着信群９ａ（図２１Ｂ参照）の着信群番号「１」とを含む位置登録要求の信号１０を生成し、無線部４１に位置情報管理サーバ５に送信させる。
そして、無線基地局２ｂから、無線部４１は、着信群番号を含む情報信号１１を受信するため、制御部４２は、指定着信群である着信群の着信群番号「２」を取得する。制御部４２は、呼び出し信号を受信するタイミングを、着信群番号「１」の着信群のタイミングから、取得した着信群番号「２」の着信群のタイミングに設定し直す。これにより、位置登録エリアＢにおいては、無線部４１は、着信群番号「２」の着信群９ｂ（図２１Ｃ参照）のタイミングで、呼び出し信号を間欠受信する。
（移動通信方法）
次に、移動通信システムを用いて行う移動通信方法について説明する。まず、位置情報管理サーバ５の動作について説明する。図２３は、位置情報管理サーバ５の動作手順を示すフロー図である。まず、位置情報管理サーバ５は、移動局１から位置登録要求があるか否かを監視する（Ｓ１０１）。具体的には、網インタフェース２１が移動局１から受信し制御部２３に伝送する位置登録要求の信号１０を、位置情報管理サーバ５の制御部２３が、取得したか否かにより判断する。
ステップ（Ｓ１０１）において、移動局１からの位置登録エリアＢでの位置登録要求があった場合、位置情報管理サーバ５は、位置登録エリアＢの各着信群のタイミングにおける着信トラフィック量や、位置登録エリアＢの各着信群に属する移動局１の数、位置登録エリアＢの各着信群のタイミングで到着するデータ量等を測定する（Ｓ１０２）。具体的には、位置情報管理サーバ５の制御部２３が、測定部２２に、位置登録エリアＢについて着信群毎の着信トラフィック量や移動局１の数、各着信群のタイミングで到着するデータ量を測定するよう指示し、測定部２２が測定を行う。一方、ステップ（Ｓ１０１）において、位置登録要求がなかった場合には、位置情報管理サーバ５は、位置登録要求があるか否かの監視を続ける。
次に、位置情報管理サーバ５は、ステップ（Ｓ１０２）における測定結果に基づいて、位置登録エリアＢにおける指定着信群を選択し、当該着信群を指定着信群として検出する（Ｓ１０３）。具体的には、位置情報管理サーバ５の制御部２３が、測定部２２から測定結果の通知を受け、その測定結果に基づいて、位置登録エリアＢの着信群の中で着信トラフィック量が少ない着信群を選択したり、位置登録エリアＢの着信群の中で、属している移動局１の数が少なく待ち受けを行っている移動局１の数が少ない着信群を選択したり、位置登録エリアＢの着信群の中で、送信すべきデータ量が少ない着信群を選択する。
次に、位置情報管理サーバ５は、検出した指定着信群の着信群番号と、変更前着信群の着信群番号とが同一であるか異なるかを判断する（Ｓ１０４）。具体的には、位置情報管理サーバ５の制御部２３が、指定着信群の着信群番号と、網インタフェース２１から伝送された位置登録要求の信号１０に含まれている変更前着信群の着信群番号とが同一であるか異なるかを判断する。
ステップ（Ｓ１０４）において、変更前着信群の着信群番号と指定着信群の着信群番号とが異なる場合には、位置情報管理サーバ５は、移動局１に指定着信群を割り当て、割り当てた指定着信群の着信群番号を、移動局１に通知する（Ｓ１０５）。一方、ステップ（Ｓ１０４）において、両着信群番号が同一であった場合には、位置情報管理サーバ５は、移動局１に指定着信群の着信群番号の通知を行わず、ステップ（Ｓ１０６）に進む。
最後に、位置情報管理サーバ５は、着信群管理テーブル２４ｂに、指定着信群の着信群番号を追加して、記録する（Ｓ１０６）。具体的には、位置情報管理サーバ５の制御部２３が、着信群管理テーブル２４ｂの位置登録エリアＢの領域に、指定着信群を割り当てた移動局１の移動局ＩＤと対応付けて、指定着信群の着信群番号を記録する。位置情報管理サーバ５は、このステップ（Ｓ１０１）〜（Ｓ１０６）の動作を繰り返す。
次に、移動局１の動作について説明する。図２４は、移動局１の動作手順を示すフロー図である。まず、移動局１は、位置登録エリアＡから位置登録エリアＢに変更した場合には、位置登録要求を行う（Ｓ２０１）。具体的には、移動局１の制御部４２が、位置登録要求の信号１０を生成し、無線部４１が、位置情報管理サーバ５に位置登録要求の信号１０を送信する。
移動局１は、ステップ（Ｓ２０１）において、位置登録要求を行った場合、一定時間待って、位置情報管理サーバ５から、指定着信群の着信群番号の通知があるか否かを判断する（Ｓ２０２）。具体的には、移動局１の制御部４２は、無線部４１から着信群番号を含む情報信号１１の伝送があれば、着信群番号の通知があると判断し、着信群番号を含む情報信号１１の伝送がなければ、着信群番号の通知がないと判断する。
ステップ（Ｓ２０２）において、移動局１は、指定着信群の着信群番号の通知があると判断した場合には、呼び出し信号を受信するタイミングを、通知された着信群番号の指定着信群のタイミングに設定し直す（Ｓ２０３）。具体的には、移動局１の制御部４２が、着信群番号を含む情報信号１１から、指定着信群の着信群番号を取得し、その着信群番号の指定着信群のタイミングに設定し直す。
一方、ステップ（Ｓ２０２）において、移動局１は、指定着信群の着信群番号の通知がないと判断した場合には、移動局１の制御部４２は、呼び出し信号を受信するタイミングの設定の変更は行わず、位置登録エリアを変更する前に属していた位置登録エリアＡで属していた変更前着信群のタイミングのままに設定しておき、変更前着信群を継続して使用する（Ｓ２０４）。
そして、移動局１は、設定された着信群のタイミングで、待ち受けを行い、呼び出し信号を間欠受信する（Ｓ２０５）。具体的には、移動局１の制御部４２が、設定したタイミングで、待ち受け信号を受信するよう無線部４１を制御し、無線部４１が、制御部４２の制御に従い、そのタイミングで間欠受信する。移動局１は、ステップ（Ｓ２０１）〜（Ｓ２０５）の動作を繰り返す。
（第１実施形態の効果）
このような第１実施形態に係る移動通信システム、位置情報管理サーバ５、移動局１、移動通信方法によれば、網インタフェース２１が、移動局１が移動し、位置登録している位置登録エリアを変更したことを、位置登録要求の信号１０を受信することにより、検出する。又、制御部２３が、複数の着信群の中から、所定の情報に基づいて指定着信群を検出する。そして、網インタフェース２１により、移動局１が位置登録エリアを変更したことを検出した場合、制御部２３が、検出した指定着信群を、移動局１に割り当てる。最後に、網インタフェース２１が、制御部２３が割り当てた指定着信群の着信群番号を含む情報信号１１を、位置登録エリアの変更を行う移動局１に通知する。
よって、制御部２３は、移動局１が位置登録している位置登録エリアを変更したことを網インタフェース２１が検出した場合にだけ、指定着信群を割り当てればよく、網インタフェース２１も、位置登録エリアの変更が発生した際にだけ、その変更を行う移動局１に対してのみ指定着信群の着信群番号を含む情報信号１１の送信を行えばよい。そのため、移動通信システムは、チャネルを有効利用することができ、制御部２３の着信制御の負荷を軽減することができる。
更に、網インタフェース２１は、移動局１の位置登録エリア変更を検出した際、変更前着信群を取得する着信群取得手段を有し、制御部２３は、網インタフェース２１が取得した変更前着信群の着信群番号を取得し、取得した変更前着信群の着信群番号と、指定着信群の着信群番号とが同一か異なるかを判断する。そして、制御部２３は、異なる場合にのみ、検出した指定着信群を移動局１に割り当てる。又、網インタフェース２１も、変更前着信群の着信群番号と指定着信群の着信群番号とが異なり、着信群に変更がある場合にだけ、指定着信群の着信群番号を含む情報信号１１を移動局１に送信し、変更前着信群の着信群番号と指定着信群の着信群番号とが同一であり、着信群に変更がない場合には、移動局１への通知を省略する。よって、移動通信システムは、より一層、チャネルを有効利用することができる。又、移動局１の作用として、余計な情報を取得する必要がないため、冗長な情報信号を受信せずに済むという作用がある。その結果、移動局１は、受信時間の効率化によるバッテリーセービングを拡大することができる。
更に、制御部２３は、位置登録エリア毎に各着信群のタイミングにおける着信トラフィック量や、位置登録エリアＢの各着信群に属する移動局１の数に基づいて、着信群の割り当てを行うことができる。そのため、移動通信システムは、特定の着信群のタイミングに、着信トラフィック負荷が集中することを防止でき、各着信群の着信トラフィック負荷の平滑化を図ることができる。又、同一のフレーム内で、同一の着信群の移動局１への呼び出し信号を２回以上送信してしまうことを回避できる。よって、更に、チャネルを有効利用することができる。
又、制御部２３は、位置登録エリア毎に各着信群のタイミングで送信するデータ量に基づいて、着信群の割り当てを行うことができる。そのため、データ通信等において、着信群の着信トラフィック量が少ないにもかかわらず、又、着信群に属する移動局数が少ないにもかかわらず、一つの着信呼に含まれるデータ量や、一つの移動局が受信するデータ量が多くなってしまった場合であっても、特定の着信群のタイミングに着信トラフィック負荷が集中することをより確実に防止でき、各着信群の着信トラフィック負荷のさらなる平滑化を図ることができる。
又、移動局１によれば、無線部４１が、位置登録している位置登録エリアと異なる位置登録エリアに移動し、それを検出し、位置登録エリア変更要求を行う。又、無線部４１が、無線基地局２ｂから情報信号１１を受信した場合、制御部４２が、通知された情報に従い着信群の設定を変更する。そして、無線部４１により位置登録エリア変更要求を行った際、無線基地局２ｂから通知された情報の中に着信群情報が含まれている場合、制御部４２が、情報信号１１に含まれる着信群番号の指定着信群に、着信群の設定を変更する。そして、無線部４１が、その指定着信群で呼び出し信号を受信する。
よって、移動局１は、余計な情報を取得する必要がないため、冗長な情報信号を受信せずに済む。その結果、移動局１は、受信時間の効率化によるバッテリーセービングを拡大することができる。
更に、無線部４１が、着信群番号を含む情報信号１１を受信しなかった場合、即ち、無線基地局２ｂから通知された情報の中に着信群情報含まれていなかった場合、制御部２３は、位置登録エリアＢにおいて、変更前着信群を継続して使用し、変更前着信群のタイミングで呼び出し信号を受信するように、無線部４１を制御する。そのため、移動局１は、着信群に変更がない場合には、着信群の設定の変更を行わなくてよく、呼び出し信号を受信するタイミングの変更を行わなくてよいため、着信制御の負荷を更に軽減できる。
［第２実施形態］
次に、第２部の第２実施形態について、図面を参照しながら説明する。
（移動通信システム及び各装置の構成）
本実施形態に係る移動通信システムは、図２２Ａ〜図２２Ｃに示される位置情報管理サーバ５のデータベース２４を、図２５Ａ〜図２５Ｃに示すデータベース２２４と置き換え、それに伴い、位置情報管理サーバ５の測定部２２、制御部２３の動作の一部が異なっている以外は、図２１Ａに示す移動通信システムと、実質的に同様である。そのため、実質的に同様の部分については、重複した記載を省略する。
データベース２２４は、図２５Ａに示す位置管理テーブル２２４ａと、図２５Ｂに示すリアルタイムクラス着信群管理テーブル２２４ｂと、図２５Ｃに示すノンリアルタイムクラス着信群管理テーブル２２４ｃとから構成される。
移動局１が要求するサービス品質には、図２５Ａにおいては、リアルタイムクラスとノンリアルタイムクラスという２つのサービスクラスがある。リアルタイムクラスは、リアルタイム性が要求され、許容遅延時間が非常に短いというサービス品質であり、例えば、動画通信や音声通信等を行う移動局１に要求される。又、ノンリアルタイムクラスは、リアルタイム性が要求されず、許容遅延時間も比較的に長いというサービス品質であり、例えば、データ通信を行う移動局１に要求される。よって、要求するサービス品質に応じて、移動局１の種別を分けることができる。
このように、図２５Ａでは、サービス品質として、リアルタイムクラス、ノンリアルタイムクラスを用いているが、サービス品質の内容は特に限定されない。例えば、呼損率の程度をサービス品質として用いることができる。具体的には、呼損率を閾値以下に抑える場合に、その呼損率をパラメータとし、呼損率の閾値が異なる複数のサービスクラスを用意することができる。他にも、着信呼に含まれるデータの緊急度等をサービス品質として用いることができる。尚、サービス品質は、クラス分けできるものを用いることが制御の上で、好ましい。
データベース２２４では、サービス品質別に着信群管理テーブルが設けられている。具体的には、図２５Ｂのリアルタイムクラス着信群管理テーブル２２４ｂと、図２５Ｃのノンリアルタイムクラス着信群管理テーブル２２４ｃとが設けられている。リアルタイムクラス着信群管理テーブル２２４ｂは、リアルタイムクラスのサービス品質を要求する移動局１の着信群に関する情報が保持され、ノンリアルタイムクラス着信群管理テーブル２２４ｃは、ノンリアルタイムクラスのサービス品質を要求する移動局１の着信群に関する情報が保持される。
リアルタイムクラス着信群管理テーブル２２４ｂ、ノンリアルタイムクラス着信群管理テーブル２２４ｃは、それぞれ、位置登録エリア毎の領域に分かれている。リアルタイムクラス着信群管理テーブル２２４ｂ、ノンリアルタイムクラス着信群管理テーブル２２４ｃは、それぞれ、位置登録エリアの領域毎に、その位置登録エリアに位置登録を行っている移動局１の移動局ＩＤと、その移動局１に割り当てられ移動局１が待ち受けを行っている着信群の着信群番号とを対応付けて、保持している。以下、位置登録エリアＢでの処理例を示す。
本実施形態において、測定部２２は、位置登録エリアＢの各着信群のタイミングにおける着信トラフィック量、位置登録エリアＢの各着信群に属する移動局１の数、位置登録エリアＢの各着信群のタイミングで送信するデータ量を、サービス品質別に測定する。尚、この点以外は、測定部２２は、第１実施形態と同様に動作する。
例えば、測定部２２は、位置登録エリアＢに位置登録を行っている複数の移動局１に宛てられた着信呼の数を、着信群毎に、サービスクラス別に監視する。まず、測定部２２は、第１実施形態と同様にして、移動局１毎の着信呼の数を把握する。次に、測定部２２は、図２５Ｂに示すリアルタイムクラス着信群管理テーブル２２４ｂを参照し、リアルタイムクラス着信群管理テーブル２２４ｂに登録されている各移動局１が属する着信群を把握する。そして、測定部２２は、受信した移動局１毎の着信呼の数と、各移動局１が属する着信群から、各着信群の着信呼の数を求めることにより、リアルタイムクラスについて、着信呼の数を着信群毎に監視する。ノンリアルタイムクラスについても同様にして、図２５Ｃに示すノンリアルタイムクラス着信群管理テーブル２２４ｃを参照することにより、ノンリアルタイムクラスについて、着信呼の数を着信群毎に監視する。測定部２２は、このようにして、位置登録エリアＢの各着信群のタイミングにおける着信トラフィック量を、サービス品質別に測定する。
又、測定部２２は、位置登録エリアＢで、待ち受けを行っている複数の移動局１の数を、着信群毎に、サービスクラス別に監視する。例えば、測定部２２は、リアルタイムクラス着信群管理テーブル２２４ｂを参照し、着信群毎に、移動局１の数を数えることにより、リアルタイムクラスについて、位置登録エリアＢに属する移動局１の数を、着信群毎に監視する。ノンリアルタイムクラスについても同様にして、ノンリアルタイムクラス着信群管理テーブル２２４ｃを参照することにより、ノンリアルタイムクラスについて、着信呼の数を着信群毎に監視することができる。
測定部２２は、このようにして、位置登録エリアＢの各着信群に属する移動局１の数を、サービス品質別に測定する。
又、測定部２２は、位置登録エリアＢに位置登録を行っている複数の移動局１に宛てられた着信呼のデータ量を、着信群毎に、サービスクラス別に監視する。例えば、測定部２２は、第１実施形態と同様にして、移動局１毎の着信呼のデータ量を把握する。次に、測定部２２は、リアルタイムクラス着信群管理テーブル２２４ｂを参照し、リアルタイムクラス着信群管理テーブル２２４ｂに登録されている各移動局１が属する着信群を把握する。そして、測定部２２は、受信した移動局１毎の着信呼のパケット数等のデータ量と、各移動局１が属する着信群から、各着信群の着信呼のデータ量を求めることにより、リアルタイムクラスについて、着信呼のデータ量を着信群毎に監視する。ノンリアルタイムクラスについても同様にして、ノンリアルタイムクラス着信群管理テーブル２２４ｃを参照することにより、ノンリアルタイムクラスについて、着信呼のデータ量を着信群毎に監視する。測定部２２は、このようにして、位置登録エリアＢの各着信群のタイミングで送信するデータ量を、サービス品質別に測定する。
測定部２２は、測定した着信トラフィック量、移動局１の数、着信呼のデータ量等を、サービス品質の種類であるサービスクラス及び着信群番号と対応付けて、制御部２３に通知する。又、測定部２２は、測定したトラフィック量、移動局１の数、着信呼のデータ量等を、着信群番号及びサービスクラスと対応付けて、保持する。
又、本実施形態において、制御部２３は、移動局１が要求するサービス品質を取得する品質取得手段を備える。そして、制御部２３は、取得したサービス品質に基づいて、指定着信群を検出する。尚、この点以外は、制御部２３は、第１実施形態と同様に動作する。まず、制御部２３は、ある移動局１の指定着信群を選択する際に、位置管理テーブル２２４ａを参照し、当該移動局１の移動局ＩＤから、当該移動局１のサービスクラスを取得する。
次に、制御部２３は、測定部２２から、サービスクラス別の位置登録エリアＢの各着信群のタイミングにおける着信トラフィック量や、サービスクラス別の位置登録エリアＢの各着信群に属する移動局１の数、サービスクラス別の位置登録エリアＢの各着信群のタイミングで送信すべきデータ量を取得する。そして、制御部２３は、位置登録エリアＢの各着信群の各サービスクラスの着信トラフィック量が、移動局１のサービスクラスにとって、多いか少ないかを判断し、少ないと判断した着信群を選択する。又、制御部２３は、位置登録エリアＢの各着信群に属する各サービスクラスの移動局１の数が、移動局１のサービスクラスにとって、多いか少ないかを判断し、少ないと判断した着信群を選択してもよい。又、制御部２３は、位置登録エリアＢの各着信群のタイミングで送信するデータ量が、移動局１のサービスクラスにとって、多いか少ないかを判断し、少ないと判断した着信群を選択してもよい。
例えば、制御部２３は、ある着信群のリアルタイムクラスの着信トラフィック量が多い場合、その着信群は、リアルタイムクラスの移動局１にとっては、リアルタイムクラスの着信トラフィック量が多いため、適さないと判断する。一方、制御部２３は、同じ着信群について、多少、リアルタイムクラスの着信トラフィック量が多くても、リアルタイムクラスとノンリアルタイムクラスの着信トラフィック量を合計した着信トラフィック量がそれ程多くなければ、ノンリアルタイムクラスの移動局１にとっては、その着信群を利用できると判断する。
又、制御部２３は、呼損率の閾値が異なる複数のサービスクラスを用意した場合も同様に制御することができる。例えば、制御部２３は、ある着信群の呼損率の閾値が高いクラスの着信トラフィック量が多い場合、その着信群は、呼損率の閾値が高いクラスの移動局１にとっては、呼損率の閾値が高いクラスの着信トラフィック量が多いため、適さないと判断する。
一方、制御部２３は、同じ着信群について、多少、呼損率の閾値が高いクラスの着信トラフィック量が多くても、呼損率の閾値が高いクラスと低いクラスの着信トラフィック量を合計した着信トラフィック量がそれ程多くなければ、呼損率の閾値が低いクラスの移動局１にとっては、その着信群を利用できると判断する。
又、制御部２３は、リアルタイムクラスの着信トラフィック量が少ない着信群や、呼損率の閾値が高いクラスの着信トラフィック量が少ない着信群を、優先して、リアルタイムクラスや呼損率の閾値が高いクラスの移動局１に割り当てるようにしてもよい。
又、制御部２３は、ある着信群に属するリアルタイムクラスの移動局１の数が多い場合、その着信群は、リアルタイムクラスの移動局１にとっては、リアルタイムクラスの移動局１の数が多いため、適さないと判断する。
一方、制御部２３は、同じ着信群について、多少、リアルタイムクラスの移動局１の数が多くても、リアルタイムクラスとノンリアルタイムクラスの移動局１を合計した移動局１の数がそれ程多くなければ、ノンリアルタイムクラスの移動局１にとっては、その着信群を利用できると判断する。尚、制御部２３は、呼損率の閾値が異なる複数のサービスクラスを用意した場合も、同様に制御することができる。
又、制御部２３は、属しているリアルタイムクラスの移動局１の数が少ない着信群や、属している呼損率の閾値が高いクラスの移動局１の数が少ない着信群を、優先して、リアルタイムクラスや呼損率の閾値が高いクラスの移動局１に割り当てるようにしてもよい。
又、ある着信群のタイミングで送信するリアルタイムクラスのデータ量が多い場合、制御部２３は、その着信群は、リアルタイムクラスの移動局１にとっては、リアルタイムクラスのデータ量が多いため、適さないと判断する。
一方、制御部２３は、同じ着信群について、多少、リアルタイムクラスのデータ量が多くても、リアルタイムクラスとノンリアルタイムクラスのデータ量を合計したデータ量がそれ程多くなければ、ノンリアルタイムクラスの移動局１にとっては、その着信群を利用できると判断する。
尚、制御部２３は、呼損率の閾値が異なる複数のサービスクラスを用意した場合も、同様に制御することができる。又、制御部２３は、送信すべきリアルタイムクラスのデータ量が少ない着信群や、送信すべき呼損率の閾値が高いクラスのデータ量が少ない着信群を、優先して、リアルタイムクラスや呼損率の閾値が高いクラスの移動局１に割り当てるようにしてもよい。このようにして、制御部２３は、取得したサービス品質に基づいて、指定着信群を選択し、検出する。
（移動通信方法）
次に、位置情報管理サーバ５の動作について説明する。以下、位置登録エリアＢにおける処理例を示す。図２６は、位置情報管理サーバ５の動作手順を示すフロー図である。ステップ（Ｓ３０１）は、ステップ（Ｓ１０１）と同様である。ステップ（Ｓ３０１）において、移動局１からの位置登録要求があった場合、位置情報管理サーバ５は、位置登録エリアＢの各着信群のタイミングにおける着信トラフィック量や、位置登録エリアＢの各着信群に属する移動局１の数、位置登録エリアＢの各着信群のタイミングで到着するデータ量等を、サービス品質別に測定する（Ｓ３０２）。具体的には、位置情報管理サーバ５の制御部２３が、リアルタイムクラスとノンリアルタイムクラス毎に、測定を行う。
次に、位置情報管理サーバ５は、移動局１が要求するサービス品質を取得し、そのサービス品質と、ステップ（Ｓ３０２）における測定結果に基づいて、位置登録エリアＢにおける指定着信群を選択し、当該着信群を指定着信群として検出する（Ｓ３０３）。具体的には、位置情報管理サーバ５の制御部２３が、位置管理テーブル２２４ａを参照し、その移動局１のサービスクラスを取得し、測定部２２から、サービスクラス別の着信トラフィック量や、移動局１の数、データ量を取得して、指定着信群を選択する。
ステップ（Ｓ３０４）、（Ｓ３０５）は、ステップ（Ｓ１０４）、（Ｓ１０５）と同様である。最後に、位置情報管理サーバ５は、サービスクラス別に設けられたリアルタイムクラス着信群管理テーブル２２４ｂと、ノンリアルタイムクラス着信群管理テーブル２２４ｃのいずれかに、指定着信群の着信群番号を追加して、記録する（Ｓ３０６）。例えば、移動局１のサービスクラスがリアルタイムクラスであった場合、位置情報管理サーバ５の制御部２３が、リアルタイムクラス着信群管理テーブル２２４ｂの位置登録エリアＢの領域に、指定着信群を割り当てた移動局１の移動局ＩＤと対応付けて、指定着信群の着信群番号を記録する。位置情報管理サーバ５は、このステップ（Ｓ３０１）〜（Ｓ３０６）の動作を繰り返す。
（第２実施形態の効果）
このような第２実施形態に係る移動通信システム、位置情報管理サーバ５、移動通信方法によれば、位置管理テーブル２２４ａが、各移動局１を識別する移動局ＩＤと、各移動局１が要求するサービス品質を示すサービスクラスとを対応付けて保持する。又、データベース２４は、サービス品質別に、リアルタイムクラス着信群管理テーブル２２４ｂと、ノンリアルタイムクラス着信群管理テーブル２２４ｃといった着信群管理テーブルが設けられ、それぞれが、リアルタイムクラスのサービス品質を要求する移動局１の着信群情報や、ノンリアルタイムクラスのサービス品質を要求する移動局１の着信群情報を保持する。
更に、測定部２２が、位置登録エリアＢの各着信群のタイミングにおける着信トラフィック量や、位置登録エリアＢの各着信群に属する移動局１の数、位置登録エリアＢの各着信群のタイミングで送信するデータ量等を、サービス品質別に測定する。
そのため、制御部２３は、位置管理テーブル２２４ａを参照して、移動局１が要求するサービス品質を取得し、測定部２２から、サービス品質別の着信トラフィック量や、移動局１の数、データ量を取得することにより、移動局１のサービス品質と、サービス品質別の着信トラフィック量や、移動局１の数、データ量を用いて、指定着信群の検出を行うことができる。又、指定着信群を、リアルタイムクラス着信群管理テーブル２２４ｂ、ノンリアルタイムクラス着信群管理テーブル２２４ｃに記録することにより、サービス品質別に着信群に関する情報の管理を行うことができる。
よって、移動通信システムは、移動局１が要求するサービス品質を考慮して指定着信群の検出を行い、その管理をすることができる。その結果、例えば、リアルタイムクラスの移動局１に宛てられたデータを含む着信呼が、無線基地局２のバッファにおいてオーバーフローしてしまわないように、指定着信群を割り当てること等ができ、移動通信システムは、許容遅延時間等を考慮したＱｏＳ制御を行うことが容易となる。又、呼損率をパラメータとしてサービス品質を定めている場合には、呼損率が、各サービスクラスの閾値を越えないように、指定着信群を割り当てること等ができる。そのため、移動通信システムは、ユーザが支払う料金に応じて、呼損率を閾値以下に抑えるといったＱｏＳ制御を行うことが容易となる。
［変更例］
本発明は、上記実施形態に限定されるものではなく、種々の変更が可能である。上記実施形態においては、位置情報管理サーバ５は全移動局１の位置情報を管理する機能と、各位置登録エリアでの着信群情報を全て管理する機能の両方を有しているが、各位置登録エリアに位置情報管理サーバを設け、位置登録エリア毎の位置情報管理サーバが、位置情報を管理する機能と、着信群に関する情報を管理する機能とを備えてもよい。
又、制御部２３は、変更前着信群の着信群番号を、移動局１に送信してもらい、位置登録要求の信号１０から取得しているが、位置登録エリアにおける指定着信群の着信群番号を追加する前の着信群管理テーブル２４ｂから、変更前着信群の着信群番号を取得するようにしてもよい。
又、移動局１のサービスクラスを、位置管理テーブル２２４ａで保持せずに、移動局１が、位置登録要求の信号１０に含めるようにしてもよい。
又、図２２Ａ〜図２２Ｃ、図２５Ａ〜図２５Ｃに示したデータベース２４、２２４では、移動局ＩＤがキーになっており、移動局ＩＤに着信群番号や位置登録エリアＩＤが対応付けられているが、着信群番号や位置登録エリアＩＤをキーとし、それらに、移動局ＩＤを対応付けるようにしてもよい。
又、図２２Ａ〜図２２Ｃに示したデータベース２４と同様にして、データベース２２４にも、測定部２２による測定結果を保持する測定結果テーブルを設け、測定部２２は、測定結果を、その測定結果テーブルに記録するようにしてもよい。
［（第３部）移動局の状態に応じた制御処理］
以下では、移動局からの状態通知と連携した位置情報管理サーバ及び基地局での制御処理を説明する。図２８には移動局の動作手順を、図２９には位置情報管理サーバ及び基地局による移動局の状態に応じた制御処理を、それぞれ示す。
図２８に示すように、移動局では、パケット送受信後、自局がスリープ状態へ遷移したと判断するためのタイマ（以下「第１タイマ」という）を起動する（Ｓ１）。その後、第１タイマがタイムアウトする前に当該移動局においてパケット送受信があった場合は、第１タイマを再起動する（Ｓ１へ戻る）。一方、パケット送受信がないまま第１タイマがタイムアウトした場合は、Ｓ３で肯定判断となり、自局がスリープ状態へ遷移したことを基地局へ通知するとともに、自局がその後アイドル状態へ遷移したと判断するためのタイマ（以下「第２タイマ」という）を起動する（Ｓ４）。
基地局では、移動局から状態遷移の通知を受信したときに、図２９の処理が割り込み実行される。上記Ｓ４にて移動局からスリープ状態への遷移が通知されたことを受けて、基地局は当該通知を受信し、当該移動局がスリープ状態へ遷移したと判断し（図２９のＳ１１で肯定判断し）、第１部で説明したリンクレイヤでの制御処理を当該移動局に対し実行する（Ｓ１２）。この中で、当該移動局がセルを移行する場合もリンクレイヤでの制御処理が実行される。
移動局では、上記のようにリンクレイヤでの制御処理を受けることとなる（図２８のＳ５）。その後、第２タイマがタイムアウトする前に当該移動局でパケット送受信があった場合は、移動局のスリープ状態が解除されたと判断できるため、第１タイマを再起動する（Ｓ１へ戻る）。一方、パケット送受信がないまま第２タイマがタイムアウトした場合は、Ｓ７で肯定判断となり、自局がさらにアイドル状態へ遷移したことを位置情報管理サーバへ通知する（Ｓ８）。
位置情報管理サーバでも、移動局から状態遷移の通知を受信したときに、図２９の処理が割り込み実行される。上記Ｓ８にて移動局からアイドル状態への遷移が通知されたことを受けて、位置情報管理サーバは当該通知を受信し、当該移動局がアイドル状態へ遷移したと判断し（図２９のＳ１３で肯定判断し）、第２部で説明したネットワークレイヤでの制御処理を当該移動局に対し実行する（Ｓ１４）。この中で、当該移動局が位置登録エリアを変更する場合もネットワークレイヤでの制御処理が実行される。
移動局では、上記のようにネットワークレイヤでの制御処理を受けることとなる（図２８のＳ９）。その後、パケット送受信があるまで、ネットワークレイヤでの制御処理（Ｓ９）が継続実行される。パケット送受信があれば、移動局のアイドル状態が解除されたと判断できるため、Ｓ１へ戻り、第１タイマを再起動する。
このようにして、移動局においてパケット送受信が行われない期間に応じて、移動局の状態（スリープ状態又はアイドル状態）が的確に判断され、各状態に応じたリンクレイヤでの制御処理（第１部で述べた制御処理）又はネットワークレイヤでの制御処理（第２部で述べた制御処理）が実行されるため、時間とともに変化する移動局の複数の状態に応じて、移動局の位置情報管理を円滑に行うことができる。
なお、位置情報管理サーバが、基地局が持つリンクレイヤでの制御機能をも備え、図２９の制御処理全体を位置情報管理サーバが実行する形態を採用してもよい。
また、上記第３部のように、リンクレイヤでの制御処理とネットワークレイヤでの制御処理とを組み合わせた実施形態のみならず、前述のリンクレイヤでの制御処理を実行するだけで、特定の受信タイミングへの着信トラヒックの集中を回避し、各々の受信タイミングでの着信トラヒックを平滑化できるという効果、チャネルを有効利用でき従来に比べ効果的にバッテリーセービングを行うことができるという効果、及び、特定の呼び出し周期への移動局の集中を回避し、複数の呼び出し周期同士でもトラヒックを平滑化できるという効果が得られることは言うまでもない。また、前述のネットワークレイヤでの制御処理を実行するだけで、チャネルを有効利用することができ、着信群検出に係る着信制御の負荷を軽減することができる、という効果が得られることは言うまでもない。
産業上の利用可能性
以上説明したように、本発明によれば、サーバは、移動局の状態として、スリープ状態又はアイドル状態を含む複数の状態の中から、前記セル内で当該移動局と無線基地局との間でパケット送受信が行われない期間に応じた状態を判断し、前記判断で得られた状態に応じて、当該移動局の呼出周期と当該移動局による間欠受信の受信タイミングの両方又は一方を当該移動局に対し設定するため、時間とともに変化する移動局の複数の状態に応じて、移動局の位置情報管理を円滑に行うことができる。
【図面の簡単な説明】
図１は、第１部の実施形態の想定する移動通信システムの構成図である。
図２Ａは、第１部の実施形態の想定する無線基地局が間欠送信する呼び出し周期のうち呼び出し周期Ａを示す図である。
図２Ｂは、第１部の実施形態の想定する無線基地局が間欠送信する呼び出し周期のうち呼び出し周期Ｂを示す図である。
図２Ｃは、第１部の実施形態の想定する無線基地局が間欠送信する呼び出し周期のうち呼び出し周期Ｃを示す図である。
図２Ｄは、第１部の実施形態の想定する無線基地局が間欠送信する呼び出し周期のうち呼び出し周期Ｄを示す図である。
図２Ｅは、第１部の実施形態の想定する無線基地局が間欠送信する呼び出し周期のうち呼び出し周期Ｅを示す図である。
図３Ａは、呼び出しエリアＡと呼び出し周期Ａとの対応付けを示す図である。
図３Ｂは、呼び出しエリアＢと呼び出し周期Ｂとの対応付けを示す図である。
図３Ｃは、呼び出しエリアＣと呼び出し周期Ｃとの対応付けを示す図である。
図４Ａは、第１の呼び出し方法を説明するための移動通信システムの構成図である。
図４Ｂは、第１の呼び出し方法における呼び出し周期Ａと３つの受信タイミングを示す図である。
図４Ｃは、第１の呼び出し方法における呼び出し周期Ｂと３つの受信タイミングを示す図である。
図４Ｄは、第１の呼び出し方法における呼び出し周期Ｃと３つの受信タイミングを示す図である。
図５Ａは、第２の呼び出し方法を説明するための移動通信システムの構成図である。
図５Ｂは、第２の呼び出し方法における呼び出し周期Ｃと３つの受信タイミングを示す図である。
図５Ｃは、第２の呼び出し方法における呼び出し周期Ｂと３つの受信タイミングを示す図である。
図５Ｄは、第２の呼び出し方法における呼び出し周期Ａと３つの受信タイミングを示す図である。
図６は、第２の呼び出し方法の変形例を説明するための図である。
図７は、無線基地局の第１の処理動作に関する流れ図である。
図８は、無線基地局の第２の処理動作に関する流れ図である。
図９は、位置情報管理サーバの第１の処理動作に関する流れ図である。
図１０は、位置情報管理サーバの第２の処理動作に関する流れ図である。
図１１は、位置情報管理サーバの第３の処理動作に関する流れ図である。
図１２は、位置情報管理サーバの第４の処理動作に関する流れ図である。
図１３は、移動局の処理動作に関する流れ図である。
図１４Ａは、無線基地局が第１の処理動作において自局配下のセルに在圏しスリープモードに移行している移動局を認識するためのテーブルである。
図１４Ｂは、無線基地局が第１の処理動作において個々の呼び出し周期について自局配下のセル内で各々の受信タイミングに対応する移動局の数及び該受信タイミングにおける着信トラヒック量を管理する上で用いるテーブルである。
図１５Ａは、無線基地局が第２の処理動作において自局配下のセルに在圏しスリープモードに移行している移動局を認識するためのテーブルである。
図１５Ｂは、無線基地局が第２の処理動作においてリアルタイムクラスにおいて呼び出し周期及び受信タイミングを管理するためのテーブルである。
図１５Ｃは、無線基地局が第２の処理動作において非リアルタイムクラスにおいて呼び出し周期及び受信タイミングを管理するためのテーブルである。
図１６Ａは、位置情報管理サーバが第１の処理動作において管理下の呼び出しエリア内に位置しスリープモードに移行している移動局を認識するためのテーブルである。
図１６Ｂは、位置情報管理サーバが第１の処理動作において呼び出し周期毎に移動局の位置情報を管理するとともに各々の受信タイミングに対応する移動局の数及び該受信タイミングにおける着信トラヒック量を管理する上で用いるテーブルである。
図１７Ａは、位置情報管理サーバが第２の処理動作において管理下の呼び出しエリア内に位置しスリープモードに移行している移動局を認識するためのテーブルである。
図１７Ｂは、位置情報管理サーバが第２の処理動作においてリアルタイムクラスにおいて呼び出し周期及び受信タイミングを管理するためのテーブルである。
図１７Ｃは、位置情報管理サーバが第２の処理動作において非リアルタイムクラスにおいて呼び出し周期及び受信タイミングを管理するためのテーブルである。
図１８Ａは、位置情報管理サーバが第３の処理動作において管理下の呼び出しエリア内に位置しスリープモードに移行している移動局を認識するためのテーブルである。
図１８Ｂは、位置情報管理サーバが第３の処理動作において個々の呼び出しエリアについて移動局の位置情報を管理するとともに各々の受信タイミングに対応する移動局の数及び該受信タイミングにおける着信トラヒック量を管理する上で用いるテーブルである。
図１９Ａは、位置情報管理サーバが第４の処理動作において管理下の呼び出しエリア内に位置しスリープモードに移行している移動局を認識するためのテーブルである。
図１９Ｂは、位置情報管理サーバが第４の処理動作においてリアルタイムクラスにおいて呼び出し周期及び受信タイミングを管理するためのテーブルである。
図１９Ｃは、位置情報管理サーバが第４の処理動作において非リアルタイムクラスにおいて呼び出し周期及び受信タイミングを管理するためのテーブルである。
図２０は、移動通信システムの構成に関する機能ブロック図である。
図２１Ａは、第２部の第１実施形態に係る移動通信システムの構成図である。
図２１Ｂは、図２１Ａの位置登録エリアＡの着信群を示す図である。
図２１Ｃは、図２１Ａの位置登録エリアＢの着信群を示す図である。
図２２Ａは、第２部の第１実施形態に係る位置管理テーブルを示す図である。
図２２Ｂは、第２部の第１実施形態に係る着信群管理テーブルを示す図である。
図２２Ｃは、第２部の第１実施形態に係る測定結果テーブルを示す図である。
図２３は、第２部の第１実施形態に係る位置情報管理サーバの動作手順を示すフロー図である。
図２４は、第２部の第１実施形態に係る移動局の動作手順を示すフロー図である。
図２５Ａは、第２部の第２実施形態に係る位置管理テーブルを示す図である。
図２５Ｂは、第２部の第２実施形態に係るリアルタイムクラス着信群管理テーブルを示す図である。
図２５Ｃは、第２部の第２実施形態に係るノンリアルタイムクラス着信群管理テーブルを示す図である。
図２６は、第２部の第２実施形態に係る位置情報管理サーバの動作手順を示すフロー図である。
図２７Ａは、従来の移動通信方法における制御チャネルの第１の例を示す図である。
図２７Ｂは、従来の移動通信方法における制御チャネルの第２の例を示す図である。
図２８は、第３部の実施形態に係る移動局の動作手順を示すフロー図である。
図２９は、第３部の実施形態に係る移動局に対する制御動作を示すフロー図である。
図３０は、第３部に関するサーバ・基地局の構成例を示す図である。
【図１】
2003105519.tif 000003
2003105519.tif 000004
2003105519.tif 000005
2003105519.tif 000006
2003105519.tif 000007
【図６】
2003105519.tif 000008
【図７】
2003105519.tif 000009
【図８】
2003105519.tif 000010
【図９】
2003105519.tif 000011
【図１０】
2003105519.tif 000012
【図１１】
2003105519.tif 000013
【図１２】
2003105519.tif 000014
【図１３】
2003105519.tif 000015
2003105519.tif 000016
2003105519.tif 000017
2003105519.tif 000018
2003105519.tif 000019
2003105519.tif 000020
2003105519.tif 000021
【図２０】
2003105519.tif 000022
2003105519.tif 000023
2003105519.tif 000024
【図２３】
2003105519.tif 000025
【図２４】
2003105519.tif 000026
2003105519.tif 000027
【図２６】
2003105519.tif 000028
2003105519.tif 000029
【図２８】
2003105519.tif 000030
【図２９】
2003105519.tif 000031
【図３０】
2003105519.tif 000032
【国際調査報告】
2003105519.tif 000033
2003105519.tif 000034
2003105519.tif 000035
2003105519.tif 000036